(57)【要約】【課題】  本発明の課題は、比較的な簡単な制御により暖房兼蓄熱運転および暖房兼デフロスト運転を行うことができる空気調和装置１を提供することにある。【解決手段】  空気調和装置１は、冷媒回路１０を備える。冷媒回路１０は、圧縮機１１１、熱源側熱交換器１１２、利用側熱交換器１７１、蓄熱用熱交換器１４１、および切換機構を有する。蓄熱用熱交換器１４１は、蓄熱材と熱交換を行う。切換機構は、暖房兼蓄熱状態と暖房兼デフロスト状態とを切換可能である。そして、暖房兼蓄熱状態では、吐出冷媒が利用側熱交換器１７１と蓄熱用熱交換器１４１とに分配される。また、暖房兼デフロスト状態では、吐出冷媒が利用側熱交換器１７１と熱源側熱交換器１１２とに分配される。【選択図】      図１
2005337657.tif 000002
【特許請求の範囲】
【請求項１】
圧縮機（１１１，２１１，３１１，４１１，５１１，６１１，７１１）と、
熱源側熱交換器（１１２，２１２，３１２，４１２，５１２，６１２，７１２）と、
利用側熱交換器（１７１，２７１，３７１，４７１，５７１，６７１ａ，６７１ｂ，６７１ｃ，７７１ａ，７７１ｂ，７７１ｃ）と、
蓄熱材と熱交換を行う蓄熱用熱交換器（１４１，２４１，３４１，４４１，５４１，６４１，７４１）と、
前記利用側熱交換器および前記蓄熱用熱交換器を凝縮器として機能させ前記熱源側熱交換器を蒸発器として機能させる暖房兼蓄熱状態と、前記利用側熱交換器および前記熱源側熱交換器を凝縮器として機能させ前記蓄熱用熱交換器を蒸発器として機能させる暖房兼デフロスト状態とを切換可能である切換機構と、
を有する冷媒回路（１０，１０Ａ，１０Ｂ，２０，２０Ａ，３０，３０Ａ，４０，４０Ａ，５０，５０Ａ，６０，７０）を備え、
前記暖房兼蓄熱状態では、前記圧縮機から吐出された冷媒である吐出冷媒が前記利用側熱交換器と前記蓄熱用熱交換器とに分配され、
前記暖房兼デフロスト状態では、前記吐出冷媒が前記利用側熱交換器と前記熱源側熱交換器とに分配される、
空気調和装置（１，１Ａ，１Ｂ，２，２Ａ，３，３Ａ，４，４Ａ，５，５Ａ，６，７）。
【請求項２】
前記暖房兼蓄熱状態では、前記利用側熱交換器から流出した冷媒と前記蓄熱用熱交換器から流出した冷媒とが合流して前記熱源側熱交換器を通って前記圧縮機に吸入され、
前記暖房兼デフロスト状態では、前記利用側熱交換器から流出した冷媒と前記熱源側熱交換器から流出した冷媒とが合流して前記蓄熱用熱交換器を通って前記圧縮機に吸入される、
請求項１に記載の空気調和装置。
【請求項３】
前記切換機構は、前記暖房兼蓄熱状態において前記吐出冷媒が前記熱源側熱交換器に直接流入しないようにするための第１制御弁（１１３，２１３，３１３，４１３，５１３，６１３，７１３）と、前記暖房兼デフロスト状態において前記吐出冷媒が前記蓄熱用熱交換器に直接流入しないようにするための第２制御弁（１４３，ＳＶ１，ＳＶ１Ａ，ＳＶ１ｄ，ＳＶ４’）とを有する、
請求項１または２に記載の空気調和装置。
【請求項４】
前記切換機構は、前記熱源側熱交換器を凝縮器として機能させ前記利用側熱交換器を蒸発器として機能させる冷房状態にも切換可能であり、前記冷房状態において前記吐出冷媒が前記利用側熱交換器に直接流入しないようにし且つ前記暖房兼デフロスト状態において前記吐出冷媒が前記利用側熱交換器に流入するようにするための第３制御弁（１４３，ＳＶ２，ＳＶ２’）をさらに有する、
請求項１から３のいずれかに記載の空気調和装置。
【請求項５】
前記冷媒回路には、前記暖房兼デフロスト状態において前記熱源側熱交換器に液状冷媒が溜まるように、冷媒が充填されている、
請求項１から４のいずれかに記載の空気調和装置。
【発明の詳細な説明】
【技術分野】
【０００１】
本発明は、冬季などにおいて気温が氷点下となるような寒冷地向けの空気調和装置に関する。
【背景技術】
【０００２】
従来、冬季などにおいて気温が氷点下となるような寒冷地向けの空気調和装置として特許文献１の図１に示されるような空気調和装置がある。この空気調和装置は、蓄熱用熱交換器および蓄熱材を貯留する蓄熱槽を有しており、空調室内を暖房しながら蓄熱材に温熱を蓄積することが可能である（以下、このような運転を暖房兼温蓄熱運転という）。そして、この空気調和装置は、蓄熱材に蓄積された十分な温熱を利用することによって、空調室内を暖房しながら室外熱交換器に付着した霜を除去することが可能となっている（以下、このような運転を暖房兼デフロスト運転という）。
【特許文献１】特開平５−２６５４２号公報
【発明の開示】
【発明が解決しようとする課題】
【０００３】
しかし、この空気調和装置では、暖房兼温蓄熱運転時には圧縮機から吐出された冷媒である吐出冷媒が蓄熱用熱交換器、室内熱交換器、および室外熱交換器の順に流れ、暖房兼デフロスト運転時には吐出冷媒が室内熱交換器、蓄熱用熱交換器、および室外熱交換器の順に流れる。このため、この空気調和装置では、冷媒の流れや冷媒の状態を適切に制御して、暖房兼温蓄熱運転時には室内熱交換器（暖房）と蓄熱用熱交換器（温蓄熱）とに、暖房兼デフロスト運転時には室内熱交換器（暖房）と室外熱交換器（デフロスト）とに適切な熱量を分配する必要がある。ところが、そのような制御は、非常に煩雑であり実現性に乏しい。
【０００４】
本発明の課題は、比較的な簡単な制御により暖房兼蓄熱運転および暖房兼デフロスト運転を行うことができる空気調和装置を提供することにある。
【課題を解決するための手段】
【０００５】
第１発明に係る空気調和装置は、冷媒回路を備える。冷媒回路は、圧縮機、熱源側熱交換器、利用側熱交換器、蓄熱用熱交換器、および切換機構を有する。蓄熱用熱交換器は、蓄熱材と熱交換を行う。切換機構は、暖房兼蓄熱状態と暖房兼デフロスト状態とを切換可能である。なお、暖房兼蓄熱状態では、利用側熱交換器および蓄熱用熱交換器が凝縮器として機能し、熱源側熱交換器が蒸発器として機能する。また、暖房兼デフロスト状態では、利用側熱交換器および熱源側熱交換器が凝縮器として機能し、蓄熱用熱交換器が蒸発器として機能する。そして、暖房兼蓄熱状態では、吐出冷媒が利用側熱交換器と蓄熱用熱交換器とに分配される。なお、ここにいう「吐出冷媒」とは、圧縮機から吐出された冷媒である。また、暖房兼デフロスト状態では、吐出冷媒が利用側熱交換器と熱源側熱交換器とに分配される。
【０００６】
この空気調和装置では、暖房兼蓄熱状態において、吐出冷媒が利用側熱交換器と蓄熱用熱交換器とに分配される。また、暖房兼デフロスト状態において、吐出冷媒が利用側熱交換器と熱源側熱交換器とに分配される。このため、この空気調和装置では、暖房兼蓄熱状態において利用側熱交換器と蓄熱用熱交換器とに、暖房兼デフロスト状態において利用側熱交換器と熱源側熱交換器とに適切な熱量を分配するのに、冷媒の分配比のみを考慮すればよい。したがって、この空気調和装置では、比較的な簡単な制御により暖房兼蓄熱運転および暖房兼デフロスト運転を行うことができる。
【０００７】
第２発明に係る空気調和装置は、第１発明に係る空気調和装置であって、暖房兼蓄熱状態では、利用側熱交換器から流出した冷媒と蓄熱用熱交換器から流出した冷媒とが合流して熱源側熱交換器を通って圧縮機に吸入される。また、暖房兼デフロスト状態では、利用側熱交換器から流出した冷媒と熱源側熱交換器から流出した冷媒とが合流して蓄熱用熱交換器を通って圧縮機に吸入される。
【０００８】
この空気調和装置では、暖房兼蓄熱状態において、利用側熱交換器から流出した冷媒と蓄熱用熱交換器から流出した冷媒とが合流して熱源側熱交換器を通って圧縮機に吸入される。また、暖房兼デフロスト状態において、利用側熱交換器から流出した冷媒と熱源側熱交換器から流出した冷媒とが合流して蓄熱用熱交換器を通って圧縮機に吸入される。このため、この空気調和装置では、暖房兼蓄熱状態において利用側熱交換器から流出した冷媒と蓄熱用熱交換器から流出した冷媒とを熱源側熱交換器で一括して蒸発させることができ、暖房兼デフロスト状態において利用側熱交換器から流出した冷媒と熱源側熱交換器から流出した冷媒とを蓄熱用熱交換器で一括して蒸発させることができる。したがって、この空気調和装置では、冷媒回路の構成をシンプルにすることができる。
【０００９】
第３発明に係る空気調和装置は、第１発明または第２発明に係る空気調和装置であって、切換機構は、第１制御弁および第２制御弁を有する。第１制御弁は、暖房兼蓄熱状態において吐出冷媒が熱源側熱交換器に直接流入しないようにするための制御弁である。第２制御弁は、暖房兼デフロスト状態において吐出冷媒が蓄熱用熱交換器に直接流入しないようにするための制御弁である。
【００１０】
この空気調和装置では、切換機構が、第１制御弁および第２制御弁を有する。このため、この空気調和装置では、暖房兼蓄熱状態と暖房兼デフロスト状態との間で冷媒の流れを適切に制御することができる。
第４発明に係る空気調和装置は、第１発明から第３発明のいずれかに係る空気調和装置であって、切換機構は、冷房状態にも切換可能である。なお、ここにいう「冷房状態」とは、熱源側熱交換器が凝縮器として機能し、利用側熱交換器が蒸発器として機能する状態をいう。そして、この切換機構は、第３制御弁をさらに有する。第３制御弁は、冷房状態において吐出冷媒が利用側熱交換器に直接流入しないようにし、かつ、暖房兼デフロスト状態において吐出冷媒が利用側熱交換器に流入するようにするための制御弁である。
【００１１】
この空気調和装置では、切換機構が、冷房状態にも切換可能であり、第３制御弁をさらに有する。このため、この空気調和装置では、暖房兼デフロスト状態と冷房状態との間で冷媒の流れを適切に制御することができる。
第５発明に係る空気調和装置は、第１発明から第４発明のいずれかに係る空気調和装置であって、冷媒回路には、暖房兼デフロスト状態において熱源側熱交換器に液状冷媒が溜まるように、冷媒が充填されている。
【００１２】
この空気調和装置では、暖房兼デフロスト状態において吐出冷媒が利用側熱交換器と熱源側熱交換器とに分配されるが、暖房兼デフロスト運転開始直後には利用側熱交換器よりも熱源側熱交換器の方が低温であるため、吐出冷媒は、利用側熱交換器よりも熱源側熱交換器の方に多く流れ易くなる。このため、この空気調和装置では、利用側熱交換器における凝縮温度および凝縮圧力が低下し、利用側熱交換器における暖房能力が低下するおそれがある。しかし、この空気調和装置では、冷媒回路に、暖房兼デフロスト状態において熱源側熱交換器に液状冷媒が溜まるように、冷媒が充填されている。このため、この空気調和装置では、暖房兼デフロスト状態において、利用側熱交換器へ流れる吐出冷媒の凝縮温度および凝縮圧力の低下を抑えることができる。したがって、この空気調和装置では、暖房兼デフロスト状態における利用側熱交換器の暖房能力の低下を抑えることができる。
【発明の効果】
【００１３】
第１発明に係る空気調和装置では、暖房兼蓄熱状態において利用側熱交換器と蓄熱用熱交換器とに、暖房兼デフロスト状態において利用側熱交換器と熱源側熱交換器とに適切な熱量を分配するのに、冷媒の分配比のみを考慮すればよい。したがって、この空気調和装置では、比較的な簡単な制御により暖房兼蓄熱運転および暖房兼デフロスト運転を行うことができる。
【００１４】
第２発明に係る空気調和装置では、暖房兼蓄熱状態において利用側熱交換器から流出した冷媒と蓄熱用熱交換器から流出した冷媒とを熱源側熱交換器で一括して蒸発させることができ、暖房兼デフロスト状態において利用側熱交換器から流出した冷媒と熱源側熱交換器から流出した冷媒とを蓄熱用熱交換器で一括して蒸発させることができる。したがって、この空気調和装置では、冷媒回路の構成をシンプルにすることができる。
【００１５】
第３発明に係る空気調和装置では、暖房兼蓄熱状態と暖房兼デフロスト状態との間で冷媒の流れを適切に制御することができる。
第４発明に係る空気調和装置では、暖房兼デフロスト状態と冷房状態との間で冷媒の流れを適切に制御することができる。
第５発明に係る空気調和装置では、暖房兼デフロスト状態において、利用側熱交換器へ流れる吐出冷媒の凝縮温度および凝縮圧力の低下を抑えることができる。したがって、この空気調和装置では、暖房兼デフロスト状態における利用側熱交換器の暖房能力の低下を抑えることができる。
【発明を実施するための最良の形態】
【００１６】
＜第１実施形態＞
［空気調和装置の構成］
本発明の一実施形態にかかる空気調和装置１の概略冷媒回路１０を図１に示す。
この空気調和装置１は、冷房運転および暖房運転のみならずデフロスト運転、暖房兼温蓄熱運転、および暖房兼デフロスト運転も可能な空気調和装置（冬季などにおいて気温が氷点下となるような寒冷地向けの空気調和装置）であって、主冷媒回路１ａ、バイパスライン１ｂ、および蓄熱ライン１ｃから構成される冷媒回路１０を備えている。
【００１７】
主冷媒回路１ａには主に、圧縮機１１１、四路切換弁１１３、室外熱交換器１１２、第１電動膨張弁ＥＶ１、室内熱交換器１７１、第１開閉機構ＯＣ１、および気液分離器１１４が配備されており、各機器は、図１に示されるように、冷媒配管を介して接続されている。
バイパスライン１ｂは、一端が四路切換弁１１３と室外熱交換器１１２のガス側とを接続する冷媒配管（以下、第１室外側冷媒ガス配管という）に、他端が第１開閉機構ＯＣ１と室内熱交換器１７１のガス側とを接続する冷媒配管（以下、室内側冷媒ガス配管という）に配管接続されることによって主冷媒回路１ａと接続されている。なお、以下、バイパスライン１ｂと第１室外側冷媒ガス配管との接続点を第１ＢＬ接続点ＢＣ１といい、バイパスライン１ｂと室内側冷媒ガス配管との接続点を第２ＢＬ接続点ＢＣ２という。そして、このバイパスライン１ｂには、第２開閉機構ＯＣ２が配備されている。
【００１８】
蓄熱ライン１ｃは、一端が室外熱交換器１１２の液側と第１電動膨張弁ＥＶ１とを接続する冷媒配管（以下、室外側冷媒液配管という）に、他端が第１開閉機構ＯＣ１と四路切換弁１１３とを接続する冷媒配管（以下、第２室外側冷媒ガス配管という）に配管接続されることによって主冷媒回路１ａと接続されている。なお、以下、蓄熱ライン１ｃと室外側冷媒液配管との接続点を第１ＨＬ接続点ＨＣ１といい、蓄熱ライン１ｃと第２室外側冷媒ガス配管との接続点を第２ＨＬ接続点ＨＣ２という。そして、この蓄熱ライン１ｃには蓄熱用熱交換器１４１および第２電動膨張弁ＥＶ２が配備されており、各機器が第２ＨＬ接続点ＨＣ２から第１ＨＬ接続点ＨＣ１に向かって上記の順に冷媒配管を介して接続されている。
【００１９】
また、本実施形態では、空気調和装置１は、分離型の空気調和装置であって、室内熱交換器１７１、第１電動膨張弁ＥＶ１、冷媒ガス配管１８１、および冷媒液配管１８２を主に有する室内ユニット１７と、蓄熱用熱交換器１４１、蓄熱槽１４２、第２電動膨張弁ＥＶ２、第１開閉機構ＯＣ１、第２開閉機構ＯＣ２、第１冷媒ガス配管１５１、第２冷媒ガス配管１５３、および冷媒液配管１５２を主に有する蓄熱ユニット１４と、圧縮機１１１、四路切換弁１１３、室外熱交換器１１２、気液分離器１１４、第１冷媒ガス配管１２１、第２冷媒ガス配管１２３、および冷媒液配管１２２を主に有する室外ユニット１１と、室内ユニット１７の冷媒液配管１８２と蓄熱ユニット１４の冷媒液配管１５２とを接続する第１冷媒連絡配管１８７と、室内ユニット１７の冷媒ガス配管１８１と蓄熱ユニット１４の冷媒ガス配管１５１とを接続する第２冷媒連絡配管１８６と、蓄熱ユニット１４の冷媒液配管１５２と室外ユニット１１の冷媒液配管１２２とを接続する第３冷媒連絡配管１３７と、蓄熱ユニット１４の第１冷媒ガス配管１５１と室外ユニット１１の第１冷媒ガス配管１２１とを接続する第４冷媒連絡配管１３６と、蓄熱ユニット１４の第２冷媒ガス配管１５３と室外ユニット１１の第２冷媒ガス配管１２３とを接続する第５冷媒連絡配管１３５とから構成されているともいえる。なお、室外ユニット１１の冷媒液配管１２２と第３冷媒連絡配管１３７とは室外ユニット１１の液側閉鎖弁１３３を介して、室外ユニット１１の第１冷媒ガス配管１２１と第４冷媒連絡配管１３６とは室外ユニット１１の第２ガス側閉鎖弁１３２を介して、室外ユニット１１の第２冷媒ガス配管１２３と第５冷媒連絡配管１３５とは室外ユニット１１の第１ガス側閉鎖弁１３１を介してそれぞれ接続されている。
【００２０】
なお、このように本実施形態にかかる空気調和装置１をユニット単位で見た場合、第１ＢＬ接続点ＢＣ１は室外ユニット１１に属し、第２ＢＬ接続点ＢＣ２、第１ＨＬ接続点ＨＣ１、および第２ＨＬ接続点ＨＣ２は蓄熱ユニット１４に属する。
（１）室内ユニット
室内ユニット１７は、主に、室内熱交換器１７１、第１電動膨張弁ＥＶ１、室内ファン（図示せず）、冷媒ガス配管１８１、および冷媒液配管１８２を有している。
【００２１】
室内熱交換器１７１は、空調室内の空気である室内空気と冷媒との間で熱交換をさせるための熱交換器である。
室内ファンは、ユニット１７内に空調室内の空気を取り込み、室内熱交換器１７１を介して冷媒と熱交換した後の空気である調和空気を再び空調室内への送り出すためファンである。
【００２２】
そして、この室内ユニット１７は、このような構成を採用することによって、冷房運転時には室内ファンにより内部に取り込んだ室内空気と室内熱交換器１７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器１７１を流れるガス冷媒とを熱交換させて調和空気（暖気）を生成することが可能となっている。
【００２３】
（２）蓄熱ユニット
蓄熱ユニット１４は、主に、蓄熱用熱交換器１４１、蓄熱槽１４２、第２電動膨張弁ＥＶ２、第１開閉機構ＯＣ１、第２開閉機構ＯＣ２、第１冷媒ガス配管１５１、第２冷媒ガス配管１５３、および冷媒液配管１５２を有している。
蓄熱用熱交換器１４１は、蓄熱槽１４２に蓄えられている蓄熱材（例えば、ポリエチレングリコール、トレイトール、パラフィン、酢酸ナトリウム３水和物、硫酸ナトリウム１０水和物など）と冷媒との間で熱交換をさせるための熱交換器である。
【００２４】
第１開閉機構ＯＣ１は、開閉可能な第１電磁弁ＳＶ１および第１逆止弁１６１を有している。この第１開閉機構ＯＣ１では、第１電磁弁ＳＶ１と第１逆止弁１６１とが冷媒流れに対して並列に配置される。また、この第１逆止弁１６１は、各ユニット１１，１４，１７が接続された状態において第２ガス側閉鎖弁１３２から第２ＢＬ接続点ＢＣ２に向かう冷媒の流れのみを許容するように取り付けられている。
【００２５】
第２開閉機構ＯＣ２は、開閉可能な第２電磁弁ＳＶ２および第２逆止弁１６２を有している。この第２開閉機構ＯＣ２では、第２電磁弁ＳＶ２と第２逆止弁１６２とが冷媒流れに対して直列に配置される。なお、この際、第２電磁弁ＳＶ２は第１ＢＬ接続点ＢＣ１側に、第２逆止弁１６２は第２ＢＬ接続点ＢＣ２側に配置される。また、この第２逆止弁１６２は、各ユニット１１，１４，１７が接続された状態において第１ガス側閉鎖弁１３１から第２ＢＬ接続点ＢＣ２に向かう冷媒の流れのみを許容するように取り付けられている。
【００２６】
そして、この蓄熱ユニット１４は、このような構成を採用することによって、暖房兼温蓄熱運転時には蓄熱用熱交換器１４１を流れるガス冷媒の温熱を蓄熱材に蓄積させ、暖房兼デフロスト運転時には蓄熱用熱交換器１４１を流れる液冷媒に蓄熱材に蓄積される温熱を供給することによってその液冷媒を蒸発させることが可能となっている。なお、この蓄熱材は、融点がおよそ３０℃から４０℃であり、潜熱として温熱を蓄積することが可能となっている。
【００２７】
（３）室外ユニット
室外ユニット１１は、主に、四路切換弁１１３、気液分離器１１４、圧縮機１１１、室外熱交換器１１２、第１冷媒ガス配管１２１、第２冷媒ガス配管１２３、および冷媒液配管１２２を有している。
圧縮機１１１は、吸入管１２５を流れる低圧のガス冷媒を吸入して圧縮した後、吐出管１２６に吐出するための機器である。本実施形態において、圧縮機１１１は、スクロール式やロータリ式等の容積式の圧縮機である。
【００２８】
四路切換弁１１３は、各運転に対応して、冷媒の流れ方向を切り換えるための弁であり、冷房運転時、デフロスト運転時、および暖房兼デフロスト運転時には圧縮機１１１の吐出管１２６と室外熱交換器１１２のガス側とを接続するとともに圧縮機１１１の吸入管１２５と第２ガス側閉鎖弁１３２とを気液分離器１１４を介して接続し、暖房運転時および暖房兼温蓄熱運転時には圧縮機１１１の吐出管１２６と第２ガス側閉鎖弁１３２とを接続するとともに圧縮機１１１の吸入管１２５と室外熱交換器１１２のガス側とを気液分離器１１４を介して接続することが可能である。
【００２９】
室外熱交換器１１２は、冷房運転時において、圧縮機１１１から吐出された高圧のガス冷媒を空調室外の空気を熱源として凝縮させることが可能であり、暖房運転時には室内熱交換器１７１から戻る液冷媒を、暖房兼温蓄熱運転時には室内熱交換器１７１および蓄熱用熱交換器１４１から戻る液冷媒を蒸発させることが可能である。
［空気調和装置の動作］
空気調和装置１の運転動作について、図１および図２を用いて説明する。この空気調和装置１は、上述したように冷房運転、暖房運転、暖房兼温蓄熱運転、デフロスト運転、および暖房兼デフロスト運転を行うことが可能である。
【００３０】
（１）冷房運転
冷房運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は過冷却度制御（以下、ＳＣ制御という）され、第２電動膨張弁ＥＶ２は全閉状態とされる。なお、第１電動膨張弁ＥＶ１がＳＣ制御されると、第１電動膨張弁ＥＶ１の弁開度が、室外熱交換器１１２のガス側における冷媒の温度から室外熱交換器１１２の液側における冷媒の温度を引いた差分が一定の負の値（例えば、−５℃）となるように調節される。また、第１電磁弁ＳＶ１はＯＮされて開状態とされ、第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００３１】
この冷媒回路１０の状態で、圧縮機１１１を起動すると、ガス冷媒が、圧縮機１１１に吸入されて圧縮された後、吐出管１２６、四路切換弁１１３、および第１ＢＬ接続点ＢＣ１を経由して室外熱交換器１１２に送られ、室外熱交換器１１２において凝縮されて液冷媒となる。
そして、この液冷媒は、液側閉鎖弁１３３および第１ＨＬ接続点ＨＣ１を経由して第１電動膨張弁ＥＶ１に送られる。第１電動膨張弁ＥＶ１に送られた液冷媒は、減圧された後に室内熱交換器１７１に供給され、室内空気を冷却するとともに蒸発されてガス冷媒となる。
【００３２】
そして、そのガス冷媒は、第２ＢＬ接続点ＢＣ２、第１電磁弁ＳＶ１、第２ＨＬ接続点ＨＣ２、第２ガス側閉鎖弁１３２、四路切換弁１１３、および気液分離器１１４を経由して、再び、圧縮機１１１に吸入される。このようにして、冷房運転が行われる。
（２）暖房運転
暖房運転時は、四路切換弁１１３が図１の破線で示される状態、すなわち、圧縮機１１１の吐出側が第２ガス側閉鎖弁１３２に接続され、かつ、圧縮機１１１の吸入側が気液分離器１１４を介して室外熱交換器１１２のガス側に接続された状態となっている。また、第１電動膨張弁ＥＶ１はＳＣ制御され、第２電動膨張弁ＥＶ２は全閉状態とされる。なお、第１電動膨張弁ＥＶ１がＳＣ制御されると、第１電動膨張弁ＥＶ１の弁開度が、室内熱交換器１７１のガス側における冷媒の温度から室内熱交換器１７１の液側における冷媒の温度を引いた差分が一定の負の値（例えば、−５℃）となるように調節される。また、第１電磁弁ＳＶ１および第２電磁弁ＳＶ２は、ＯＦＦされて閉状態とされる（図２参照）。そして、液側閉鎖弁１３３、第１ガス側閉鎖弁１３１、および第２ガス側閉鎖弁１３２は開状態とされる。
【００３３】
この冷媒回路１０の状態で、圧縮機１１１を起動すると、ガス冷媒が、圧縮機１１１に吸入されて圧縮された後、吐出管１２６、四路切換弁１１３、第２ガス側閉鎖弁１３２、第２ＨＬ接続点ＨＣ２、第１逆止弁１６１、および第２ＢＬ接続点ＢＣ２を経由して、室内熱交換器１７１に供給される。
そして、そのガス冷媒は、室内熱交換器１７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１および液側閉鎖弁１３３を経由して室外熱交換器１１２に送られて、室外熱交換器１１２において蒸発されてガス冷媒となる。このガス冷媒は、第１ＢＬ接続点ＢＣ１、四路切換弁１１３、および気液分離器１１４を経由して、吸入管１２５に戻り、再び、圧縮機１１１に吸入される。このようにして、暖房運転が行われる。
【００３４】
（３）暖房兼温蓄熱運転
暖房兼温蓄熱運転時は、四路切換弁１１３が図１の破線で示される状態、すなわち、圧縮機１１１の吐出側が第２ガス側閉鎖弁１３２に接続され、かつ、圧縮機１１１の吸入側が気液分離器１１４を介して室外熱交換器１１２のガス側に接続された状態となっている。また、第１電動膨張弁ＥＶ１はＳＣ制御され、第２電動膨張弁ＥＶ２は所定の開度を維持する状態とされる。なお、第１電動膨張弁ＥＶ１がＳＣ制御されると、第１電動膨張弁ＥＶ１の弁開度が、室内熱交換器１７１のガス側における冷媒の温度から室内熱交換器１７１の液側における冷媒の温度を引いた差分が一定の負の値（例えば、−５℃）となるように調節される。また、第１電磁弁ＳＶ１および第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００３５】
この冷媒回路１０の状態で、圧縮機１１１を起動すると、ガス冷媒が、圧縮機１１１に吸入されて圧縮された後、吐出管１２６、四路切換弁１１３、および第２ガス側閉鎖弁１３２を経由して第２ＨＬ接続点ＨＣ２に至る。そして、第２ＨＬ接続点ＨＣ２に至ったガス冷媒は、その後、第１逆止弁１６１および第２ＢＬ接続点ＢＣ２を経由して室内熱交換器１７１に向かう経路である第１経路と、蓄熱用熱交換器１４１に向かう経路である第２経路とに分配される。
【００３６】
第１経路に分配されたガス冷媒は、室内熱交換器１７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１に送られる。
一方、第２経路に分配されたガス冷媒は、蓄熱用熱交換器１４１において蓄熱材を加熱するとともに凝縮されて液冷媒となる。この際、蓄熱材は、固相から液相に相転移し、ガス冷媒から供給される温熱を主に潜熱として蓄積する。その後、この液冷媒は、第２電動膨張弁ＥＶ２を経由して第１ＨＬ接続点ＨＣ１に至る。
【００３７】
そして、第１電動膨張弁ＥＶ１を経由して第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、液側閉鎖弁１３３を経由して室外熱交換器１１２に送られ、室外熱交換器１１２において蒸発されてガス冷媒となる。このガス冷媒は、第１ＢＬ接続点ＢＣ１、四路切換弁１１３、および気液分離器１１４を経由して、吸入管１２５に戻り、再び、圧縮機１１１に吸入される。
【００３８】
なお、この暖房兼温蓄熱運転は、主に、空気調和装置１の起動時に行われ、蓄熱槽１４２に設けられている蓄熱材の温度検出用の温度センサの値が所定値以上になると自動的に暖房運転に切り換わるようになっている。
（４）デフロスト運転
デフロスト運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は所定の開度を維持する状態とされ、第２電動膨張弁ＥＶ２は全閉状態とされる。また、第１電磁弁ＳＶ１はＯＮされて開状態とされ、第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００３９】
この冷媒回路１０の状態で、圧縮機１１１を起動すると、ガス冷媒が、圧縮機１１１に吸入されて圧縮された後、吐出管１２６、四路切換弁１１３、および第１ＢＬ接続点ＢＣ１を経由して室外熱交換器１１２に送られ、室外熱交換器１１２の外表面に付着している霜を融解するとともに凝縮されて液冷媒となる。
そして、室外熱交換器１１２で凝縮された液冷媒は、液側閉鎖弁１３３および第１ＨＬ接続点ＨＣ１を経由して第１電動膨張弁ＥＶ１に送られる。第１電動膨張弁ＥＶ１に送られた液冷媒は、減圧された後に室内熱交換器１７１に供給され、室内熱交換器１７１の周囲の空気を冷却するとともに蒸発されてガス冷媒となる。なお、この際、空調室内を積極的に冷房しないように、室内ファンが駆動しないように制御される。
【００４０】
そして、そのガス冷媒は、第２ＢＬ接続点ＢＣ２、第１電磁弁ＳＶ１、第２ＨＬ接続点ＨＣ２、第２ガス側閉鎖弁１３２、四路切換弁１１３、および気液分離器１１４を経由して、再び、圧縮機１１１に吸入される。
なお、このデフロスト運転は、室外熱交換器１１２の外表面の温度や外気温などのパラメータに基づいて切り換わるようなっている。また、このデフロスト運転は、室内熱交換器１７１に霜が付着しないように、暖房運転などとの間で間欠的に行われる。
【００４１】
（５）暖房兼デフロスト運転
暖房兼デフロスト運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は全開状態とされ、第２電動膨張弁ＥＶ２は高圧制御（以下、ＨＰ制御という）される。なお、第２電動膨張弁ＥＶ２がＨＰ制御されると、第２電動膨張弁ＥＶ２の弁開度が、圧縮機１１１の吐出圧力が所定値以上となるように調節される。また、第１電磁弁ＳＶ１はＯＦＦされて閉状態とされ、第２電磁弁ＳＶ２はＯＮされて開状態とされる（図２参照）。そして、液側閉鎖弁１３３、第１ガス側閉鎖弁１３１、および第２ガス側閉鎖弁１３２は開状態とされる。
【００４２】
この冷媒回路１０の状態で、圧縮機１１１を起動すると、ガス冷媒が、圧縮機１１１に吸入されて圧縮された後、吐出管１２６および四路切換弁１１３を経由して第１ＢＬ接続点ＢＣ１に至る。そして、第１ＢＬ接続点ＢＣ１に至ったガス冷媒は、その後、第１ガス側閉鎖弁１３１、第２切換機構ＯＣ２、および第２ＢＬ接続点ＢＣ２を経由して室内熱交換器１７１に向かう経路である第３経路と、室外熱交換器１１２に向かう経路である第４経路とに分配される。
【００４３】
第３経路に分配されたガス冷媒は、室内熱交換器１７１において室内空気を加熱するとともに凝縮されて液冷媒となる。この液冷媒は、第１電動膨張弁ＥＶ１を経由して第１ＨＬ接続点ＨＣ１に至る。
一方、第４経路に分配されたガス冷媒は、室外熱交換器１１２の外表面に付着している霜を融解するとともに凝縮されて液冷媒となる。この液冷媒は、液側閉鎖弁１３３を経由して第１ＨＬ接続点ＨＣ１に至る。
【００４４】
そして、第１電動膨張弁ＥＶ１を経由して第１ＨＬ接続点ＨＣ１に至った液冷媒と、液側閉鎖弁１３３を経由して第１ＨＬ接続点ＨＣ１に至った液冷媒とは、第１ＨＬ接続点ＨＣ１において合流した後、第２電動膨張弁ＥＶ２に送られる。第２電動膨張弁ＥＶ２に送られた液冷媒は、減圧された後に蓄熱用熱交換器１４１に送られ、蓄熱用熱交換器１４１において温熱を蓄積している蓄熱材によって蒸発されてガス冷媒となる。この際、蓄熱材は、蓄熱していた温熱を放出するため、液相から固相に相転移することとなる。その後、そのガス冷媒は、第２ＨＬ接続点ＨＣ２、第２ガス側閉鎖弁１３２、四路切換弁１１３、および気液分離器１１４を経由して、吸入管１２５に戻り、再び、圧縮機１１１に吸入される。
【００４５】
なお、この冷媒回路１０には、暖房兼デフロスト運転時において室外熱交換器１１２に液冷媒が溜まるように冷媒が充填されている。このため、他の運転時においては冷媒が余剰となるが、この余剰冷媒は、主に、気液分離器１１４に貯留される。
また、この暖房兼デフロスト運転は、室外熱交換器１１２の外表面の温度や外気温などのパラメータに基づいて切り換わるようなっている。また、このデフロスト運転は、所定時間（例えば、１０分間）継続して行われる。
【００４６】
［空気調和装置の特徴］
（１）
第１実施形態に係る空気調和装置１では、暖房兼温蓄熱運転において圧縮機１１１から吐出されたガス冷媒（以下、吐出冷媒という）が室内熱交換器１７１と蓄熱用熱交換器１４１とに分配され、暖房兼デフロスト運転において吐出冷媒が室内熱交換器１７１と室外熱交換器１１２とに分配される。このため、この空気調和装置１では、暖房兼温蓄熱運転において室内熱交換器１７１と蓄熱用熱交換器１４１とに、暖房兼デフロスト運転において室内熱交換器１７１と室外熱交換器１１２とに適切な熱量を分配するのに、冷媒の分配比のみを考慮すればよい。したがって、この空気調和装置１では、比較的な簡単な制御により暖房兼温蓄熱運転および暖房兼デフロスト運転を行うことができる。
【００４７】
（２）
第１実施形態に係る空気調和装置１では、暖房兼温蓄熱運転において、室内熱交換器１７１から流出した冷媒と蓄熱用熱交換器１４１から流出した冷媒とが合流して室外熱交換器１１２を通って圧縮機１１１に吸入される。また、暖房兼デフロスト運転において、室内熱交換器１７１から流出した冷媒と室外熱交換器１１２から流出した冷媒とが合流して蓄熱用熱交換器１４１を通って圧縮機１１１に吸入される。このため、この空気調和装置１では、暖房兼温蓄熱運転において室内熱交換器１７１から流出した冷媒と蓄熱用熱交換器１４１から流出した冷媒とを室外熱交換器１１２で一括して蒸発させることができ、暖房兼デフロスト運転において室内熱交換器１７１から流出した冷媒と室外熱交換器１１２から流出した冷媒とを蓄熱用熱交換器１４１で一括して蒸発させることができる。したがって、この空気調和装置１では、冷媒回路１０の構成をシンプルにすることができる。
【００４８】
（３）
第１実施形態に係る空気調和装置１では、冷媒回路１０が、四路切換弁１１３および第１電磁弁ＳＶ１を有する。このため、この空気調和装置１では、暖房兼温蓄熱運転と暖房兼デフロスト運転との間で冷媒の流れを適切に制御することができる。
（４）
第１実施形態に係る空気調和装置１では、冷媒回路１０が、第１開閉機構ＯＣ１および第２開閉機構ＯＣ２により冷房運転にも切換可能であり、第２電磁弁ＳＶ２を有する。このため、この空気調和装置１では、暖房兼デフロスト運転と冷房運転との間で冷媒の流れを適切に制御することができる。
【００４９】
（５）
第１実施形態に係る空気調和装置１では、冷媒回路１０に、暖房兼デフロスト運転において室外熱交換器１１２に液状冷媒が溜まるように、冷媒が充填されている。このため、この空気調和装置１では、暖房兼デフロスト運転において、室内熱交換器１７１へ流れる吐出冷媒の凝縮温度および凝縮圧力の低下を抑えることができる。したがって、この空気調和装置１では、暖房兼デフロスト運転における室内熱交換器１７１の暖房能力の低下を抑えることができる。
【００５０】
［変形例］
（Ａ）
第１実施形態に係る空気調和装置１に代えて、図３に示されるような空気調和装置１Ａを採用しても本発明の作用効果と同様の作用効果を得ることができる。
第１実施形態に係る空気調和装置１では、冷媒回路１０を構成する主冷媒回路１ａにおいて、第２ＢＬ接続点ＢＣ２と第２ＨＬ接続点ＨＣ２との間に第１開閉機構ＯＣ１が配置された。これに対し、本変形例に係る空気調和装置１Ａでは、冷媒回路１０Ａを構成する主冷媒回路１Ａａにおいて、第２ＢＬ接続点ＢＣ２と第２ＨＬ接続点ＨＣ２との間に双方向電磁弁ＳＶ１Ａが配置される。なお、双方向電磁弁ＳＶ１Ａは、蓄熱ユニット１４Ａに属することとなる。
【００５１】
（Ｂ）
第１実施形態に係る空気調和装置１に代えて、図４に示されるような空気調和装置１Ｂを採用しても本発明の作用効果と同様の作用効果を得ることができる。
第１実施形態に係る空気調和装置１では、冷媒回路１０を構成する主冷媒回路１ａにおいて第２ＢＬ接続点ＢＣ２と第２ＨＬ接続点ＨＣ２との間に第１開閉機構ＯＣ１が配置され、冷媒回路１０を構成するバイパスライン１ｂにおいて第２開閉機構ＯＣ２が配置された。これに対し、本変形例に係る空気調和装置１Ｂでは、主冷媒回路１Ｂａとバイパスライン１Ｂｂとの室内側の接続点に四路切換弁１４３およびキャピラリーチューブ１４４が配置される。なお、この四路切換弁１４３およびキャピラリーチューブ１４４は、蓄熱ユニット１４Ｂに属することとなる。また、この冷媒回路１０Ｂにおいて、四路切換弁１４３は、冷房運転時、暖房運転時、暖房兼温蓄熱運転時、およびデフロスト運転時には図４の破線で示される状態にされ、暖房兼デフロスト運転時には図４の実線で示される状態にされる。
【００５２】
＜第２実施形態＞
［空気調和装置の構成］
本発明の一実施形態にかかる空気調和装置２の概略冷媒回路２０を図５に示す。
この空気調和装置２は、冷房運転および暖房運転のみならず氷蓄熱運転、氷蓄熱利用冷房運転、デフロスト運転、暖房兼温蓄熱運転、および暖房兼デフロスト運転も可能な空気調和装置（冬季などにおいて気温が氷点下となるような寒冷地向けの空気調和装置）であって、主冷媒回路２ａ、バイパスライン２ｂ、蓄熱ライン２ｃ、および利用ライン２ｄから構成される冷媒回路２０を備えている。
【００５３】
主冷媒回路２ａには主に、圧縮機２１１、四路切換弁２１３、室外熱交換器２１２、第５開閉機構ＯＣ５、第１電動膨張弁ＥＶ１、室内熱交換器２７１、第１開閉機構ＯＣ１、および気液分離器２１４が配備されており、各機器は、図５に示されるように、冷媒配管を介して接続されている。
バイパスライン２ｂは、一端が四路切換弁２１３と室外熱交換器２１２のガス側とを接続する冷媒配管（以下、第１室外側冷媒ガス配管という）に、他端が第１開閉機構ＯＣ１と室内熱交換器２７１のガス側とを接続する冷媒配管（以下、室内側冷媒ガス配管という）に配管接続されることによって主冷媒回路２ａと接続されている。なお、以下、バイパスライン２ｂと第１室外側冷媒ガス配管との接続点を第１ＢＬ接続点ＢＣ１といい、バイパスライン２ｂと室内側冷媒ガス配管との接続点を第２ＢＬ接続点ＢＣ２という。そして、このバイパスライン２ｂには、第２開閉機構ＯＣ２が配備されている。
【００５４】
蓄熱ライン２ｃは、一端が第５開閉機構ＯＣ５と第１電動膨張弁ＥＶ１とを接続する冷媒配管（以下、室内側冷媒液配管という）に、他端が第１開閉機構ＯＣ１と四路切換弁２１３とを接続する冷媒配管（以下、第２室外側冷媒ガス配管という）に配管接続されることによって主冷媒回路２ａと接続されている。なお、以下、蓄熱ライン２ｃと室内側冷媒液配管との接続点を第１ＨＬ接続点ＨＣ１といい、蓄熱ライン２ｃと第２室外側冷媒ガス配管との接続点を第２ＨＬ接続点ＨＣ２という。そして、この蓄熱ライン２ｃには第３開閉機構ＯＣ３、蓄熱用熱交換器２４１、および第２電動膨張弁ＥＶ２が配備されており、各機器が第２ＨＬ接続点ＨＣ２から第１ＨＬ接続点ＨＣ１に向かって上記の順に冷媒配管を介して接続されている。
【００５５】
利用ライン２ｄは、一端が室外熱交換器２１２の液側と第５開閉機構ＯＣ５とを接続する冷媒配管（以下、室外側冷媒液配管という）に、他端が第３開閉機構ＯＣ３と蓄熱用熱交換器２４１とを接続する冷媒配管（以下、ガス管側バイパス配管という）に配管接続されることによって主冷媒回路２ａおよび蓄熱ライン２ｃと接続されている。なお、以下、利用ライン２ｄと室外側冷媒液配管との接続点を第１ＩＬ接続点ＩＣ１といい、利用ライン２ｄとガス管側バイパス配管との接続点を第２ＩＬ接続点ＩＣ２という。そして、この利用ライン２ｄには、第４開閉機構ＯＣ４が配備されている。
【００５６】
また、本実施形態では、空気調和装置２は、分離型の空気調和装置であって、室内熱交換器２７１、第１電動膨張弁ＥＶ１、冷媒ガス配管２８１、および冷媒液配管２８２を主に有する室内ユニット２７と、蓄熱用熱交換器２４１、蓄熱水槽２４２、第２電動膨張弁ＥＶ２、第１開閉機構ＯＣ１、第２開閉機構ＯＣ２、第３開閉機構ＯＣ３、第４開閉機構ＯＣ４、第５開閉機構ＯＣ５、第１冷媒ガス配管２５１、第２冷媒ガス配管２５３、および冷媒液配管２５２を主に有する氷蓄熱ユニット２４と、圧縮機２１１、四路切換弁２１３、室外熱交換器２１２、気液分離器２１４、第１冷媒ガス配管２２１、第２冷媒ガス配管２２３、および冷媒液配管２２２を主に有する室外ユニット２１と、室内ユニット２７の冷媒液配管２８２と氷蓄熱ユニット２４の冷媒液配管２５２とを接続する第１冷媒連絡配管２８７と、室内ユニット２７の冷媒ガス配管２８１と氷蓄熱ユニット２４の冷媒ガス配管２５１とを接続する第２冷媒連絡配管２８６と、氷蓄熱ユニット２４の冷媒液配管２５２と室外ユニット２１の冷媒液配管２２２とを接続する第３冷媒連絡配管２３７と、氷蓄熱ユニット２４の第１冷媒ガス配管２５１と室外ユニット２１の第１冷媒ガス配管２２１とを接続する第４冷媒連絡配管２３６と、氷蓄熱ユニット２４の第２冷媒ガス配管２５３と室外ユニット２１の第２冷媒ガス配管２２３とを接続する第５冷媒連絡配管２３５とから構成されているともいえる。なお、室外ユニット２１の冷媒液配管２２２と第３冷媒連絡配管２３７とは室外ユニット２１の液側閉鎖弁２３３を介して、室外ユニット２１の第１冷媒ガス配管２２１と第４冷媒連絡配管２３６とは室外ユニット２１の第２ガス側閉鎖弁２３２を介して、室外ユニット２１の第２冷媒ガス配管２２３と第５冷媒連絡配管２３５とは室外ユニット２１の第１ガス側閉鎖弁２３１を介してそれぞれ接続されている。
【００５７】
なお、このように本実施形態にかかる空気調和装置２をユニット単位で見た場合、第１ＢＬ接続点ＢＣ１は室外ユニット２１に属し、第２ＢＬ接続点ＢＣ２、第１ＨＬ接続点ＨＣ１、第２ＨＬ接続点ＨＣ２、第１ＩＬ接続点ＩＣ１、および第２ＩＬ接続点ＩＣ２は氷蓄熱ユニット２４に属する。
（１）室内ユニット
室内ユニット２７は、主に、室内熱交換器２７１、第１電動膨張弁ＥＶ１、室内ファン（図示せず）、冷媒ガス配管２８１、および冷媒液配管２８２を有している。
【００５８】
室内熱交換器２７１は、空調室内の空気である室内空気と冷媒との間で熱交換をさせるための熱交換器である。
室内ファンは、ユニット２７内に空調室内の空気を取り込み、室内熱交換器２７１を介して冷媒と熱交換した後の空気である調和空気を再び空調室内への送り出すためファンである。
【００５９】
そして、この室内ユニット２７は、このような構成を採用することによって、冷房運転時および氷蓄熱利用冷房運転時には室内ファンにより内部に取り込んだ室内空気と室内熱交換器２７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器２７１を流れるガス冷媒とを熱交換させて調和空気（暖気）を生成することが可能となっている。
【００６０】
（２）氷蓄熱ユニット
氷蓄熱ユニット２４は、主に、蓄熱用熱交換器２４１、蓄熱水槽２４２、第２電動膨張弁ＥＶ２、第１開閉機構ＯＣ１、第２開閉機構ＯＣ２、第３開閉機構ＯＣ３、第４開閉機構ＯＣ４、第５開閉機構ＯＣ５、第１冷媒ガス配管２５１、第２冷媒ガス配管２５３、および冷媒液配管２５２を有している。
【００６１】
蓄熱用熱交換器２４１は、蓄熱水槽２４２に蓄えられている蓄熱用水と冷媒との間で熱交換をさせるための熱交換器である。
第１開閉機構ＯＣ１は、開閉可能な第１電磁弁ＳＶ１および第１逆止弁２６１を有している。この第１開閉機構ＯＣ１では、第１電磁弁ＳＶ１と第１逆止弁２６１とが冷媒流れに対して並列に配置される。また、この第１逆止弁２６１は、各ユニット２１，２４，２７が接続された状態において第２ガス側閉鎖弁２３２から第２ＢＬ接続点ＢＣ２に向かう冷媒の流れのみを許容するように取り付けられている。
【００６２】
第２開閉機構ＯＣ２は、開閉可能な第２電磁弁ＳＶ２および第２逆止弁２６２を有している。この第２開閉機構ＯＣ２では、第２電磁弁ＳＶ２と第２逆止弁２６２とが冷媒流れに対して直列に配置される。なお、この際、第２電磁弁ＳＶ２は第１ＢＬ接続点ＢＣ１側に、第２逆止弁２６２は第２ＢＬ接続点ＢＣ２側に配置される。また、この第２逆止弁２６２は、各ユニット２１，２４，２７が接続された状態において第１ガス側閉鎖弁２３１から第２ＢＬ接続点ＢＣ２に向かう冷媒の流れのみを許容するように取り付けられている。
【００６３】
第３開閉機構ＯＣ３は、開閉可能な第３電磁弁ＳＶ３および第３逆止弁２６３を有している。この第３開閉機構ＯＣ３では、第３電磁弁ＳＶ３と第３逆止弁２６３とが冷媒流れに対して並列に配置される。また、この第３逆止弁２６３は、第２ＨＬ接続点ＨＣ２から第２ＩＬ接続点ＩＣ２に向かう冷媒の流れのみを許容するように取り付けられている。
第４開閉機構ＯＣ４は、開閉可能な第４電磁弁ＳＶ４および第４逆止弁２６４を有している。この第４開閉機構ＯＣ４では、第４電磁弁ＳＶ４と第４逆止弁２６４とが冷媒流れに対して直列に配置される。なお、この際、第４電磁弁ＳＶ４は第１ＩＬ接続点ＩＣ１側に、第４逆止弁２６４は第２ＩＬ接続点ＩＣ２側に配置される。また、この第４逆止弁２６４は、第１ＩＬ接続点ＩＣ１から第２ＩＬ接続点ＩＣ２に向かう冷媒の流れのみを許容するように取り付けられている。
【００６４】
第５開閉機構ＯＣ５は、開閉可能な第５電磁弁ＳＶ５および第５逆止弁２６５を有している。この第５開閉機構ＯＣ５では、第５電磁弁ＳＶ５と第５逆止弁２６５とが冷媒流れに対して並列に配置される。また、この第５逆止弁２６５は、第１ＨＬ接続点ＨＣ１から第１ＩＬ接続点ＩＣ１に向かう冷媒の流れのみを許容するように取り付けられている。
そして、この氷蓄熱ユニット２４は、このような構成を採用することによって、氷蓄熱運転時には蓄熱用熱交換器２４１を流れる液冷媒の冷熱を蓄熱用水に蓄積させ、氷蓄熱利用運転時には蓄熱用熱交換器２４１を流れるガス状または気液二相状態の冷媒にその冷熱を供給することによってそのガス状または気液二相状態の冷媒を凝縮させ、暖房兼温蓄熱運転時には蓄熱用熱交換器２４１を流れるガス冷媒の温熱を蓄熱用水に蓄積させ、また、暖房兼デフロスト運転時には蓄熱用熱交換器２４１を流れる液冷媒に蓄熱用水に蓄積される温熱を供給することによってその液冷媒を蒸発させることが可能となっている。なお、この蓄熱用水は、氷蓄熱運転時には液相から固相に相転移して液冷媒から供給される冷熱を主に潜熱として蓄積し、暖房兼温蓄熱運転時にはガス冷媒から供給される温熱を顕熱として蓄積する。
【００６５】
（３）室外ユニット
室外ユニット２１は、主に、四路切換弁２１３、気液分離器２１４、圧縮機２１１、室外熱交換器２１２、第１冷媒ガス配管２２１、第２冷媒ガス配管２２３、および冷媒液配管２２２を有している。
圧縮機２１１は、吸入管２２５を流れる低圧のガス冷媒を吸入して圧縮した後、吐出管２２６に吐出するための機器である。本実施形態において、圧縮機２１１は、スクロール式やロータリ式等の容積式の圧縮機である。
【００６６】
四路切換弁２１３は、各運転に対応して、冷媒の流れ方向を切り換えるための弁であり、冷房運転時、氷蓄熱運転時、氷蓄熱利用冷房運転時、デフロスト運転時、および暖房兼デフロスト運転時には圧縮機２１１の吐出管２２６と室外熱交換器２１２のガス側とを接続するとともに圧縮機２１１の吸入管２２５と第２ガス側閉鎖弁２３２とを気液分離器２１４を介して接続し、暖房運転時および暖房兼温蓄熱運転時には圧縮機２１１の吐出管２２６と第２ガス側閉鎖弁２３２とを接続するとともに圧縮機２１１の吸入管２２５と室外熱交換器２１２のガス側とを気液分離器２１４を介して接続することが可能である。
【００６７】
室外熱交換器２１２は、冷房運転時、氷蓄熱運転時、および氷蓄熱利用冷房運転時において、圧縮機２１１から吐出された高圧のガス冷媒を空調室外の空気を熱源として凝縮させることが可能であり、暖房運転時には室内熱交換器２７１から戻る液冷媒を、暖房兼温蓄熱運転時には室内熱交換器２７１および蓄熱用熱交換器２４１から戻る液冷媒を蒸発させることが可能である。
【００６８】
［空気調和装置の動作］
空気調和装置２の運転動作について、図５および図６を用いて説明する。この空気調和装置１は、上述したように冷房運転、氷蓄熱運転、氷蓄熱利用冷房運転、暖房運転、暖房兼温蓄熱運転、デフロスト運転、および暖房兼デフロスト運転を行うことが可能である。
（１）冷房運転
冷房運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１は過冷却度制御（以下、ＳＣ制御という）され、第２電動膨張弁ＥＶ２は全閉状態とされる。なお、第１電動膨張弁ＥＶ１がＳＣ制御されると、第１電動膨張弁ＥＶ１の弁開度が、室外熱交換器２１２のガス側における冷媒の温度から室外熱交換器２１２の液側における冷媒の温度を引いた差分が一定の負の値（例えば、−５℃）となるように調節される。また、第１電磁弁ＳＶ１、第３電磁弁ＳＶ３、および第５電磁弁ＳＶ５はＯＮされて開状態とされ、第２電磁弁ＳＶ２および第４電磁弁ＳＶ４はＯＦＦされて閉状態とされる（図６参照）。そして、液側閉鎖弁２３３、第１ガス側閉鎖弁２３１、および第２ガス側閉鎖弁２３２は開状態とされる。
【００６９】
この冷媒回路２０の状態で、圧縮機２１１を起動すると、ガス冷媒が、圧縮機２１１に吸入されて圧縮された後、吐出管２２６、四路切換弁２１３、および第１ＢＬ接続点ＢＣ１を経由して室外熱交換器２１２に送られ、室外熱交換器２１２において凝縮されて液冷媒となる。
そして、この液冷媒は、液側閉鎖弁２３３、第１ＩＬ接続点ＩＣ１、第５電磁弁ＳＶ５、第１ＨＬ接続点ＨＣ１を経由して第１電動膨張弁ＥＶ１に送られる。第１電動膨張弁ＥＶ１に送られた液冷媒は、減圧された後に室内熱交換器２７１に供給され、室内空気を冷却するとともに蒸発されてガス冷媒となる。
【００７０】
そして、そのガス冷媒は、第２ＢＬ接続点ＢＣ２、第１電磁弁ＳＶ１、第２ＨＬ接続点ＨＣ２、第２ガス側閉鎖弁２３２、四路切換弁２１３、および気液分離器２１４を経由して、再び、圧縮機２１１に吸入される。このようにして、冷房運転が行われる。
（２）氷蓄熱運転
氷蓄熱運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１は全閉状態とされ、第２電動膨張弁ＥＶ２はＳＣ制御される。なお、第２電動膨張弁ＥＶ２がＳＣ制御されると、第２電動膨張弁ＥＶ２の弁開度が、室外熱交換器２１２のガス側における冷媒の温度から室外熱交換器２１２の液側における冷媒の温度を引いた差分が一定の負の値（例えば、−５℃）となるように調節される。また、第１電磁弁ＳＶ１、第３電磁弁ＳＶ３、および第５電磁弁ＳＶ５はＯＮされて開状態とされ、第２電磁弁ＳＶ２および第４電磁弁ＳＶ４はＯＦＦされて閉状態とされる（図６参照）。そして、液側閉鎖弁２３３、第１ガス側閉鎖弁２３１、および第２ガス側閉鎖弁２３２は開状態とされる。
【００７１】
この冷媒回路２０の状態で、圧縮機２１１を起動すると、ガス冷媒が、圧縮機２１１に吸入されて圧縮された後、吐出管２２６、四路切換弁２１３、および第１ＢＬ接続点ＢＣ１を経由して室外熱交換器２１２に送られ、室外熱交換器２１２において凝縮されて液冷媒となる。
そして、この液冷媒は、液側閉鎖弁２３３、第１ＩＬ接続点ＩＣ１、第５電磁弁ＳＶ５、第１ＨＬ接続点ＨＣ１を経由して第２電動膨張弁ＥＶ２に送られる。第２電動膨張弁ＥＶ２に送られた液冷媒は、減圧された後に蓄熱用熱交換器２４１に供給され、蓄熱用水を冷却するとともに蒸発されてガス冷媒となる。この際、蓄熱用水は、液相から固相に相転移し、液冷媒から供給される冷熱を主に潜熱として蓄積する。
【００７２】
そして、そのガス冷媒は、第２ＩＬ接続点ＩＣ２、第３電磁弁ＳＶ３、第２ＨＬ接続点ＨＣ２、第２ガス側閉鎖弁２３２、四路切換弁２１３、および気液分離器２１４を経由して、再び、圧縮機２１１に吸入される。このようにして、氷蓄熱運転が行われる。
（３）氷蓄熱利用冷房運転
氷蓄熱利用冷房運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１はＳＣ制御され、第２電動膨張弁ＥＶ２は全開状態とされる。なお、第１電動膨張弁ＥＶ１がＳＣ制御されると、第１電動膨張弁ＥＶ１の弁開度が、蓄熱用熱交換器２４１の第２ＩＬ接続点ＩＣ２側における冷媒の温度から蓄熱用熱交換器２４１の第２電動膨張弁ＥＶ２側における冷媒の温度を引いた差分が一定の負の値（例えば、−５℃）となるように調節される。また、第１電磁弁ＳＶ１および第４電磁弁ＳＶ４はＯＮされて開状態とされ、第２電磁弁ＳＶ２、第３電磁弁ＳＶ３、および第５電磁弁ＳＶ５はＯＦＦされて閉状態とされる（図６参照）。そして、液側閉鎖弁２３３、第１ガス側閉鎖弁２３１、および第２ガス側閉鎖弁２３２は開状態とされる。
【００７３】
この冷媒回路２０の状態で、圧縮機２１１を起動すると、ガス冷媒が、圧縮機２１１に吸入されて圧縮された後、吐出管２２６、四路切換弁２１３、および第１ＢＬ接続点ＢＣ１を経由して室外熱交換器２１２に送られ、室外熱交換器２１２において凝縮されて液状または気液二相の冷媒となる。
そして、この液状または気液二相の冷媒は、液側閉鎖弁２３３、第１ＩＬ接続点ＩＣ１、第４開閉機構ＯＣ４、および第２ＩＬ接続点ＩＣ２を経由して蓄熱用熱交換器２４１に送られ、蓄熱用熱交換器２４１において蓄熱用水に蓄積された冷熱によりさらに低温の液冷媒または液冷媒となる。
【００７４】
そして、このさらに低温の液冷媒または液冷媒は、第２電動膨張弁ＥＶ２および第１ＨＬ接続点ＨＣ１を経由して第１電動膨張弁ＥＶ１に送られる。第１電動膨張弁ＥＶ１に送られた液冷媒は、減圧された後に室内熱交換器２７１に供給され、室内空気を冷却するとともに蒸発されてガス冷媒となる。
そして、そのガス冷媒は、第２ＢＬ接続点ＢＣ２、第１電磁弁ＳＶ１、第２ＨＬ接続点ＨＣ２、第２ガス側閉鎖弁２３２、四路切換弁２１３、および気液分離器２１４を経由して、再び、圧縮機２１１に吸入される。このようにして、氷蓄熱利用冷房運転が行われる。
【００７５】
（４）暖房運転
暖房運転時は、四路切換弁２１３が図５の破線で示される状態、すなわち、圧縮機２１１の吐出側が第２ガス側閉鎖弁２３２に接続され、かつ、圧縮機２１１の吸入側が気液分離器２１４を介して室外熱交換器２１２のガス側に接続された状態となっている。また、第１電動膨張弁ＥＶ１はＳＣ制御され、第２電動膨張弁ＥＶ２は全閉状態とされる。なお、第１電動膨張弁ＥＶ１がＳＣ制御されると、第１電動膨張弁ＥＶ１の弁開度が、室内熱交換器２７１のガス側における冷媒の温度から室内熱交換器２７１の液側における冷媒の温度を引いた差分が一定の負の値（例えば、−５℃）となるように調節される。また、第１電磁弁ＳＶ１、第２電磁弁ＳＶ２、第３電磁弁ＳＶ３、第４電磁弁ＳＶ４、および第５電磁弁ＳＶ５は、ＯＦＦされて閉状態とされる（図６参照）。そして、液側閉鎖弁２３３、第１ガス側閉鎖弁２３１、および第２ガス側閉鎖弁２３２は開状態とされる。
【００７６】
この冷媒回路２０の状態で、圧縮機２１１を起動すると、ガス冷媒が、圧縮機２１１に吸入されて圧縮された後、吐出管２２６、四路切換弁２１３、第２ガス側閉鎖弁２３２、第２ＨＬ接続点ＨＣ２、第１逆止弁２６１、および第２ＢＬ接続点ＢＣ２を経由して、室内熱交換器２７１に供給される。
そして、そのガス冷媒は、室内熱交換器２７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１、第５逆止弁２６５、第１ＩＬ接続点ＩＣ１、および液側閉鎖弁２３３を経由して室外熱交換器２１２に送られ、室外熱交換器２１２において蒸発されてガス冷媒となる。このガス冷媒は、第１ＢＬ接続点ＢＣ１、四路切換弁２１３、および気液分離器２１４を経由して、吸入管２２５に戻り、再び、圧縮機２１１に吸入される。このようにして、暖房運転が行われる。
【００７７】
（５）暖房兼温蓄熱運転
暖房兼温蓄熱運転時は、四路切換弁２１３が図５の破線で示される状態、すなわち、圧縮機２１１の吐出側が第２ガス側閉鎖弁２３２に接続され、かつ、圧縮機２１１の吸入側が気液分離器２１４を介して室外熱交換器２１２のガス側に接続された状態となっている。また、第１電動膨張弁ＥＶ１はＳＣ制御され、第２電動膨張弁ＥＶ２は所定の開度を維持する状態とされる。なお、第１電動膨張弁ＥＶ１がＳＣ制御されると、第１電動膨張弁ＥＶ１の弁開度が、室内熱交換器２７１のガス側における冷媒の温度から室内熱交換器２７１の液側における冷媒の温度を引いた差分が一定の負の値（例えば、−５℃）となるように調節される。また、第１電磁弁ＳＶ１、第２電磁弁ＳＶ２、第３電磁弁ＳＶ３、第４電磁弁ＳＶ４、第５電磁弁ＳＶ５は、ＯＦＦされて閉状態とされる（図６参照）。そして、液側閉鎖弁２３３、第１ガス側閉鎖弁２３１、および第２ガス側閉鎖弁２３２は開状態とされる。
【００７８】
この冷媒回路２０の状態で、圧縮機２１１を起動すると、ガス冷媒が、圧縮機２１１に吸入されて圧縮された後、吐出管２２６、四路切換弁２１３、および第２ガス側閉鎖弁２３２を経由して第２ＨＬ接続点ＨＣ２に至る。そして、第２ＨＬ接続点ＨＣ２に至ったガス冷媒は、その後、第１逆止弁２６１および第２ＢＬ接続点ＢＣ２を経由して室内熱交換器２７１に向かう経路である第１経路と、第３逆止弁２６３および第２ＩＬ接続点ＩＣ２を経由して蓄熱用熱交換器２４１に向かう経路である第２経路とに分配される。
【００７９】
第１経路に分配されたガス冷媒は、室内熱交換器２７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１に送られる。
一方、第２経路に分配されたガス冷媒は、蓄熱用熱交換器２４１において蓄熱用水を加熱するとともに凝縮されて液冷媒となる。この際、蓄熱用水は、ガス冷媒から供給される温熱を顕熱として蓄積する。その後、その液冷媒は、第２電動膨張弁ＥＶ２に送られる。第２電動膨張弁ＥＶ２に送られた液冷媒は、減圧された後に第１ＨＬ接続点ＨＣ１に送られる。
【００８０】
そして、第１電動膨張弁ＥＶ１を経由して第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、第５逆止弁２６５、第１ＩＬ接続点ＩＣ１、液側閉鎖弁２３３を経由して室外熱交換器２１２に送られ、室外熱交換器２１２において蒸発されてガス冷媒となる。このガス冷媒は、第１ＢＬ接続点ＢＣ１、四路切換弁２１３、および気液分離器２１４を経由して、吸入管２２５に戻り、再び、圧縮機２１１に吸入される。
【００８１】
なお、この暖房兼温蓄熱運転は、主に、空気調和装置２の起動時に行われ、蓄熱水槽２４２に設けられている蓄熱用水の温度検出用の温度センサの値が所定の閾値以上になると自動的に暖房運転に切り換わるようになっている。
（６）デフロスト運転
デフロスト運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１は所定の開度を維持する状態とされ、第２電動膨張弁ＥＶ２は全閉状態とされる。また、第１電磁弁ＳＶ１、第３電磁弁ＳＶ３、および第５電磁弁ＳＶ５はＯＮされて開状態とされ、第２電磁弁ＳＶ２および第４電磁弁ＳＶ４はＯＦＦされて閉状態とされる（図６参照）。そして、液側閉鎖弁２３３、第１ガス側閉鎖弁２３１、および第２ガス側閉鎖弁２３２は開状態とされる。
【００８２】
この冷媒回路２０の状態で、圧縮機２１１を起動すると、ガス冷媒が、圧縮機２１１に吸入されて圧縮された後、吐出管２２６、四路切換弁２１３、および第１ＢＬ接続点ＢＣ１を経由して室外熱交換器２１２に送られ、室外熱交換器２１２の外表面に付着している霜を融解するとともに凝縮されて液冷媒となる。
そして、室外熱交換器２１２で凝縮された液冷媒は、液側閉鎖弁２３３、第１ＩＬ接続点ＩＣ１、第５電磁弁ＳＶ５、第１ＨＬ接続点ＨＣ１を経由して第１電動膨張弁ＥＶ１に送られる。第１電動膨張弁ＥＶ１に送られた液冷媒は、減圧された後に室内熱交換器２７１に供給され、室内熱交換器２７１の周囲の空気を冷却するとともに蒸発されてガス冷媒となる。なお、この際、空調室内を積極的に冷房しないように、室内ファンは駆動しないように制御される。
【００８３】
そして、そのガス冷媒は、第２ＢＬ接続点ＢＣ２、第１電磁弁ＳＶ１、第２ＨＬ接続点ＨＣ２、第２ガス側閉鎖弁２３２、四路切換弁２１３、および気液分離器２１４を経由して、再び、圧縮機２１１に吸入される。
なお、このデフロスト運転は、室外熱交換器２１２の外表面の温度や外気温などのパラメータに基づいて切り換わるようなっている。また、このデフロスト運転は、室内熱交換器２７１に霜が付着しないように、暖房運転などとの間で間欠的に行われる。
【００８４】
（７）暖房兼デフロスト運転
暖房兼デフロスト運転時は、四路切換弁２１３が図５の実線で示される状態、すなわち、圧縮機２１１の吐出管２２６が室外熱交換器２１２のガス側に接続され、かつ、圧縮機２１１の吸入管２２５が気液分離器２１４を介して第２ガス側閉鎖弁２３２側に接続された状態となる。また、第１電動膨張弁ＥＶ１は全開状態とされ、第２電動膨張弁ＥＶ２は高圧制御（以下、ＨＰ制御という）される。なお、第２電動膨張弁ＥＶ２がＨＰ制御されると、第２電動膨張弁ＥＶ２の弁開度が、圧縮機２１１の吐出圧力が所定値以上となるように調節される。また、第１電磁弁ＳＶ１および第４電磁弁ＳＶ４はＯＦＦされて閉状態とされ、第２電磁弁ＳＶ２、第３電磁弁ＳＶ３、および第５電磁弁ＳＶ５はＯＮされて開状態とされる（図６参照）。そして、液側閉鎖弁２３３、第１ガス側閉鎖弁２３１、および第２ガス側閉鎖弁２３２は開状態とされる。
【００８５】
この冷媒回路２０の状態で、圧縮機２１１を起動すると、ガス冷媒が、圧縮機２１１に吸入されて圧縮された後、吐出管２２６および四路切換弁２１３を経由して第１ＢＬ接続点ＢＣ１に至る。そして、第１ＢＬ接続点ＢＣ１に至ったガス冷媒は、その後、第１ガス側閉鎖弁２３１、第２切換機構ＯＣ２、および第２ＢＬ接続点ＢＣ２を経由して室内熱交換器２７１に向かう経路である第３経路と、室外熱交換器２１２に向かう経路である第４経路とに分配される。
【００８６】
第３経路に分配されたガス冷媒は、室内熱交換器２７１において室内空気を加熱するとともに凝縮されて液冷媒となる。この液冷媒は、第１電動膨張弁ＥＶ１を経由して第１ＨＬ接続点ＨＣ１に至る。
一方、第４経路に分配されたガス冷媒は、室外熱交換器２１２の外表面に付着している霜を融解するとともに凝縮されて液冷媒となる。この液冷媒は、液側閉鎖弁２３３、第１ＩＬ接続点ＩＣ１、および第５電磁弁ＳＶ５を経由して第１ＨＬ接続点ＨＣ１に至る。
【００８７】
そして、第１電動膨張弁ＥＶ１を経由して第１ＨＬ接続点ＨＣ１に至った液冷媒と、液側閉鎖弁２３３、第１ＩＬ接続点ＩＣ１、および第５電磁弁ＳＶ５を経由して第１ＨＬ接続点ＨＣ１に至った液冷媒とは、第１ＨＬ接続点ＨＣ１において合流した後、第２電動膨張弁ＥＶ２を経由して蓄熱用熱交換器２４１に送られ、蓄熱用熱交換器２４１において温熱を蓄積している蓄熱用水によって蒸発されてガス冷媒となる。その後、そのガス冷媒は、第２ＩＬ接続点ＩＣ２、第３電磁弁ＳＶ３、第２ＨＬ接続点ＨＣ２、第２ガス側閉鎖弁２３２、四路切換弁２１３、および気液分離器２１４を経由して、吸入管２２５に戻り、再び、圧縮機２１１に吸入される。
【００８８】
なお、この冷媒回路２０には、暖房兼デフロスト運転時において室外熱交換器２１２に液冷媒が溜まるように冷媒が充填されている。このため、他の運転時においては冷媒が余剰となるが、この余剰冷媒は、主に、気液分離器２１４に貯留される。
また、この暖房兼デフロスト運転は、室外熱交換器２１２の外表面の温度や外気温などのパラメータに基づいて切り換わるようなっている。また、このデフロスト運転は、所定時間（例えば、１０分間）継続して行われる。
【００８９】
［空気調和装置の特徴］
（１）
第２実施形態に係る空気調和装置２では、暖房兼温蓄熱運転において圧縮機２１１から吐出されたガス冷媒（以下、吐出冷媒という）が室内熱交換器２７１と蓄熱用熱交換器２４１とに分配され、暖房兼デフロスト運転において吐出冷媒が室内熱交換器２７１と室外熱交換器２１２とに分配される。このため、この空気調和装置２では、暖房兼温蓄熱運転において室内熱交換器２７１と蓄熱用熱交換器２４１とに、暖房兼デフロスト運転において室内熱交換器２７１と室外熱交換器２１２とに適切な熱量を分配するのに、冷媒の分配比のみを考慮すればよい。したがって、この空気調和装置２では、比較的な簡単な制御により暖房兼温蓄熱運転および暖房兼デフロスト運転を行うことができる。
【００９０】
（２）
第２実施形態に係る空気調和装置２では、暖房兼温蓄熱運転において、室内熱交換器２７１から流出した冷媒と蓄熱用熱交換器２４１から流出した冷媒とが合流して室外熱交換器２１２を通って圧縮機２１１に吸入される。また、暖房兼デフロスト運転において、室内熱交換器２７１から流出した冷媒と室外熱交換器２１２から流出した冷媒とが合流して蓄熱用熱交換器２４１を通って圧縮機２１１に吸入される。このため、この空気調和装置２では、暖房兼温蓄熱運転において室内熱交換器２７１から流出した冷媒と蓄熱用熱交換器２４１から流出した冷媒とを室外熱交換器２１２で一括して蒸発させることができ、暖房兼デフロスト運転において室内熱交換器２７１から流出した冷媒と室外熱交換器２１２から流出した冷媒とを蓄熱用熱交換器２４１で一括して蒸発させることができる。したがって、この空気調和装置２では、冷媒回路２０の構成をシンプルにすることができる。
【００９１】
（３）
第２実施形態に係る空気調和装置２では、冷媒回路２０が、四路切換弁２１３および第１電磁弁ＳＶ１を有する。このため、この空気調和装置２では、暖房兼温蓄熱運転と暖房兼デフロスト運転との間で冷媒の流れを適切に制御することができる。
（４）
第２実施形態に係る空気調和装置２では、冷媒回路２０が、第１開閉機構ＯＣ１および第２開閉機構ＯＣ２により冷房運転にも切換可能であり、第２電磁弁ＳＶ２を有する。このため、この空気調和装置２では、暖房兼デフロスト運転と冷房運転との間で冷媒の流れを適切に制御することができる。
【００９２】
（５）
第２実施形態に係る空気調和装置２では、冷媒回路２０に、暖房兼デフロスト運転において室外熱交換器２１２に液状冷媒が溜まるように、冷媒が充填されている。このため、この空気調和装置２では、暖房兼デフロスト運転において、室内熱交換器２７１へ流れる吐出冷媒の凝縮温度および凝縮圧力の低下を抑えることができる。したがって、この空気調和装置２では、暖房兼デフロスト運転における室内熱交換器２７１の暖房能力の低下を抑えることができる。
【００９３】
（６）
第２実施形態に係る空気調和装置２では、蓄熱ユニットとして氷蓄熱ユニット２４が採用されているため、氷蓄熱運転および氷蓄熱利用冷房運転を行うことができる。このため、この空気調和装置２では、夏季など、冷房運転が必要となる環境において、電力ピークを調節することができる。
【００９４】
［変形例］
（Ａ）
第２実施形態に係る空気調和装置２の主冷媒回路２ａに配置される第１開閉機構ＯＣ１は、第１実施形態の変形例（Ａ）に示されるように、双方向電磁弁に置換されてもかまわない。また、第３開閉機構ＯＣ３および第５開閉機構ＯＣ５についても、同様に双方向電磁弁に置換されてもかまわない。
【００９５】
（Ｂ）
第２実施形態に係る空気調和装置２の主冷媒回路２ａに配置される第１開閉機構ＯＣ１および第２開閉機構ＯＣ２は、第１実施形態の変形例（Ｂ）に示されるように、四路切換弁およびキャピラリーチューブに置換されてもかまわない。
（Ｃ）
第２実施形態に係る空気調和装置２に代えて、図７に示されるような空気調和装置２Ａを採用しても本発明の作用効果と同様の作用効果を得ることができる。
【００９６】
第２実施形態に係る空気調和装置２では、冷媒回路２０を構成する主冷媒回路２ａにおいて第１ＨＬ接続点ＨＣ１と第１ＩＬ接続点ＩＣ１との間に第５開閉機構ＯＣ５が配置され、冷媒回路２０を構成する利用ライン２ｄにおいて第４開閉機構ＯＣ４が配置された。これに対し、本変形例に係る空気調和装置２Ａでは、主冷媒回路２Ａａと利用ライン２ｄとの接続点に四路切換弁２４３およびキャピラリーチューブ２４４が配置される。なお、この四路切換弁２４３およびキャピラリーチューブ２４４は、氷蓄熱ユニット２４Ａに属することとなる。また、この冷媒回路２０Ａにおいて、四路切換弁２４３は、冷房運転時、氷蓄熱運転時、暖房運転時、暖房兼温蓄熱運転時、デフロスト運転時、および暖房兼デフロスト運転時には図７の実線で示される状態にされ、氷蓄熱利用冷房運転時には図７の破線で示される状態にされる。
【００９７】
＜第３実施形態＞
本発明の一実施形態にかかる空気調和装置３の概略冷媒回路３０を図８に示す。
この空気調和装置３は、冷房運転および暖房運転のみならずデフロスト運転、暖房兼温蓄熱運転、および暖房兼デフロスト運転も可能な空気調和装置（冬季などにおいて気温が氷点下となるような寒冷地向けの空気調和装置）であって、主冷媒回路３ａ、バイパスライン３ｂ、および蓄熱ライン３ｃから構成される冷媒回路３０を備えている。
【００９８】
主冷媒回路３ａには主に、圧縮機３１１、四路切換弁３１３、室外熱交換器３１２、膨張回路（膨張機構）３１４、室内熱交換器３７１、および第１開閉機構ＯＣ１が配備されており、各機器は、図８に示されるように、冷媒配管を介して接続されている。
バイパスライン３ｂは、一端が四路切換弁３１３と室外熱交換器３１２のガス側とを接続する冷媒配管（以下、第１室外側冷媒ガス配管という）に、他端が第１開閉機構ＯＣ１と室内熱交換器３７１のガス側とを接続する冷媒配管（以下、室内側冷媒ガス配管という）に配管接続されることによって主冷媒回路３ａと接続されている。なお、以下、バイパスライン３ｂと第１室外側冷媒ガス配管との接続点を第１ＢＬ接続点ＢＣ１といい、バイパスライン３ｂと室内側冷媒ガス配管との接続点を第２ＢＬ接続点ＢＣ２という。そして、このバイパスライン３ｂには、第２開閉機構ＯＣ２が配備されている。
【００９９】
蓄熱ライン３ｃは、一端が膨張回路３１４と室内熱交換器３７１の液側とを接続する冷媒配管（以下、室外側冷媒液配管という）に、他端が第１開閉機構ＯＣ１と四路切換弁３１３とを接続する冷媒配管（以下、第２室外側冷媒ガス配管という）に配管接続されることによって主冷媒回路３ａと接続されている。なお、以下、蓄熱ライン３ｃと室外側冷媒液配管との接続点を第１ＨＬ接続点ＨＣ１といい、蓄熱ライン１ｃと第２室外側冷媒ガス配管との接続点を第２ＨＬ接続点ＨＣ２という。そして、この蓄熱ライン３ｃには蓄熱用熱交換器３４１および第２電動膨張弁ＥＶ２が配備されており、各機器が第２ＨＬ接続点ＨＣ２から第１ＨＬ接続点ＨＣ１に向かって上記の順に冷媒配管を介して接続されている。
【０１００】
また、本実施形態では、空気調和装置３は、分離型の空気調和装置であって、室内熱交換器３７１、冷媒ガス配管３８１、および冷媒液配管３８２を主に有する室内ユニット３７と、蓄熱用熱交換器３４１、蓄熱槽３４２、第２電動膨張弁ＥＶ２、第１開閉機構ＯＣ１、第２開閉機構ＯＣ２、第１冷媒ガス配管３５１、第２冷媒ガス配管３５３、および冷媒液配管３５２を主に有する蓄熱ユニット３４と、圧縮機３１１、四路切換弁３１３、室外熱交換器３１２、膨張回路３１４、第１冷媒ガス配管３２１、第２冷媒ガス配管３２３、および冷媒液配管３２２を主に有する室外ユニット３１と、室内ユニット３７の冷媒液配管３８２と蓄熱ユニット３４の冷媒液配管３５２とを接続する第１冷媒連絡配管３８７と、室内ユニット３７の冷媒ガス配管３８１と蓄熱ユニット３４の冷媒ガス配管３５１とを接続する第２冷媒連絡配管３８６と、蓄熱ユニット３４の冷媒液配管３５２と室外ユニット３１の冷媒液配管３２２とを接続する第３冷媒連絡配管３３７と、蓄熱ユニット３４の第１冷媒ガス配管３５１と室外ユニット３１の第１冷媒ガス配管３２１とを接続する第４冷媒連絡配管３３６と、蓄熱ユニット３４の第２冷媒ガス配管３５３と室外ユニット３１の第２冷媒ガス配管３２３とを接続する第５冷媒連絡配管３３５とから構成されているともいえる。なお、室外ユニット３１の冷媒液配管３２２と第３冷媒連絡配管３３７とは室外ユニット３１の液側閉鎖弁３３３を介して、室外ユニット３１の第１冷媒ガス配管３２１と第４冷媒連絡配管３３６とは室外ユニット３１の第２ガス側閉鎖弁３３２を介して、室外ユニット３１の第２冷媒ガス配管３２３と第５冷媒連絡配管３３５とは室外ユニット３１の第１ガス側閉鎖弁３３１を介してそれぞれ接続されている。
【０１０１】
なお、このように本実施形態にかかる空気調和装置３をユニット単位で見た場合、第１ＢＬ接続点ＢＣ１は室外ユニット３１に属し、第２ＢＬ接続点ＢＣ２、第１ＨＬ接続点ＨＣ１、および第２ＨＬ接続点ＨＣ２は蓄熱ユニット３４に属する。
（１）室内ユニット
室内ユニット３７は、主に、室内熱交換器３７１、室内ファン（図示せず）、冷媒ガス配管３８１、および冷媒液配管３８２を有している。
【０１０２】
室内熱交換器３７１は、空調室内の空気である室内空気と冷媒との間で熱交換をさせるための熱交換器である。
室内ファンは、ユニット３７内に空調室内の空気を取り込み、室内熱交換器３７１を介して冷媒と熱交換した後の空気である調和空気を再び空調室内への送り出すためファンである。
【０１０３】
そして、この室内ユニット３７は、このような構成を採用することによって、冷房運転時には室内ファンにより内部に取り込んだ室内空気と室内熱交換器３７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器３７１を流れるガス冷媒とを熱交換させて調和空気（暖気）を生成することが可能となっている。
【０１０４】
（２）蓄熱ユニット
蓄熱ユニット３４は、主に、蓄熱用熱交換器３４１、蓄熱槽３４２、第２電動膨張弁ＥＶ２、第１開閉機構ＯＣ１、第２開閉機構ＯＣ２、第１冷媒ガス配管３５１、第２冷媒ガス配管３５３、および冷媒液配管３５２を有している。
蓄熱用熱交換器３４１は、蓄熱槽３４２に蓄えられている蓄熱材（例えば、ポリエチレングリコール、トレイトール、パラフィン、酢酸ナトリウム３水和物、硫酸ナトリウム１０水和物など）と冷媒との間で熱交換をさせるための熱交換器である。
【０１０５】
第１開閉機構ＯＣ１は、開閉可能な第１電磁弁ＳＶ１および第１逆止弁３６１を有している。この第１開閉機構ＯＣ１では、第１電磁弁ＳＶ１と第１逆止弁３６１とが冷媒流れに対して並列に配置される。また、この第１逆止弁３６１は、各ユニット３１，３４，３７が接続された状態において第２ガス側閉鎖弁３３２から第２ＢＬ接続点ＢＣ２に向かう冷媒の流れのみを許容するように取り付けられている。
【０１０６】
第２開閉機構ＯＣ２は、開閉可能な第２電磁弁ＳＶ２および第２逆止弁３６２を有している。この第２開閉機構ＯＣ２では、第２電磁弁ＳＶ２と第２逆止弁３６２とが冷媒流れに対して直列に配置される。なお、この際、第２電磁弁ＳＶ２は第１ＢＬ接続点ＢＣ１側に、第２逆止弁３６２は第２ＢＬ接続点ＢＣ２側に配置される。また、この第２逆止弁３６２は、各ユニット３１，３４，３７が接続された状態において第１ガス側閉鎖弁３３１から第２ＢＬ接続点ＢＣ２に向かう冷媒の流れのみを許容するように取り付けられている。
【０１０７】
そして、この蓄熱ユニット３４は、このような構成を採用することによって、暖房兼温蓄熱運転時には蓄熱用熱交換器３４１を流れるガス冷媒の温熱を蓄熱材に蓄積させ、暖房兼デフロスト運転時には蓄熱用熱交換器３４１を流れる液冷媒に蓄熱材に蓄積される温熱を供給することによってその液冷媒を蒸発させることが可能となっている。なお、この蓄熱材は、融点がおよそ３０℃から４０℃であり、潜熱として温熱を蓄積することが可能となっている。
【０１０８】
（３）室外ユニット
室外ユニット３１は、主に、四路切換弁３１３、圧縮機３１１、室外熱交換器３１２、膨張回路３１４、第１冷媒ガス配管３２１、第２冷媒ガス配管３２３、および冷媒液配管３２２を有している。
圧縮機３１１は、吸入管３２５を流れる低圧のガス冷媒を吸入して圧縮した後、吐出管３２６に吐出するための機器である。本実施形態において、圧縮機３１１は、スクロール式やロータリ式等の容積式の圧縮機である。
【０１０９】
四路切換弁３１３は、各運転に対応して、冷媒の流れ方向を切り換えるための弁であり、冷房運転時、デフロスト運転時、および暖房兼デフロスト運転時には圧縮機３１１の吐出管３２６と室外熱交換器３１２のガス側とを接続するとともに圧縮機３１１の吸入管３２５と第２ガス側閉鎖弁３３２とを介して接続し、暖房運転時および暖房兼温蓄熱運転時には圧縮機３１１の吐出管３２６と第２ガス側閉鎖弁３３２とを接続するとともに圧縮機３１１の吸入管３２５と室外熱交換器３１２のガス側とを接続することが可能である。
【０１１０】
室外熱交換器３１２は、冷房運転時において、圧縮機３１１から吐出された高圧のガス冷媒を空調室外の空気を熱源として凝縮させることが可能であり、暖房運転時には室内熱交換器３７１から戻る液冷媒を、暖房兼温蓄熱運転時には室内熱交換器３７１および蓄熱用熱交換器３４１から戻る液冷媒を蒸発させることが可能である。
膨張回路３１４は、液側閉鎖弁３３３と室外熱交換器３１２との間に接続され、室内熱交換器３７１と室外熱交換器３１２との間を流れる冷媒を減圧するための回路であり、ブリッジ回路７３と、ブリッジ回路７３に接続される連絡回路７５とから構成されている。ブリッジ回路７３は、本実施形態において、４つの逆止弁７４ａ〜７４ｄから構成されており、冷房運転時、デフロスト運転時、および暖房兼デフロスト運転時には、熱源側熱交換器３１２側からの冷媒を連絡回路７５に流入させた後、液側閉鎖弁３３３側に流通させることが可能であり、暖房運転時および暖房兼温蓄熱運転時には、液側閉鎖弁３３３側からの冷媒を連絡回路７５に流入させた後、室外熱交換器３１２側に流通させることが可能である。また、連絡回路７５には、液冷媒を一時的に溜めることが可能なレシーバ７１と、弁開度の調節が可能な電動膨張弁ＥＶ１とが配備されている。
【０１１１】
［空気調和装置の動作］
空気調和装置３の運転動作について、図８および図９を用いて説明する。この空気調和装置３は、上述したように冷房運転、暖房運転、暖房兼温蓄熱運転、デフロスト運転、および暖房兼デフロスト運転を行うことが可能である。
（１）冷房運転
冷房運転時は、四路切換弁１１３が図８の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は過熱度制御（以下、ＳＨ制御という）され、第２電動膨張弁ＥＶ２は全閉状態とされる。なお、第１電動膨張弁ＥＶ１がＳＣ制御されると、第１電動膨張弁ＥＶ１の弁開度が、室内熱交換器３７１のガス側における冷媒の温度から室内熱交換器３７１の液側における冷媒の温度を引いた差分が一定の正の値（例えば、＋５℃）となるように調節される。また、第１電磁弁ＳＶ１はＯＮされて開状態とされ、第２電磁弁ＳＶ２はＯＦＦされて閉状態とされる（図９参照）。そして、液側閉鎖弁３３３、第１ガス側閉鎖弁３３１、および第２ガス側閉鎖弁３３２は開状態とされる。
【０１１２】
この冷媒回路３０の状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２において凝縮されて液冷媒となる。
そして、この液冷媒は、膨張回路３１４に送られる。この膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃ、液側閉鎖弁３３３、および第１ＨＬ接続点ＨＣ１を経由して室内熱交換器３７１に供給される。
【０１１３】
そして、室内熱交換器３７１に供給された液冷媒は、室内熱交換器３７１において室内空気を冷却するとともに蒸発されてガス冷媒となる。このガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。このようにして、冷房運転が行われる。
【０１１４】
（２）暖房運転
暖房運転時は、四路切換弁３１３が図８の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１および第２電磁弁ＳＶ２は、ＯＦＦされて閉状態とされる（図９参照）。そして、液側閉鎖弁３３３、第１ガス側閉鎖弁３３１、および第２ガス側閉鎖弁３３２は開状態とされる。
【０１１５】
この冷媒回路３０の状態で、圧縮機３１１を起動すると、ガス冷媒が、圧縮機３１１に吸入されて圧縮された後、吐出管３２６、四路切換弁３１３、第２ガス側閉鎖弁３３２、第２ＨＬ接続点ＨＣ２、第１逆止弁３６１、および第２ＢＬ接続点ＢＣ２を経由して、室内熱交換器３７１に供給される。
そして、そのガス冷媒は、室内熱交換器３７１において室内空気を加熱するとともに凝縮されて液冷媒となる。この液冷媒は、第１ＨＬ接続点ＨＣ１および液側閉鎖弁３３３を経由して膨張回路３１４に送られる。この膨張回路３１４に送られた液冷媒は、ブリッジ回路７３の逆止弁７４ａを介して、連絡回路７５に送られてレシーバ７１で一時的に溜められる。このレシーバ７１で溜められた液冷媒は、第１電動膨張弁ＥＶ１で減圧された後、ブリッジ回路７３の逆止弁７４ｄを介して、室外熱交換器３１２に送られ、室外熱交換器３１２において蒸発されてガス冷媒となる。このガス冷媒は、第１ＢＬ接続点ＢＣ１、および四路切換弁３１３を経由して、吸入管３２５に戻り、再び、圧縮機３１１に吸入される。このようにして、暖房運転が行われる。
【０１１６】
（３）暖房兼温蓄熱運転
暖房兼温蓄熱運転時は、四路切換弁３１３が図８の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は所定の開度を維持する状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１および第２電磁弁ＳＶ２はＯＦＦされて閉状態とされる（図９参照）。そして、液側閉鎖弁３３３、第１ガス側閉鎖弁３３１、および第２ガス側閉鎖弁３３２は開状態とされる。
【０１１７】
この冷媒回路３０の状態で、圧縮機３１１を起動すると、ガス冷媒が、圧縮機３１１に吸入されて圧縮された後、吐出管３２６、四路切換弁３１３、および第２ガス側閉鎖弁３３２を経由して第２ＨＬ接続点ＨＣ２に至る。そして、第２ＨＬ接続点ＨＣ２に至ったガス冷媒は、その後、第１逆止弁３６１および第２ＢＬ接続点ＢＣ２を経由して室内熱交換器３７１に向かう経路である第１経路と、蓄熱用熱交換器３４１に向かう経路である第２経路とに分配される。
【０１１８】
第１経路に分配されたガス冷媒は、室内熱交換器３７１において室内空気を加熱するとともに凝縮されて液冷媒となり、第１ＨＬ接続点ＨＣ１に至る。
一方、第２経路に分配されたガス冷媒は、蓄熱用熱交換器３４１において蓄熱材を加熱するとともに凝縮されて液冷媒となる。この際、蓄熱材は、固相から液相に相転移し、ガス冷媒から供給される温熱を主に潜熱として蓄積する。その後、この液冷媒は、第２電動膨張弁ＥＶ２に送られる。第２電動膨張弁ＥＶ２に送られた液冷媒は、減圧された後に第１ＨＬ接続点ＨＣ１に送られる。
【０１１９】
そして、室内熱交換器３７１から第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、液側閉鎖弁３３３を経由して膨張回路３１４に送られる。この膨張回路３１４に送られた液冷媒は、ブリッジ回路７３の逆止弁７４ａを介して、連絡回路７５に送られてレシーバ７１で一時的に溜められる。このレシーバ７１で溜められた液冷媒は、第１電動膨張弁ＥＶ１で減圧された後、ブリッジ回路７３の逆止弁７４ｄを介して、室外熱交換器３１２に送られ、室外熱交換器３１２において蒸発されてガス冷媒となる。このガス冷媒は、第１ＢＬ接続点ＢＣ１、および四路切換弁３１３を経由して、吸入管３２５に戻り、再び、圧縮機３１１に吸入される。このようにして、暖房運転が行われる。
【０１２０】
なお、この暖房兼温蓄熱運転は、主に、空気調和装置３の起動時に行われ、蓄熱槽３４２に設けられている蓄熱材の温度検出用の温度センサの値が所定値以上になると自動的に暖房運転に切り換わるようになっている。
（４）デフロスト運転
デフロスト運転時は、四路切換弁３１３が図８の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は所定の開度を維持する状態とされ、第２電動膨張弁ＥＶ２は全閉状態とされる。また、第１電磁弁ＳＶ１はＯＮされて開状態とされ、第２電磁弁ＳＶ２はＯＦＦされて閉状態とされる（図９参照）。そして、液側閉鎖弁３３３、第１ガス側閉鎖弁３３１、および第２ガス側閉鎖弁３３２は開状態とされる。
【０１２１】
この冷媒回路３０の状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２の外表面に付着している霜を融解するとともに凝縮されて液冷媒となる。
そして、この液冷媒は、膨張回路３１４に送られる。この膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃ、液側閉鎖弁３３３、および第１ＨＬ接続点ＨＣ１を経由して室内熱交換器３７１に供給される。
【０１２２】
そして、室内熱交換器３７１に供給された液冷媒は、室内熱交換器３７１の周囲の空気を冷却するとともに蒸発されてガス冷媒となる。なお、この際、空調室内を積極的に冷房しないように、室内ファンが駆動しないように制御される。
そして、このガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。
【０１２３】
なお、このデフロスト運転は、室外熱交換器１１２の外表面の温度や外気温などのパラメータに基づいて切り換わるようなっている。また、このデフロスト運転は、室内熱交換器１７１に霜が付着しないように、暖房運転などとの間で間欠的に行われる。
（５）暖房兼デフロスト運転
暖房兼デフロスト運転時は、四路切換弁３１３が図８の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は所定の開度を維持する状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器３４１の第２ＨＬ接続点ＨＣ２側における冷媒の温度から蓄熱用熱交換器３４１の第２電動膨張弁ＥＶ２側における冷媒の温度を引いた差分が一定の正の値（例えば、＋５℃）となるように調節される。また、第１電磁弁ＳＶ１はＯＦＦされて閉状態とされ、第２電磁弁ＳＶ２はＯＮされて開状態とされる（図９参照）。そして、液側閉鎖弁３３３、第１ガス側閉鎖弁３３１、および第２ガス側閉鎖弁３３２は開状態とされる。
【０１２４】
この冷媒回路３０の状態で、圧縮機３１１を起動すると、ガス冷媒が、圧縮機３１１に吸入されて圧縮された後、吐出管３２６および四路切換弁３１３を経由して第１ＢＬ接続点ＢＣ１に至る。そして、第１ＢＬ接続点ＢＣ１に至ったガス冷媒は、その後、第１ガス側閉鎖弁３３１、第２切換機構ＯＣ２、および第２ＢＬ接続点ＢＣ２を経由して室内熱交換器３７１に向かう経路である第３経路と、室外熱交換器３１２に向かう経路である第４経路とに分配される。
【０１２５】
第３経路に分配されたガス冷媒は、室内熱交換器３７１において室内空気を加熱するとともに凝縮されて液冷媒となり、第１ＨＬ接続点ＨＣ１に至る。
一方、第４経路に分配されたガス冷媒は、室外熱交換器３１２の外表面に付着している霜を融解するとともに凝縮されて液冷媒となった後、膨張回路３１４に送られる。この膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃおよび液側閉鎖弁３３３を経由して第１ＨＬ接続点ＨＣ１に至る。
【０１２６】
そして、室内熱交換器３７１から第１ＨＬ接続点ＨＣ１に至った液冷媒と、ブリッジ回路７３の逆止弁７４ｃおよび液側閉鎖弁３３３を経由して第１ＨＬ接続点ＨＣ１に至った液冷媒とは、第１ＨＬ接続点ＨＣ１において合流し、第２電動膨張弁ＥＶ２で減圧された後、蓄熱用熱交換器３４１に送られ、蓄熱用熱交換器３４１において温熱を蓄積している蓄熱材によって蒸発されてガス冷媒となる。その後、そのガス冷媒は、第２ＨＬ接続点ＨＣ２、第２ガス側閉鎖弁３３２、および四路切換弁３１３を経由して、吸入管３２５に戻り、再び、圧縮機３１１に吸入される。
【０１２７】
なお、この冷媒回路３０には、暖房兼デフロスト運転時において室外熱交換器３１２に液冷媒が溜まるように冷媒が充填されている。このため、他の運転時においては冷媒が余剰となるが、この余剰冷媒は、主に、レシーバ７１に貯留される。
また、この暖房兼デフロスト運転は、室外熱交換器３１２の外表面の温度や外気温などのパラメータに基づいて切り換わるようなっている。また、このデフロスト運転は、所定時間（例えば、１０分間）継続して行われる。
【０１２８】
［空気調和装置の特徴］
（１）
第３実施形態に係る空気調和装置３では、暖房兼温蓄熱運転において圧縮機３１１から吐出されたガス冷媒（以下、吐出冷媒という）が室内熱交換器３７１と蓄熱用熱交換器３４１とに分配され、暖房兼デフロスト運転において吐出冷媒が室内熱交換器３７１と室外熱交換器３１２とに分配される。このため、この空気調和装置３では、暖房兼温蓄熱運転において室内熱交換器３７１と蓄熱用熱交換器３４１とに、暖房兼デフロスト運転において室内熱交換器３７１と室外熱交換器３１２とに適切な熱量を分配するのに、冷媒の分配比のみを考慮すればよい。したがって、この空気調和装置３では、比較的な簡単な制御により暖房兼温蓄熱運転および暖房兼デフロスト運転を行うことができる。
【０１２９】
（２）
第３実施形態に係る空気調和装置３では、暖房兼温蓄熱運転において、室内熱交換器３７１から流出した冷媒と蓄熱用熱交換器３４１から流出した冷媒とが合流して室外熱交換器３１２を通って圧縮機３１１に吸入される。また、暖房兼デフロスト運転において、室内熱交換器３７１から流出した冷媒と室外熱交換器３１２から流出した冷媒とが合流して蓄熱用熱交換器３４１を通って圧縮機３１１に吸入される。このため、この空気調和装置３では、暖房兼温蓄熱運転において室内熱交換器３７１から流出した冷媒と蓄熱用熱交換器３４１から流出した冷媒とを室外熱交換器３１２で一括して蒸発させることができ、暖房兼デフロスト運転において室内熱交換器３７１から流出した冷媒と室外熱交換器３１２から流出した冷媒とを蓄熱用熱交換器３４１で一括して蒸発させることができる。したがって、この空気調和装置３では、冷媒回路３０の構成をシンプルにすることができる。
【０１３０】
（３）
第３実施形態に係る空気調和装置３では、冷媒回路３０が、四路切換弁３１３および第１電磁弁ＳＶ１を有する。このため、この空気調和装置３では、暖房兼温蓄熱運転と暖房兼デフロスト運転との間で冷媒の流れを適切に制御することができる。
（４）
第３実施形態に係る空気調和装置３では、冷媒回路３０が、第１開閉機構ＯＣ１および第２開閉機構ＯＣ２により冷房運転にも切換可能であり、第２電磁弁ＳＶ２を有する。このため、この空気調和装置３では、暖房兼デフロスト運転と冷房運転との間で冷媒の流れを適切に制御することができる。
【０１３１】
（５）
第３実施形態に係る空気調和装置３では、冷媒回路３０に、暖房兼デフロスト運転において室外熱交換器３１２に液状冷媒が溜まるように、冷媒が充填されている。このため、この空気調和装置３では、暖房兼デフロスト運転において、室内熱交換器３７１へ流れる吐出冷媒の凝縮温度および凝縮圧力の低下を抑えることができる。したがって、この空気調和装置３では、暖房兼デフロスト運転における室内熱交換器３７１の暖房能力の低下を抑えることができる。
【０１３２】
［変形例］
（Ａ）
第３実施形態に係る空気調和装置３の主冷媒回路３ａに配置される第１開閉機構ＯＣ１は、第１実施形態の変形例（Ａ）に示されるように、双方向電磁弁に置換されてもかまわない。
【０１３３】
（Ｂ）
第３実施形態に係る空気調和装置３の主冷媒回路３ａに配置される第１開閉機構ＯＣ１および第２開閉機構ＯＣ２は、第１実施形態の変形例（Ｂ）に示されるように、四路切換弁およびキャピラリーチューブに置換されてもかまわない。
＜第４実施形態＞
［空気調和装置の構成］
本発明の一実施形態にかかる空気調和装置３Ａの概略冷媒回路３０Ａを図１０に示す。
【０１３４】
この空気調和装置３Ａは、冷房運転および暖房運転のみならずデフロスト運転、暖房兼温蓄熱運転、および暖房兼デフロスト運転も可能な空気調和装置（冬季などにおいて気温が氷点下となるような寒冷地向けの空気調和装置）であって、主冷媒回路３０ａ、バイパスライン３０ｂ、蓄熱ライン３０ｃ、およびガス抜きライン３０ｄから構成される冷媒回路３０Ａを備えている。
【０１３５】
主冷媒回路３０ａには主に、圧縮機３１１、四路切換弁３１３、室外熱交換器３１２、第１電動膨張弁ＥＶ１、室内熱交換器３７１、および第１開閉機構ＯＣ１が配備されており、各機器は、図１０に示されるように、冷媒配管を介して接続されている。
バイパスライン３０ｂは、一端が四路切換弁３１３と室外熱交換器３１２のガス側とを接続する冷媒配管（以下、第１室外側冷媒ガス配管という）に、他端が第１開閉機構ＯＣ１と室内熱交換器３７１のガス側とを接続する冷媒配管（以下、室内側冷媒ガス配管という）に配管接続されることによって主冷媒回路３０ａと接続されている。なお、以下、バイパスライン３０ｂと第１室外側冷媒ガス配管との接続点を第１ＢＬ接続点ＢＣ１といい、バイパスライン３０ｂと室内側冷媒ガス配管との接続点を第２ＢＬ接続点ＢＣ２という。そして、このバイパスライン３０ｂには、第２開閉機構ＯＣ２が配備されている。
【０１３６】
蓄熱ライン３０ｃは、一端が第１電動膨張弁ＥＶ１と室内熱交換器３７１とを接続する冷媒配管（以下、室内側冷媒液配管という）に、他端が第１開閉機構ＯＣ１と四路切換弁３１３とを接続する冷媒配管（以下、第２室外側冷媒ガス配管という）に配管接続されることによって主冷媒回路３０ａと接続されている。なお、以下、蓄熱ライン３０ｃと室内側冷媒液配管との接続点を第１ＨＬ接続点ＨＣ１といい、蓄熱ライン３０ｃと第２室外側冷媒ガス配管との接続点を第２ＨＬ接続点ＨＣ２という。そして、この蓄熱ライン３０ｃには第３開閉機構ＯＣ３、蓄熱用熱交換器３４１、モジュレータ３４３、および第２電動膨張弁ＥＶ２が配備されており、各機器が第２ＨＬ接続点ＨＣ２から第１ＨＬ接続点ＨＣ１に向かって上記の順に冷媒配管を介して接続されている。
【０１３７】
ガス抜きライン３０ｄは、一端がモジュレータ３４３の上部に、他端が第３開閉機構ＯＣ３と第２ＨＬ接続点ＨＣ２とを接続する冷媒配管（以下、ガス管側バイパス配管という）に配管接続されることによって主冷媒回路３０ａおよび蓄熱ライン３０ｃと接続されている。なお、以下、ガス抜きライン３０ｄとガス管側バイパス配管との接続点をＧＬ接続点ＧＣという。そして、このガス抜きライン３０ｄには、キャピラリーチューブ３６４が配備されている。
【０１３８】
また、本実施形態では、空気調和装置３Ａは、分離型の空気調和装置であって、室内熱交換器３７１、冷媒ガス配管３８１、および冷媒液配管３８２を主に有する室内ユニット３７ａと、蓄熱用熱交換器３４１、蓄熱槽３４２、第２電動膨張弁ＥＶ２、モジュレータ３４３、キャピラリーチューブ３６４、第１開閉機構ＯＣ１、第２開閉機構ＯＣ２、第３開閉機構ＯＣ３、第１冷媒ガス配管３５１、第２冷媒ガス配管３５３、および冷媒液配管３５２を主に有する蓄熱ユニット３４Ａと、圧縮機３１１、四路切換弁３１３、室外熱交換器３１２、第１電動膨張弁ＥＶ１、第１冷媒ガス配管３２１、第２冷媒ガス配管３２３、および冷媒液配管３２２を主に有する室外ユニット３１Ａと、室内ユニット３７ａの冷媒液配管３８２と蓄熱ユニット３４Ａの冷媒液配管３５２とを接続する第１冷媒連絡配管３８７と、室内ユニット３７ａの冷媒ガス配管３８１と蓄熱ユニット３４Ａの冷媒ガス配管３５１とを接続する第２冷媒連絡配管３８６と、蓄熱ユニット３４Ａの冷媒液配管３５２と室外ユニット３１Ａの冷媒液配管３２２とを接続する第３冷媒連絡配管３３７と、蓄熱ユニット３４Ａの第１冷媒ガス配管３５１と室外ユニット３１Ａの第１冷媒ガス配管３２１とを接続する第４冷媒連絡配管３３６と、蓄熱ユニット３４Ａの第２冷媒ガス配管３５３と室外ユニット３１Ａの第２冷媒ガス配管３２３とを接続する第５冷媒連絡配管３３５とから構成されているともいえる。なお、室外ユニット３１Ａの冷媒液配管３２２と第３冷媒連絡配管３３７とは室外ユニット３１Ａの液側閉鎖弁３３３を介して、室外ユニット３１Ａの第１冷媒ガス配管３２１と第４冷媒連絡配管３３６とは室外ユニット３１Ａの第２ガス側閉鎖弁３３２を介して、室外ユニット３１Ａの第２冷媒ガス配管３２３と第５冷媒連絡配管３３５とは室外ユニット３１Ａの第１ガス側閉鎖弁３３１を介してそれぞれ接続されている。
【０１３９】
なお、このように本実施形態にかかる空気調和装置３Ａをユニット単位で見た場合、第１ＢＬ接続点ＢＣ１は室外ユニット３１Ａに属し、第２ＢＬ接続点ＢＣ２、第１ＨＬ接続点ＨＣ１、第２ＨＬ接続点ＨＣ２、ＧＬ接続点ＧＣは蓄熱ユニット３４Ａに属する。
（１）室内ユニット
室内ユニット３７ａは、主に、室内熱交換器３７１、室内ファン（図示せず）、冷媒ガス配管３８１、および冷媒液配管３８２を有している。
【０１４０】
室内熱交換器３７１は、空調室内の空気である室内空気と冷媒との間で熱交換をさせるための熱交換器である。
室内ファンは、ユニット３７ａ内に空調室内の空気を取り込み、室内熱交換器３７１を介して冷媒と熱交換した後の空気である調和空気を再び空調室内への送り出すためファンである。
【０１４１】
そして、この室内ユニット３７ａは、このような構成を採用することによって、冷房運転時には室内ファンにより内部に取り込んだ室内空気と室内熱交換器３７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器３７１を流れるガス冷媒とを熱交換させて調和空気（暖気）を生成することが可能となっている。
【０１４２】
（２）蓄熱ユニット
蓄熱ユニット３４Ａは、主に、蓄熱用熱交換器３４１、蓄熱槽３４２、第２電動膨張弁ＥＶ２、モジュレータ３４３、キャピラリーチューブ３６４、第１開閉機構ＯＣ１、第２開閉機構ＯＣ２、第３開閉機構ＯＣ３、第１冷媒ガス配管３５１、第２冷媒ガス配管３５３、および冷媒液配管３５２を有している。
【０１４３】
蓄熱用熱交換器３４１は、蓄熱槽３４２に蓄えられている蓄熱材（例えば、ポリエチレングリコール、トレイトール、パラフィン、酢酸ナトリウム３水和物、硫酸ナトリウム１０水和物など）と冷媒との間で熱交換をさせるための熱交換器である。
モジュレータ３４３は、余剰冷媒を貯留するための器である。この冷媒回路３０Ａには、暖房兼デフロスト運転時において室外熱交換器３１２に液冷媒が溜まるように冷媒が充填されている。このため、他の運転時においては冷媒が余剰となる。この余剰冷媒を貯留するのが本モジュレータ３４３の役目である。
【０１４４】
第１開閉機構ＯＣ１は、開閉可能な第１電磁弁ＳＶ１および第１逆止弁３６１を有している。この第１開閉機構ＯＣ１では、第１電磁弁ＳＶ１と第１逆止弁３６１とが冷媒流れに対して並列に配置される。また、この第１逆止弁３６１は、各ユニット３１ａ，３４Ａ，３７ａが接続された状態において第２ガス側閉鎖弁３３２から第２ＢＬ接続点ＢＣ２に向かう冷媒の流れのみを許容するように取り付けられている。
【０１４５】
第２開閉機構ＯＣ２は、開閉可能な第２電磁弁ＳＶ２および第２逆止弁３６２を有している。この第２開閉機構ＯＣ２では、第２電磁弁ＳＶ２と第２逆止弁３６２とが冷媒流れに対して直列に配置される。なお、この際、第２電磁弁ＳＶ２は第１ＢＬ接続点ＢＣ１側に、第２逆止弁３６２は第２ＢＬ接続点ＢＣ２側に配置される。また、この第２逆止弁３６２は、各ユニット３１ａ，３４Ａ，３７ａが接続された状態において第１ガス側閉鎖弁３３１から第２ＢＬ接続点ＢＣ２に向かう冷媒の流れのみを許容するように取り付けられている。
【０１４６】
第３開閉機構ＯＣ３は、開閉可能な第３電磁弁ＳＶ３および第３逆止弁３６３を有している。この第３開閉機構ＯＣ３では、第３電磁弁ＳＶ３と第３逆止弁３６３とが冷媒流れに対して並列に配置される。また、この第３逆止弁３６３は、ＧＬ接続点ＧＣから蓄熱用
熱交換器３４１に向かう冷媒の流れのみを許容するように取り付けられている。
そして、この蓄熱ユニット３４Ａは、このような構成を採用することによって、暖房兼温蓄熱運転時には蓄熱用熱交換器３４１を流れるガス冷媒の温熱を蓄熱材に蓄積させ、また、暖房兼デフロスト運転時には蓄熱用熱交換器３４１を流れる液冷媒に蓄熱材に蓄積される温熱を供給することによってその液冷媒を蒸発させることが可能となっている。なお、この蓄熱材は、融点がおよそ３０℃から４０℃であり、潜熱として温熱を蓄積することが可能となっている。
【０１４７】
（３）室外ユニット
室外ユニット３１Ａは、主に、四路切換弁３１３、圧縮機３１１、室外熱交換器３１２、第１電動膨張弁ＥＶ１、第１冷媒ガス配管３２１、第２冷媒ガス配管３２３、および冷媒液配管３２２を有している。
圧縮機３１１は、吸入管３２５を流れる低圧のガス冷媒を吸入して圧縮した後、吐出管３２６に吐出するための機器である。本実施形態において、圧縮機３１１は、スクロール式やロータリ式等の容積式の圧縮機である。
【０１４８】
四路切換弁３１３は、各運転に対応して、冷媒の流れ方向を切り換えるための弁であり、冷房運転時、デフロスト運転時、および暖房兼デフロスト運転時には圧縮機３１１の吐出管３２６と室外熱交換器３１２のガス側とを接続するとともに圧縮機３１１の吸入管３２５と第２ガス側閉鎖弁３３２とを接続し、暖房運転時および暖房兼温蓄熱運転時には圧縮機３１１の吐出管３２６と第２ガス側閉鎖弁３３２とを接続するとともに圧縮機３１１の吸入管３２５と室外熱交換器３１２のガス側とを接続することが可能である。
【０１４９】
室外熱交換器３１２は、冷房運転時において、圧縮機３１１から吐出された高圧のガス冷媒を空調室外の空気を熱源として凝縮させることが可能であり、暖房運転時には室内熱交換器３７１から戻る液冷媒を、暖房兼温蓄熱運転時には室内熱交換器３７１および蓄熱用熱交換器３４１から戻る液冷媒を蒸発させることが可能である。
［空気調和装置の動作］
空気調和装置３Ａの運転動作について、図１０および図１１を用いて説明する。この空気調和装置３Ａは、上述したように冷房運転、暖房運転、暖房兼温蓄熱運転、デフロスト運転、および暖房兼デフロスト運転を行うことが可能である。
【０１５０】
（１）冷房運転
冷房運転時は、四路切換弁３１３が図１０の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は過熱度制御（以下、ＳＨ制御という）され、第２電動膨張弁ＥＶ２は全開状態とされる。なお、第１電動膨張弁ＥＶ１がＳＨ制御されると、第１電動膨張弁ＥＶ１の弁開度が、室内熱交換器３７１のガス側における冷媒の温度から室内熱交換器３７１の液側における冷媒の温度を引いた差分が一定の正の値（例えば、＋５℃）となるように調節される。また、第１電磁弁ＳＶ１はＯＮされて開状態とされ、第２電磁弁ＳＶ２および第３電磁弁ＳＶ３はＯＦＦされて閉状態とされる（図１１参照）。そして、液側閉鎖弁３３３、第１ガス側閉鎖弁３３１、および第２ガス側閉鎖弁３３２は開状態とされる。
【０１５１】
この冷媒回路３０Ａの状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２において凝縮されて液冷媒となる。
そして、この液冷媒は、第１電動膨張弁ＥＶ１に送られる。第１電動膨張弁ＥＶ１に送られた液冷媒は、減圧された後に液側閉鎖弁３３３および第１ＨＬ接続点ＨＣ１を経由して室内熱交換器３７１に供給され、室内空気を冷却するとともに蒸発されてガス冷媒となる。そのガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。このようにして、冷房運転が行われる。
【０１５２】
（２）暖房運転
暖房運転時は、四路切換弁３１３が図１０の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１、第２電磁弁ＳＶ２、および第３電磁弁ＳＶ３は、ＯＦＦされて閉状態とされる（図１１参照）。そして、液側閉鎖弁３３３、第１ガス側閉鎖弁３３１、および第２ガス側閉鎖弁３３２は開状態とされる。
【０１５３】
この冷媒回路３０Ａの状態で、圧縮機３１１を起動すると、ガス冷媒が、圧縮機３１１に吸入されて圧縮された後、吐出管３２６、四路切換弁３１３、第２ガス側閉鎖弁３３２、第２ＨＬ接続点ＨＣ２、第１逆止弁３６１、および第２ＢＬ接続点ＢＣ２を経由して、室内熱交換器３７１に供給され、室内熱交換器３７１において室内空気を加熱するとともに凝縮されて液冷媒となる。この液冷媒は、第１ＨＬ接続点ＨＣ１および液側閉鎖弁３３３を経由して第１電動膨張弁ＥＶ１に送られる。第１電動膨張弁ＥＶ１に送られた液冷媒は、減圧された後に室外熱交換器３１２に送られ、室外熱交換器３１２において蒸発されてガス冷媒となる。そのガス冷媒は、第１ＢＬ接続点ＢＣ１および四路切換弁３１３を経由して、吸入管３２５に戻り、再び、圧縮機３１１に吸入される。このようにして、暖房運転が行われる。
【０１５４】
（３）暖房兼温蓄熱運転
暖房兼温蓄熱運転時は、四路切換弁３１３が図１０の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は所定の開度を維持する状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１、第２電磁弁ＳＶ２、および第３電磁弁ＳＶ３は、ＯＦＦされて閉状態とされる（図１１参照）。そして、液側閉鎖弁３３３、第１ガス側閉鎖弁３３１、および第２ガス側閉鎖弁３３２は開状態とされる。
【０１５５】
この冷媒回路３０Ａの状態で、圧縮機３１１を起動すると、ガス冷媒が、圧縮機３１１に吸入されて圧縮された後、吐出管３２６、四路切換弁３１３、および第２ガス側閉鎖弁３３２を経由して第２ＨＬ接続点ＨＣ２に至る。そして、第２ＨＬ接続点ＨＣ２に至ったガス冷媒は、その後、第１逆止弁３６１および第２ＢＬ接続点ＢＣ２を経由して室内熱交換器３７１に向かう経路である第１経路と、ＧＣ接続点ＧＣおよび第３逆止弁３６３を経由して蓄熱用熱交換器３４１に向かう経路である第２経路とに分配される。
【０１５６】
第１経路に分配されたガス冷媒は、室内熱交換器３７１において室内空気を加熱するとともに凝縮されて液冷媒となり、第１ＨＬ接続点ＨＣ１に至る。
一方、第２経路に分配されたガス冷媒は、蓄熱用熱交換器３４１において蓄熱材を加熱するとともに凝縮されて液冷媒となる。この際、蓄熱材は、固相から液相に相転移し、ガス冷媒から供給される温熱を主に潜熱として蓄積する。その後、その液冷媒は、モジュレータ３４３を経由して第２電動膨張弁ＥＶ２に送られる。第２電動膨張弁ＥＶ２に送られた液冷媒は、減圧された後に第１ＨＬ接続点ＨＣ１に送られる。
【０１５７】
そして、室内熱交換器３７１から第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、液側閉鎖弁３３３を経由して第１電動膨張弁ＥＶ１に送られる。第１電動膨張弁ＥＶ１に送られた液冷媒は、減圧された後に室外熱交換器３１２に送られ、室外熱交換器３１２において蒸発されてガス冷媒となる。このガス冷媒は、第１ＢＬ接続点ＢＣ１、四路切換弁３１３を経由して、吸入管３２５に戻り、再び、圧縮機３１１に吸入される。
【０１５８】
なお、この暖房兼温蓄熱運転は、主に、空気調和装置３Ａの起動時に行われ、蓄熱槽３４２に設けられている蓄熱材の温度検出用の温度センサの値が所定の閾値以上になると自動的に暖房運転に切り換わるようになっている。
（４）デフロスト運転
デフロスト運転時は、四路切換弁３１３が図１０の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１および第２電動膨張弁ＥＶ２は所定の開度を維持する状態とされる。また、第１電磁弁ＳＶ１はＯＮされて開状態とされ、第２電磁弁ＳＶ２および第３電磁弁ＳＶ３はＯＦＦされて閉状態とされる（図１１参照）。そして、液側閉鎖弁３３３、第１ガス側閉鎖弁３３１、および第２ガス側閉鎖弁３３２は開状態とされる。
【０１５９】
この冷媒回路３０Ａの状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２の外表面に付着している霜を融解するとともに凝縮されて液冷媒となる。
そして、室外熱交換器３１２で凝縮された液冷媒は、第１電動膨張弁ＥＶ１に送られる。第１電動膨張弁ＥＶ１に送られた液冷媒は、減圧された後に液側閉鎖弁３３３および第１ＨＬ接続点ＨＣ１を経由して室内熱交換器３７１に供給され、室内熱交換器３７１の周囲の空気を冷却するとともに蒸発されてガス冷媒となる。なお、この際、空調室内を積極的に冷房しないように、室内ファンは駆動しないように制御される。
【０１６０】
そして、そのガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。
なお、このデフロスト運転は、室外熱交換器３１２の外表面の温度や外気温などのパラメータに基づいて切り換わるようなっている。また、このデフロスト運転は、室内熱交換器３７１に霜が付着しないように、暖房運転などとの間で間欠的に行われる。
【０１６１】
（５）暖房兼デフロスト運転
暖房兼デフロスト運転時は、四路切換弁３１３が図１０の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は所定の開度を維持する状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器３４１のガス側における冷媒の温度から蓄熱用熱交換器３４１の液側における冷媒の温度を引いた差分が一定の正の値（例えば、＋５℃）となるように調節される。また、第１電磁弁ＳＶ１はＯＦＦされて閉状態とされ、第２電磁弁ＳＶ２および第３電磁弁ＳＶ３はＯＮされて開状態とされる（図１１参照）。そして、液側閉鎖弁３３３、第１ガス側閉鎖弁３３１、および第２ガス側閉鎖弁３３２は開状態とされる。
【０１６２】
この冷媒回路３０Ａの状態で、圧縮機３１１を起動すると、ガス冷媒が、圧縮機３１１に吸入されて圧縮された後、吐出管３２６および四路切換弁３１３を経由して第１ＢＬ接続点ＢＣ１に至る。そして、第１ＢＬ接続点ＢＣ１に至ったガス冷媒は、その後、第１ガス側閉鎖弁３３１、第２切換機構ＯＣ２、および第２ＢＬ接続点ＢＣ２を経由して室内熱交換器３７１に向かう経路である第３経路と、室外熱交換器３１２に向かう経路である第４経路とに分配される。
【０１６３】
第３経路に分配されたガス冷媒は、室内熱交換器３７１において室内空気を加熱するとともに凝縮されて液冷媒となり、第１ＨＬ接続点ＨＣ１に至る。
一方、第４経路に分配されたガス冷媒は、室外熱交換器３１２の外表面に付着している霜を融解するとともに凝縮されて液冷媒となり、第１電動膨張弁ＥＶ１に送られる。第１電動膨張弁ＥＶ１に送られた液冷媒は、減圧された後に液側閉鎖弁３３３を経由して第１ＨＬ接続点ＨＣ１に至る。
【０１６４】
そして、室内熱交換器３７１から第１ＨＬ接続点ＨＣ１に至った液冷媒と、第１電動膨張弁ＥＶ１を経由して第１ＨＬ接続点ＨＣ１に至った液冷媒とは、第１ＨＬ接続点ＨＣ１において合流した後、第２電動膨張弁ＥＶ２に送られる。第２電動膨張弁ＥＶ２に送られた液冷媒は、減圧された後にモジュレータ３４３を経由して蓄熱用熱交換器３４１に送られ、蓄熱用熱交換器３４１において温熱を蓄積している蓄熱材によって蒸発されてガス冷媒となる。その後、そのガス冷媒は、第３電磁弁ＳＶ３、ＧＬ接続点ＧＣ、第２ＨＬ接続点ＨＣ２、第２ガス側閉鎖弁３３２、および四路切換弁３１３を経由して、吸入管３２５に戻り、再び、圧縮機３１１に吸入される。
【０１６５】
なお、この暖房兼デフロスト運転は、室外熱交換器３１２の外表面の温度や外気温などのパラメータに基づいて切り換わるようなっている。また、このデフロスト運転は、所定時間（例えば、１０分間）継続して行われる。
［空気調和装置の特徴］
（１）
第４実施形態に係る空気調和装置３Ａでは、暖房兼温蓄熱運転において圧縮機３１１から吐出されたガス冷媒（以下、吐出冷媒という）が室内熱交換器３７１と蓄熱用熱交換器３４１とに分配され、暖房兼デフロスト運転において吐出冷媒が室内熱交換器３７１と室外熱交換器３１２とに分配される。このため、この空気調和装置３Ａでは、暖房兼温蓄熱運転において室内熱交換器３７１と蓄熱用熱交換器３４１とに、暖房兼デフロスト運転において室内熱交換器３７１と室外熱交換器３１２とに適切な熱量を分配するのに、冷媒の分配比のみを考慮すればよい。したがって、この空気調和装置３Ａでは、比較的な簡単な制御により暖房兼温蓄熱運転および暖房兼デフロスト運転を行うことができる。
【０１６６】
（２）
第４実施形態に係る空気調和装置３Ａでは、暖房兼温蓄熱運転において、室内熱交換器３７１から流出した冷媒と蓄熱用熱交換器３４１から流出した冷媒とが合流して室外熱交換器３１２を通って圧縮機３１１に吸入される。また、暖房兼デフロスト運転において、室内熱交換器３７１から流出した冷媒と室外熱交換器３１２から流出した冷媒とが合流して蓄熱用熱交換器３４１を通って圧縮機３１１に吸入される。このため、この空気調和装置３Ａでは、暖房兼温蓄熱運転において室内熱交換器３７１から流出した冷媒と蓄熱用熱交換器３４１から流出した冷媒とを室外熱交換器３１２で一括して蒸発させることができ、暖房兼デフロスト運転において室内熱交換器３７１から流出した冷媒と室外熱交換器３１２から流出した冷媒とを蓄熱用熱交換器３４１で一括して蒸発させることができる。したがって、この空気調和装置３Ａでは、冷媒回路３０Ａの構成をシンプルにすることができる。
【０１６７】
（３）
第４実施形態に係る空気調和装置３Ａでは、冷媒回路３０Ａが、四路切換弁３１３および第１電磁弁ＳＶ１を有する。このため、この空気調和装置３Ａでは、暖房兼温蓄熱運転と暖房兼デフロスト運転との間で冷媒の流れを適切に制御することができる。
（４）
第４実施形態に係る空気調和装置３Ａでは、冷媒回路３０Ａが、第１開閉機構ＯＣ１および第２開閉機構ＯＣ２により冷房運転にも切換可能であり、第２電磁弁ＳＶ２を有する。このため、この空気調和装置３Ａでは、暖房兼デフロスト運転と冷房運転との間で冷媒の流れを適切に制御することができる。
【０１６８】
（５）
第４実施形態に係る空気調和装置３Ａでは、冷媒回路３０Ａに、暖房兼デフロスト運転において室外熱交換器３１２に液状冷媒が溜まるように、冷媒が充填されている。このため、この空気調和装置３Ａでは、暖房兼デフロスト運転において、室内熱交換器３７１へ流れる吐出冷媒の凝縮温度および凝縮圧力の低下を抑えることができる。したがって、この空気調和装置３Ａでは、暖房兼デフロスト運転における室内熱交換器３７１の暖房能力の低下を抑えることができる。
【０１６９】
［変形例］
（Ａ）
第４実施形態に係る空気調和装置３Ａの主冷媒回路３０ａに配置される第１開閉機構ＯＣ１は、第１実施形態の変形例（Ａ）に示されるように、双方向電磁弁に置換されてもかまわない。
【０１７０】
（Ｂ）
第４実施形態に係る空気調和装置３Ａの主冷媒回路３０ａに配置される第１開閉機構ＯＣ１および第２開閉機構ＯＣ２は、第１実施形態の変形例（Ｂ）に示されるように、四路切換弁およびキャピラリーチューブに置換されてもかまわない。
＜第５実施形態＞
［空気調和装置の構成］
本発明の一実施形態にかかる空気調和装置４の概略冷媒回路４０を図１２に示す。
【０１７１】
この空気調和装置４は、冷房運転および暖房運転のみならず氷蓄熱運転、氷蓄熱利用冷房運転、デフロスト運転、暖房兼温蓄熱運転、および暖房兼デフロスト運転も可能な空気調和装置（冬季などにおいて気温が氷点下となるような寒冷地向けの空気調和装置）であって、主冷媒回路４ａ、バイパスライン４ｂ、蓄熱ライン４ｃ、利用ライン４ｄ、およびガス抜きライン４ｅから構成される冷媒回路４０を備えている。
【０１７２】
主冷媒回路４ａには主に、圧縮機４１１、四路切換弁４１３、室外熱交換器４１２、第１電動膨張弁ＥＶ１、第５開閉機構ＯＣ５、室内熱交換器４７１、および第１開閉機構ＯＣ１が配備されており、各機器は、図１２に示されるように、冷媒配管を介して接続されている。
バイパスライン４ｂは、一端が四路切換弁４１３と室外熱交換器４１２のガス側とを接続する冷媒配管（以下、第１室外側冷媒ガス配管という）に、他端が第１開閉機構ＯＣ１と室内熱交換器４７１のガス側とを接続する冷媒配管（以下、室内側冷媒ガス配管という）に配管接続されることによって主冷媒回路４ａと接続されている。なお、以下、バイパスライン４ｂと第１室外側冷媒ガス配管との接続点を第１ＢＬ接続点ＢＣ１といい、バイパスライン４ｂと室内側冷媒ガス配管との接続点を第２ＢＬ接続点ＢＣ２という。そして、このバイパスライン４ｂには、第２開閉機構ＯＣ２が配備されている。
【０１７３】
蓄熱ライン４ｃは、一端が室内熱交換器４７１の液側と第５開閉機構ＯＣ５とを接続する冷媒配管（以下、室内側冷媒液配管という）に、他端が第１開閉機構ＯＣ１と四路切換弁４１３とを接続する冷媒配管（以下、第２室外側冷媒ガス配管という）に配管接続されることによって主冷媒回路４ａと接続されている。なお、以下、蓄熱ライン４ｃと室内側冷媒液配管との接続点を第１ＨＬ接続点ＨＣ１といい、蓄熱ライン４ｃと第２室外側冷媒ガス配管との接続点を第２ＨＬ接続点ＨＣ２という。そして、この蓄熱ライン４ｃには第３開閉機構ＯＣ３、蓄熱用熱交換器４４１、モジュレータ４４３、および第２電動膨張弁ＥＶ２が配備されており、各機器が第２ＨＬ接続点ＨＣ２から第１ＨＬ接続点ＨＣ１に向かって上記の順に冷媒配管を介して接続されている。
【０１７４】
利用ライン４ｄは、一端が第１電動膨張弁ＥＶ１と第５開閉機構ＯＣ５とを接続する冷媒配管（以下、室外側冷媒液配管という）に、他端が第３開閉機構ＯＣ３と蓄熱用熱交換器４４１とを接続する冷媒配管（以下、第１ガス管側バイパス配管という）に配管接続されることによって主冷媒回路４ａおよび蓄熱ライン４ｃと接続されている。なお、以下、利用ライン４ｄと室外側冷媒液配管との接続点を第１ＩＬ接続点ＩＣ１といい、利用ライン４ｄと第１ガス管側バイパス配管との接続点を第２ＩＬ接続点ＩＣ２という。そして、この利用ライン４ｄには、第４開閉機構ＯＣ４が配備されている。
【０１７５】
ガス抜きライン４ｅは、一端がモジュレータ４４３の上部に、他端が第３開閉機構ＯＣ３と第２ＨＬ接続点ＨＣ２とを接続する冷媒配管（以下、第２ガス管側バイパス配管という）に配管接続されることによって主冷媒回路４ａおよび蓄熱ライン４ｃと接続されている。なお、以下、ガス抜きライン４ｅと第２ガス管側バイパス配管との接続点をＧＬ接続点ＧＣという。そして、このガス抜きライン４ｅには、キャピラリーチューブ４６４が配備されている。
【０１７６】
また、本実施形態では、空気調和装置４は、分離型の空気調和装置であって、室内熱交換器４７１、冷媒ガス配管４８１、および冷媒液配管４８２を主に有する室内ユニット４７と、蓄熱用熱交換器４４１、蓄熱水槽４４２、第２電動膨張弁ＥＶ２、モジュレータ４４３、キャピラリーチューブ４６４、第１開閉機構ＯＣ１、第２開閉機構ＯＣ２、第３開閉機構ＯＣ３、第４開閉機構ＯＣ４、第５開閉機構ＯＣ５、第１冷媒ガス配管４５１、第２冷媒ガス配管４５３、および冷媒液配管４５２を主に有する氷蓄熱ユニット４４と、圧縮機４１１、四路切換弁４１３、室外熱交換器４１２、第１電動膨張弁ＥＶ１、第１冷媒ガス配管４２１、第２冷媒ガス配管４２３、および冷媒液配管４２２を主に有する室外ユニット４１と、室内ユニット４７の冷媒液配管４８２と氷蓄熱ユニット４４の冷媒液配管４５２とを接続する第１冷媒連絡配管４８７と、室内ユニット４７の冷媒ガス配管４８１と氷蓄熱ユニット４４の冷媒ガス配管４５１とを接続する第２冷媒連絡配管４８６と、氷蓄熱ユニット４４の冷媒液配管４５２と室外ユニット４１の冷媒液配管４２２とを接続する第３冷媒連絡配管４３７と、氷蓄熱ユニット４４の第１冷媒ガス配管４５１と室外ユニット４１の第１冷媒ガス配管４２１とを接続する第４冷媒連絡配管４３６と、氷蓄熱ユニット４４の第２冷媒ガス配管４５３と室外ユニット４１の第２冷媒ガス配管４２３とを接続する第５冷媒連絡配管４３５とから構成されているともいえる。なお、室外ユニット４１の冷媒液配管４２２と第３冷媒連絡配管４３７とは室外ユニット４１の液側閉鎖弁４３３を介して、室外ユニット４１の第１冷媒ガス配管４２１と第４冷媒連絡配管４３６とは室外ユニット４１の第２ガス側閉鎖弁４３２を介して、室外ユニット４１の第２冷媒ガス配管４２３と第５冷媒連絡配管４３５とは室外ユニット４１の第１ガス側閉鎖弁４３１を介してそれぞれ接続されている。
【０１７７】
なお、このように本実施形態にかかる空気調和装置４をユニット単位で見た場合、第１ＢＬ接続点ＢＣ１は室外ユニット４１に属し、第２ＢＬ接続点ＢＣ２、第１ＨＬ接続点ＨＣ１、第２ＨＬ接続点ＨＣ２、第１ＩＬ接続点ＩＣ１、第２ＩＬ接続点ＩＣ２、ＧＬ接続点ＧＣは氷蓄熱ユニット４４に属する。
（１）室内ユニット
室内ユニット４７は、主に、室内熱交換器４７１、室内ファン（図示せず）、冷媒ガス配管４８１、および冷媒液配管４８２を有している。
【０１７８】
室内熱交換器４７１は、空調室内の空気である室内空気と冷媒との間で熱交換をさせるための熱交換器である。
室内ファンは、ユニット４７内に空調室内の空気を取り込み、室内熱交換器４７１を介して冷媒と熱交換した後の空気である調和空気を再び空調室内への送り出すためファンである。
【０１７９】
そして、この室内ユニット４７は、このような構成を採用することによって、冷房運転時および氷蓄熱利用冷房運転時には室内ファンにより内部に取り込んだ室内空気と室内熱交換器４７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器４７１を流れるガス冷媒とを熱交換させて調和空気（暖気）を生成することが可能となっている。
【０１８０】
（２）氷蓄熱ユニット
氷蓄熱ユニット４４は、主に、蓄熱用熱交換器４４１、蓄熱水槽４４２、第２電動膨張弁ＥＶ２、モジュレータ４４３、キャピラリーチューブ４６４、第１開閉機構ＯＣ１、第２開閉機構ＯＣ２、第３開閉機構ＯＣ３、第４開閉機構ＯＣ４、第５開閉機構ＯＣ５、第１冷媒ガス配管４５１、第２冷媒ガス配管４５３、および冷媒液配管４５２を有している。
【０１８１】
蓄熱用熱交換器４４１は、蓄熱水槽４４２に蓄えられている蓄熱用水と冷媒との間で熱交換をさせるための熱交換器である。
モジュレータ４４３は、余剰冷媒を貯留するための器である。この冷媒回路４０には、暖房兼デフロスト運転時において室外熱交換器４１２に液冷媒が溜まるように冷媒が充填されている。このため、他の運転時においては冷媒が余剰となる。この余剰冷媒を貯留するのが本モジュレータ４４３の役目である。
【０１８２】
第１開閉機構ＯＣ１は、開閉可能な第１電磁弁ＳＶ１および第１逆止弁４６１を有している。この第１開閉機構ＯＣ１では、第１電磁弁ＳＶ１と第１逆止弁４６１とが冷媒流れに対して並列に配置される。また、この第１逆止弁４６１は、各ユニット４１，４４，４７が接続された状態において第２ガス側閉鎖弁４３２から第２ＢＬ接続点ＢＣ２に向かう冷媒の流れのみを許容するように取り付けられている。
【０１８３】
第２開閉機構ＯＣ２は、開閉可能な第２電磁弁ＳＶ２および第２逆止弁４６２を有している。この第２開閉機構ＯＣ２では、第２電磁弁ＳＶ２と第２逆止弁４６２とが冷媒流れに対して直列に配置される。なお、この際、第２電磁弁ＳＶ２は第１ＢＬ接続点ＢＣ１側に、第２逆止弁４６２は第２ＢＬ接続点ＢＣ２側に配置される。また、この第２逆止弁４６２は、各ユニット４１，４４，４７が接続された状態において第１ガス側閉鎖弁４３１から第２ＢＬ接続点ＢＣ２に向かう冷媒の流れのみを許容するように取り付けられている。
【０１８４】
第３開閉機構ＯＣ３は、開閉可能な第３電磁弁ＳＶ３および第３逆止弁４６３を有している。この第３開閉機構ＯＣ３では、第３電磁弁ＳＶ３と第３逆止弁４６３とが冷媒流れに対して並列に配置される。また、この第３逆止弁４６３は、ＧＬ接続点ＧＣから蓄熱用
熱交換器４４１に向かう冷媒の流れのみを許容するように取り付けられている。
第４開閉機構ＯＣ４は、開閉可能な第４電磁弁ＳＶ４および第４逆止弁４６４を有している。この第４開閉機構ＯＣ４では、第４電磁弁ＳＶ４と第４逆止弁４６４とが冷媒流れに対して直列に配置される。なお、この際、第４電磁弁ＳＶ４は第１ＩＬ接続点ＩＣ１側に、第４逆止弁４６４は第２ＩＬ接続点ＩＣ２側に配置される。また、この第４逆止弁４６４は、第１ＩＬ接続点ＩＣ１から第２ＩＬ接続点ＩＣ２に向かう冷媒の流れのみを許容するように取り付けられている。
【０１８５】
第５開閉機構ＯＣ５は、開閉可能な第５電磁弁ＳＶ５および第５逆止弁４６５を有している。この第５開閉機構ＯＣ５では、第５電磁弁ＳＶ５と第５逆止弁４６５とが冷媒流れに対して並列に配置される。また、この第５逆止弁４６５は、第１ＨＬ接続点ＨＣ１から第１ＩＬ接続点ＩＣ１に向かう冷媒の流れのみを許容するように取り付けられている。
そして、この氷蓄熱ユニット４４は、このような構成を採用することによって、氷蓄熱運転時には蓄熱用熱交換器４４１を流れる液冷媒の冷熱を蓄熱用水に蓄積させ、氷蓄熱利用運転時には蓄熱用熱交換器４４１を流れるガス状または気液二相状態の冷媒にその冷熱を供給することによってそのガス状または気液二相状態の冷媒を凝縮させ、暖房兼温蓄熱運転時には蓄熱用熱交換器４４１を流れるガス冷媒の温熱を蓄熱用水に蓄積させ、また、暖房兼デフロスト運転時には蓄熱用熱交換器４４１を流れる液冷媒に蓄熱用水に蓄積される温熱を供給することによってその液冷媒を蒸発させることが可能となっている。なお、この蓄熱用水は、氷蓄熱運転時には液相から固相に相転移して液冷媒から供給される冷熱を主に潜熱として蓄積し、暖房兼温蓄熱運転時にはガス冷媒から供給される温熱を顕熱として蓄積する。
【０１８６】
（３）室外ユニット
室外ユニット４１は、主に、四路切換弁４１３、圧縮機４１１、室外熱交換器４１２、第１電動膨張弁ＥＶ１、第１冷媒ガス配管４２１、第２冷媒ガス配管４２３、および冷媒液配管４２２を有している。
圧縮機４１１は、吸入管４２５を流れる低圧のガス冷媒を吸入して圧縮した後、吐出管４２６に吐出するための機器である。本実施形態において、圧縮機４１１は、スクロール式やロータリ式等の容積式の圧縮機である。
【０１８７】
四路切換弁４１３は、各運転に対応して、冷媒の流れ方向を切り換えるための弁であり、冷房運転時、氷蓄熱運転時、氷蓄熱利用冷房運転時、デフロスト運転時、および暖房兼デフロスト運転時には圧縮機４１１の吐出管４２６と室外熱交換器４１２のガス側とを接続するとともに圧縮機４１１の吸入管４２５と第２ガス側閉鎖弁４３２とを接続し、暖房運転時および暖房兼温蓄熱運転時には圧縮機４１１の吐出管４２６と第２ガス側閉鎖弁４３２とを接続するとともに圧縮機４１１の吸入管４２５と室外熱交換器４１２のガス側とを接続することが可能である。
【０１８８】
室外熱交換器４１２は、冷房運転時、氷蓄熱運転時、および氷蓄熱利用冷房運転時において、圧縮機４１１から吐出された高圧のガス冷媒を空調室外の空気を熱源として凝縮させることが可能であり、暖房運転時には室内熱交換器４７１から戻る液冷媒を、暖房兼温蓄熱運転時には室内熱交換器４７１および蓄熱用熱交換器４４１から戻る液冷媒を蒸発させることが可能である。
【０１８９】
［空気調和装置の動作］
空気調和装置４の運転動作について、図１２および図１３を用いて説明する。この空気調和装置４は、上述したように冷房運転、氷蓄熱運転、氷蓄熱利用冷房運転、暖房運転、暖房兼温蓄熱運転、デフロスト運転、および暖房兼デフロスト運転を行うことが可能である。
【０１９０】
（１）冷房運転
冷房運転時は、四路切換弁４１３が図１２の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１は過熱度制御（以下、ＳＨ制御という）され、第２電動膨張弁ＥＶ２は全開状態とされる。なお、第１電動膨張弁ＥＶ１がＳＨ制御されると、第１電動膨張弁ＥＶ１の弁開度が、室内熱交換器４７１のガス側における冷媒の温度から室内熱交換器４７１の液側における冷媒の温度を引いた差分が一定の正の値（例えば、＋５℃）となるように調節される。また、第１電磁弁ＳＶ１および第５電磁弁ＳＶ５はＯＮされて開状態とされ、第２電磁弁ＳＶ２、第３電磁弁ＳＶ３および第４電磁弁ＳＶ４はＯＦＦされて閉状態とされる（図１３参照）。そして、液側閉鎖弁４３３、第１ガス側閉鎖弁４３１、および第２ガス側閉鎖弁４３２は開状態とされる。
【０１９１】
この冷媒回路４０の状態で、圧縮機４１１を起動すると、ガス冷媒が、圧縮機４１１に吸入されて圧縮された後、吐出管４２６、四路切換弁４１３、および第１ＢＬ接続点ＢＣ１を経由して室外熱交換器４１２に送られ、室外熱交換器４１２において凝縮されて液冷媒となる。
そして、この液冷媒は、第１電動膨張弁ＥＶ１に送られる。第１電動膨張弁ＥＶ１に送られた液冷媒は、減圧された後に液側閉鎖弁４３３、第１ＩＬ接続点ＩＣ１、第５電磁弁ＳＶ５、および第１ＨＬ接続点ＨＣ１を経由して室内熱交換器４７１に供給され、室内空気を冷却するとともに蒸発されてガス冷媒となる。そのガス冷媒は、第２ＢＬ接続点ＢＣ２、第１電磁弁ＳＶ１、第２ＨＬ接続点ＨＣ２、第２ガス側閉鎖弁４３２、および四路切換弁４１３を経由して、再び、圧縮機４１１に吸入される。このようにして、冷房運転が行われる。
【０１９２】
（２）氷蓄熱運転
氷蓄熱運転時は、四路切換弁４１３が図１２の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１は全開状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器４４１の第２ＩＬ接続点ＩＣ側における冷媒の温度から蓄熱用熱交換器４４１のモジュレータ４４３側における冷媒の温度を引いた差分が一定の正の値（例えば、＋５℃）となるように調節される。また、第１電磁弁ＳＶ１および第４電磁弁ＳＶ４は、ＯＦＦされて閉状態とされ、第２電磁弁ＳＶ２、第３電磁弁ＳＶ３、および第５電磁弁ＳＶ５はＯＮされて開状態とされる（図１３参照）。そして、液側閉鎖弁４３３、第１ガス側閉鎖弁４３１、および第２ガス側閉鎖弁４３２は開状態とされる。
【０１９３】
この冷媒回路４０の状態で、圧縮機４１１を起動すると、ガス冷媒が、圧縮機４１１に吸入されて圧縮された後、吐出管４２６、四路切換弁４１３、および第１ＢＬ接続点ＢＣ１を経由して室外熱交換器４１２に送られ、室外熱交換器４１２において凝縮されて液冷媒となる。
そして、この液冷媒は、第１電動膨張弁ＥＶ１、液側閉鎖弁４３３、第１ＩＬ接続点ＩＣ１、第５電磁弁ＳＶ５、第１ＨＬ接続点ＨＣ１を経由して第２電動膨張弁ＥＶ２に送られる。第２電動膨張弁ＥＶ２に送られた液冷媒は、減圧された後にモジュレータ４４３を経由して蓄熱用熱交換器４４１に供給され、蓄熱用水を冷却するとともに蒸発されてガス冷媒となる。この際、蓄熱用水は、液相から固相に相転移し、液冷媒から供給される冷熱を主に潜熱として蓄積する。
【０１９４】
そして、そのガス冷媒は、第２ＩＬ接続点ＩＣ２、第３電磁弁ＳＶ３、第２ＨＬ接続点ＨＣ２、第２ガス側閉鎖弁４３２、および四路切換弁４１３を経由して、再び、圧縮機４１１に吸入される。このようにして、氷蓄熱運転が行われる。
（３）氷蓄熱利用冷房運転
氷蓄熱利用冷房運転時は、四路切換弁４１３が図１２の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１は全開状態とされ、第２電動膨張弁ＥＶ２はＳＨ制御される。なお、第２電動膨張弁ＥＶ２がＳＨ制御されると、第２電動膨張弁ＥＶ２の弁開度が、室内熱交換器４７１のガス側における冷媒の温度から室内熱交換器４７１の液側における冷媒の温度を引いた差分が一定の正の値（例えば、＋５℃）となるように調節される。また、第１電磁弁ＳＶ１および第４電磁弁ＳＶ４はＯＮされて開状態とされ、第２電磁弁ＳＶ２、第３電磁弁ＳＶ３、および第５電磁弁ＳＶ５はＯＦＦされて閉状態とされる（図１３参照）。そして、液側閉鎖弁４３３、第１ガス側閉鎖弁４３１、および第２ガス側閉鎖弁４３２は開状態とされる。
【０１９５】
この冷媒回路４０の状態で、圧縮機４１１を起動すると、ガス冷媒が、圧縮機４１１に吸入されて圧縮された後、吐出管４２６、四路切換弁４１３、および第１ＢＬ接続点ＢＣ１を経由して室外熱交換器４１２に送られ、室外熱交換器４１２において凝縮されて液状または気液二相の冷媒となる。
そして、この液状または気液二相の冷媒は、第１電動膨張弁ＥＶ１、液側閉鎖弁４３３、第１ＩＬ接続点ＩＣ１、第４開閉機構ＯＣ４、および第２ＩＬ接続点ＩＣ２を経由して蓄熱用熱交換器４４１に送られ、蓄熱用熱交換器４４１において蓄熱用水に蓄積された冷熱によりさらに低温の液冷媒または液冷媒となる。
【０１９６】
そして、この液冷媒は、モジュレータ４４３を経由して第２電動膨張弁ＥＶ２に送られる。第２電動膨張弁ＥＶ２に送られた液冷媒は、減圧された後に第１ＨＬ接続点ＨＣ１を経由して室内熱交換器４７１に供給され、室内空気を冷却するとともに蒸発されてガス冷媒となる。
そして、そのガス冷媒は、第２ＢＬ接続点ＢＣ２、第１電磁弁ＳＶ１、第２ＨＬ接続点ＨＣ２、第２ガス側閉鎖弁４３２、および四路切換弁４１３を経由して、再び、圧縮機４１１に吸入される。このようにして、氷蓄熱利用冷房運転が行われる。
【０１９７】
（４）暖房運転
暖房運転時は、四路切換弁４１３が図１２の破線で示される状態、すなわち、圧縮機４１１の吐出側が第２ガス側閉鎖弁４３２に接続され、かつ、圧縮機４１１の吸入側が室外熱交換器４１２のガス側に接続された状態となっている。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室外熱交換器４１２のガス側における冷媒の温度から室外熱交換器４１２の液側における冷媒の温度を引いた差分が一定の正の値（例えば、＋５℃）となるように調節される。また、第１電磁弁ＳＶ１、第２電磁弁ＳＶ２、第３電磁弁ＳＶ３、第４電磁弁ＳＶ４、および第５電磁弁ＳＶ５は、ＯＦＦされて閉状態とされる（図１３参照）。そして、液側閉鎖弁４３３、第１ガス側閉鎖弁４３１、および第２ガス側閉鎖弁４３２は開状態とされる。
【０１９８】
この冷媒回路４０の状態で、圧縮機４１１を起動すると、ガス冷媒が、圧縮機４１１に吸入されて圧縮された後、吐出管４２６、四路切換弁４１３、第２ガス側閉鎖弁４３２、第２ＨＬ接続点ＨＣ２、第１逆止弁４６１、および第２ＢＬ接続点ＢＣ２を経由して、室内熱交換器４７１に供給され、室内熱交換器４７１において室内空気を加熱するとともに凝縮されて液冷媒となる。この液冷媒は、第１ＨＬ接続点ＨＣ１、第５逆止弁４６５、第１ＩＬ接続点ＩＣ１、および液側閉鎖弁４３３を経由して第１電動膨張弁ＥＶ１に送られる。第１電動膨張弁ＥＶ１に送られた液冷媒は、減圧された後に室外熱交換器４１２に送られ、室外熱交換器４１２において蒸発されてガス冷媒となる。そのガス冷媒は、第１ＢＬ接続点ＢＣ１および四路切換弁４１３を経由して、吸入管４２５に戻り、再び、圧縮機４１１に吸入される。このようにして、暖房運転が行われる。
【０１９９】
（５）暖房兼温蓄熱運転
暖房兼温蓄熱運転時は、四路切換弁４１３が図１２の破線で示される状態、すなわち、圧縮機４１１の吐出側が第２ガス側閉鎖弁４３２に接続され、かつ、圧縮機４１１の吸入側が室外熱交換器４１２のガス側に接続された状態となっている。また、第１電動膨張弁ＥＶ１はＳＨ制御され、第２電動膨張弁ＥＶ２は所定の開度を維持する状態とされる。なお、第１電動膨張弁ＥＶ１がＳＨ制御されると、第１電動膨張弁ＥＶ１の弁開度が、室外熱交換器４１２のガス側における冷媒の温度から室外熱交換器４１２の液側における冷媒の温度を引いた差分が一定の正の値（例えば、＋５℃）となるように調節される。また、第１電磁弁ＳＶ１、第２電磁弁ＳＶ２、第３電磁弁ＳＶ３、第４電磁弁ＳＶ４、および第５電磁弁ＳＶ５は、ＯＦＦされて閉状態とされる（図１３参照）。そして、液側閉鎖弁４３３、第１ガス側閉鎖弁４３１、および第２ガス側閉鎖弁４３２は開状態とされる。
【０２００】
この冷媒回路４０の状態で、圧縮機４１１を起動すると、ガス冷媒が、圧縮機４１１に吸入されて圧縮された後、吐出管４２６、四路切換弁４１３、および第２ガス側閉鎖弁４３２を経由して第２ＨＬ接続点ＨＣ２に至る。そして、第２ＨＬ接続点ＨＣ２に至ったガス冷媒は、その後、第１逆止弁４６１および第２ＢＬ接続点ＢＣ２を経由して室内熱交換器４７１に向かう経路である第１経路と、ＧＣ接続点ＧＣ、第３逆止弁４６３、および第２ＩＬ接続点ＩＣ２を経由して蓄熱用熱交換器４４１に向かう経路である第２経路とに分配される。
【０２０１】
第１経路に分配されたガス冷媒は、室内熱交換器４７１において室内空気を加熱するとともに凝縮されて液冷媒となり、第１ＨＬ接続点ＨＣ１に至る。
一方、第２経路に分配されたガス冷媒は、蓄熱用熱交換器４４１において蓄熱用水を加熱するとともに凝縮されて液冷媒となる。この際、蓄熱用水は、ガス冷媒から供給される温熱を顕熱として蓄積する。その後、その液冷媒は、モジュレータ４４３を経由して第２電動膨張弁ＥＶ２に送られる。第２電動膨張弁ＥＶ２に送られた液冷媒は、減圧された後に第１ＨＬ接続点ＨＣ１に送られる。
【０２０２】
そして、室内熱交換器４７１から第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、第５逆止弁４６５、第１ＩＬ接続点ＩＣ１、および液側閉鎖弁４３３を経由して第１電動膨張弁ＥＶ１に送られる。第１電動膨張弁ＥＶ１に送られた液冷媒は、減圧された後に室外熱交換器４１２に送られ、室外熱交換器４１２において蒸発されてガス冷媒となる。このガス冷媒は、第１ＢＬ接続点ＢＣ１、四路切換弁４１３を経由して、吸入管４２５に戻り、再び、圧縮機４１１に吸入される。
【０２０３】
なお、この暖房兼温蓄熱運転は、主に、空気調和装置４の起動時に行われ、蓄熱水槽４４２に設けられている蓄熱用水の温度検出用の温度センサの値が所定の閾値以上になると自動的に暖房運転に切り換わるようになっている。
（６）デフロスト運転
デフロスト運転時は、四路切換弁４１３が図１２の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１および第２電動膨張弁ＥＶ２は所定の開度を維持する状態とされる。また、第１電磁弁ＳＶ１および第５電磁弁ＳＶ５はＯＮされて開状態とされ、第２電磁弁ＳＶ２、第３電磁弁ＳＶ３、および第４電磁弁ＳＶ４はＯＦＦされて閉状態とされる（図１３参照）。そして、液側閉鎖弁４３３、第１ガス側閉鎖弁４３１、および第２ガス側閉鎖弁４３２は開状態とされる。
【０２０４】
この冷媒回路４０の状態で、圧縮機４１１を起動すると、ガス冷媒が、圧縮機４１１に吸入されて圧縮された後、吐出管４２６、四路切換弁４１３、および第１ＢＬ接続点ＢＣ１を経由して室外熱交換器４１２に送られ、室外熱交換器４１２の外表面に付着している霜を融解するとともに凝縮されて液冷媒となる。
そして、室外熱交換器４１２で凝縮された液冷媒は、第１電動膨張弁ＥＶ１に送られる。第１電動膨張弁ＥＶ１に送られた液冷媒は、減圧された後に液側閉鎖弁４３３、第１ＩＬ接続点ＩＣ１、第５電磁弁ＳＶ５、および第１ＨＬ接続点ＨＣ１を経由して室内熱交換器４７１に供給され、室内熱交換器４７１の周囲の空気を冷却するとともに蒸発されてガス冷媒となる。なお、この際、空調室内を積極的に冷房しないように、室内ファンは駆動しないように制御される。
【０２０５】
そして、そのガス冷媒は、第２ＢＬ接続点ＢＣ２、第１電磁弁ＳＶ１、第２ＨＬ接続点ＨＣ２、第２ガス側閉鎖弁４３２、および四路切換弁４１３を経由して、再び、圧縮機４１１に吸入される。
なお、このデフロスト運転は、室外熱交換器４１２の外表面の温度や外気温などのパラメータに基づいて切り換わるようなっている。また、このデフロスト運転は、室内熱交換器４７１に霜が付着しないように、暖房運転などとの間で間欠的に行われる。
【０２０６】
（７）暖房兼デフロスト運転
暖房兼デフロスト運転時は、四路切換弁４１３が図１２の実線で示される状態、すなわち、圧縮機４１１の吐出管４２６が室外熱交換器４１２のガス側に接続され、かつ、圧縮機４１１の吸入管４２５が第２ガス側閉鎖弁４３２側に接続された状態となる。また、第１電動膨張弁ＥＶ１は所定の開度を維持する状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器４４１の第２ＩＬ接続点ＩＣ２側における冷媒の温度から蓄熱用熱交換器４４１のモジュレータ４４３側における冷媒の温度を引いた差分が一定の正の値（例えば、＋５℃）となるように調節される。また、第１電磁弁ＳＶ１および第４電磁弁ＳＶ４はＯＦＦされて閉状態とされ、第２電磁弁ＳＶ２、第３電磁弁ＳＶ３、および第５電磁弁ＳＶ５はＯＮされて開状態とされる（図１３参照）。そして、液側閉鎖弁４３３、第１ガス側閉鎖弁４３１、および第２ガス側閉鎖弁４３２は開状態とされる。
【０２０７】
この冷媒回路４０の状態で、圧縮機４１１を起動すると、ガス冷媒が、圧縮機４１１に吸入されて圧縮された後、吐出管４２６および四路切換弁４１３を経由して第１ＢＬ接続点ＢＣ１に至る。そして、第１ＢＬ接続点ＢＣ１に至ったガス冷媒は、その後、第１ガス側閉鎖弁４３１、第２切換機構ＯＣ２、および第２ＢＬ接続点ＢＣ２を経由して室内熱交換器４７１に向かう経路である第３経路と、室外熱交換器４１２に向かう経路である第４経路とに分配される。
【０２０８】
第３経路に分配されたガス冷媒は、室内熱交換器４７１において室内空気を加熱するとともに凝縮されて液冷媒となり、第１ＨＬ接続点ＨＣ１に至る。
一方、第４経路に分配されたガス冷媒は、室外熱交換器４１２の外表面に付着している霜を融解するとともに凝縮されて液冷媒となり、第１電動膨張弁ＥＶ１に送られる。第１電動膨張弁ＥＶ１に送られた液冷媒は、減圧された後に液側閉鎖弁４３３、第１ＩＬ接続点ＩＣ１、および第５電磁弁ＳＶ５を経由して第１ＨＬ接続点ＨＣ１に至る。
【０２０９】
そして、室内熱交換器４７１から第１ＨＬ接続点ＨＣ１に至った液冷媒と、液側閉鎖弁４３３、第１ＩＬ接続点ＩＣ１、および第５電磁弁ＳＶ５を経由して第１ＨＬ接続点ＨＣ１に至った液冷媒とは、第１ＨＬ接続点ＨＣ１において合流した後、第２電動膨張弁ＥＶ２に送られる。第２電動膨張弁ＥＶ２に送られた液冷媒は、減圧された後にモジュレータ４４３を経由して蓄熱用熱交換器４４１に送られ、蓄熱用熱交換器４４１において温熱を蓄積している蓄熱用水によって蒸発されてガス冷媒となる。その後、そのガス冷媒は、第１ＩＬ接続点ＩＣ１、第３電磁弁ＳＶ３、ＧＬ接続点ＧＣ、第２ＨＬ接続点ＨＣ２、第２ガス側閉鎖弁４３２、および四路切換弁４１３を経由して、吸入管４２５に戻り、再び、圧縮機４１１に吸入される。
【０２１０】
なお、この暖房兼デフロスト運転は、室外熱交換器４１２の外表面の温度や外気温などのパラメータに基づいて切り換わるようなっている。また、このデフロスト運転は、所定時間（例えば、１０分間）継続して行われる。
［空気調和装置の特徴］
（１）
第５実施形態に係る空気調和装置４では、暖房兼温蓄熱運転において圧縮機４１１から吐出されたガス冷媒（以下、吐出冷媒という）が室内熱交換器４７１と蓄熱用熱交換器４４１とに分配され、暖房兼デフロスト運転において吐出冷媒が室内熱交換器４７１と室外熱交換器４１２とに分配される。このため、この空気調和装置４では、暖房兼温蓄熱運転において室内熱交換器４７１と蓄熱用熱交換器４４１とに、暖房兼デフロスト運転において室内熱交換器４７１と室外熱交換器４１２とに適切な熱量を分配するのに、冷媒の分配比のみを考慮すればよい。したがって、この空気調和装置４では、比較的な簡単な制御により暖房兼温蓄熱運転および暖房兼デフロスト運転を行うことができる。
【０２１１】
（２）
第５実施形態に係る空気調和装置４では、暖房兼温蓄熱運転において、室内熱交換器４７１から流出した冷媒と蓄熱用熱交換器４４１から流出した冷媒とが合流して室外熱交換器４１２を通って圧縮機４１１に吸入される。また、暖房兼デフロスト運転において、室内熱交換器４７１から流出した冷媒と室外熱交換器４１２から流出した冷媒とが合流して蓄熱用熱交換器４４１を通って圧縮機４１１に吸入される。このため、この空気調和装置４では、暖房兼温蓄熱運転において室内熱交換器４７１から流出した冷媒と蓄熱用熱交換器４４１から流出した冷媒とを室外熱交換器４１２で一括して蒸発させることができ、暖房兼デフロスト運転において室内熱交換器４７１から流出した冷媒と室外熱交換器４１２から流出した冷媒とを蓄熱用熱交換器４４１で一括して蒸発させることができる。したがって、この空気調和装置４では、冷媒回路４０の構成をシンプルにすることができる。
【０２１２】
（３）
第５実施形態に係る空気調和装置４では、冷媒回路４０が、四路切換弁４１３および第１電磁弁ＳＶ１を有する。このため、この空気調和装置４では、暖房兼温蓄熱運転と暖房兼デフロスト運転との間で冷媒の流れを適切に制御することができる。
（４）
第５実施形態に係る空気調和装置４では、冷媒回路４０が、第１開閉機構ＯＣ１および第２開閉機構ＯＣ２により冷房運転にも切換可能であり、第２電磁弁ＳＶ２を有する。このため、この空気調和装置４では、暖房兼デフロスト運転と冷房運転との間で冷媒の流れを適切に制御することができる。
【０２１３】
（５）
第５実施形態に係る空気調和装置４では、冷媒回路４０に、暖房兼デフロスト運転において室外熱交換器４１２に液状冷媒が溜まるように、冷媒が充填されている。このため、この空気調和装置４では、暖房兼デフロスト運転において、室内熱交換器４７１へ流れる吐出冷媒の凝縮温度および凝縮圧力の低下を抑えることができる。したがって、この空気調和装置４では、暖房兼デフロスト運転における室内熱交換器４７１の暖房能力の低下を抑えることができる。
【０２１４】
（６）
第５実施形態に係る空気調和装置４では、蓄熱ユニットとして氷蓄熱ユニット４４が採用されているため、氷蓄熱運転および氷蓄熱利用冷房運転を行うことができる。このため、この空気調和装置４では、夏季など、冷房運転が必要となる環境において、電力ピークを調節することができる。
【０２１５】
［変形例］
（Ａ）
第５実施形態に係る空気調和装置４の主冷媒回路４ａに配置される第１開閉機構ＯＣ１は、第１実施形態の変形例（Ａ）に示されるように、双方向電磁弁に置換されてもかまわない。また、第３開閉機構ＯＣ３および第５開閉機構ＯＣ５についても、同様に双方向電磁弁に置換されてもかまわない。
【０２１６】
（Ｂ）
第５実施形態に係る空気調和装置４の主冷媒回路４ａに配置される第１開閉機構ＯＣ１および第２開閉機構ＯＣ２は、第１実施形態の変形例（Ｂ）に示されるように、四路切換弁およびキャピラリーチューブに置換されてもかまわない。
（Ｃ）
第５実施形態に係る空気調和装置４に代えて、図１４に示されるような空気調和装置４Ａを採用しても本発明の作用効果と同様の作用効果を得ることができる。
【０２１７】
第５実施形態に係る空気調和装置４では、冷媒回路４０を構成する主冷媒回路４ａにおいて第１ＨＬ接続点ＨＣ１と第１ＩＬ接続点ＩＣ１との間に第５開閉機構ＯＣ５が配置され、冷媒回路４０を構成する利用ライン４ｄにおいて第４開閉機構ＯＣ４が配置された。これに対し、本変形例に係る空気調和装置４Ａでは、主冷媒回路４Ａａと利用ライン４ｄとの接続点に四路切換弁４４４およびキャピラリーチューブ４４５が配置される。なお、この四路切換弁４４４およびキャピラリーチューブ４４５は、氷蓄熱ユニット４４Ａに属することとなる。また、この冷媒回路４０Ａにおいて、四路切換弁４４４は、冷房運転時、氷蓄熱運転時、暖房運転時、暖房兼温蓄熱運転時、デフロスト運転時、および暖房兼デフロスト運転時には図１４の実線で示される状態にされ、氷蓄熱利用冷房運転時には図１４の破線で示される状態にされる。
【０２１８】
＜第６実施形態＞
［空気調和装置の構成］
本発明の一実施形態にかかる空気調和装置５の概略冷媒回路５０を図１５に示す。
この空気調和装置５は、冷房運転および暖房運転のみならず氷蓄熱運転、第１氷蓄熱利用冷房運転（電力ピークカット運転）、第２氷蓄熱利用冷房運転（電力ピークシフト運転）、温蓄熱運転、温蓄熱利用暖房運転、暖房兼温蓄熱運転、デフロスト運転、および暖房兼デフロスト運転も可能な空気調和装置（冬季などにおいて気温が氷点下となるような寒冷地向けの空気調和装置）であって、主冷媒回路５ａ、蓄熱ライン５ｂ、利用ライン５ｃ、および連絡ライン５ｄから構成される冷媒回路５０を備えている。
【０２１９】
主冷媒回路５ａは、切換回路５０ａ、室外側ガス側冷媒ライン５０ｂ、室外熱交換器５１２、液側冷媒ライン５０ｃ、室内熱交換器５７１、低圧ガス側冷媒ライン５０ｄ、および高圧ガス側冷媒ライン５０ｅから構成されている。
切換回路５０ａには、主に、圧縮機５１１、四路切換弁５１３、キャピラリーチューブ５３８、および気液分離器５１４が配備されており、各機器は、図１５に示されるように、冷媒配管を介して接続されている。すなわち、圧縮機５１１の吐出側と四路切換弁５１３の第１ポートとが接続され、四路切換弁５１３の第３ポートと気液分離器５１４の入口とが接続され、気液分離器５１４の出口と圧縮機５１１の吸入側とが接続され、四路切換弁５１３の第４ポートとキャピラリーチューブ５３８の一端が接続される。また、キャピラリーチューブ５３８の他端は、四路切換弁５１３の第３ポートと気液分離器５１４の入口とを接続する冷媒配管（以下、第１低圧ガス側冷媒配管という）に配管接続される。なお、以下、キャピラリーチューブ５３８の他端と第１低圧ガス側冷媒配管との接続点をＣＬ接続点ＣＣという。
【０２２０】
室外側ガス側冷媒ライン５０ｂは、四路切換弁５１３の第２ポートと室外側熱交換器５１２のガス側とを接続する。
液側冷媒ライン５０ｃは、一端が室外熱交換器５１２の液側に、他端が室内熱交換器５７１の液側に接続される。そして、この液側冷媒ライン５０ｃには第６開閉機構ＯＣ６および第１電動膨張弁ＥＶ１が配備されており、各機器が室外熱交換器５１２から室内熱交換器５７１に向かって上記の順に冷媒配管を介して接続されている。
【０２２１】
低圧ガス側冷媒ライン５０ｄは、一端が室内熱交換器５７１のガス側に、他端がＣＬ接続点ＣＣと気液分離器５１４の入口とを接続する冷媒配管（以下、第２低圧ガス側冷媒配管という）に接続されている。なお、以下、低圧冷媒ライン５０ｃと第２低圧ガス側冷媒配管との接続点をＬＰＬ接続点ＬＰＣという。そして、この低圧ガス側冷媒ライン５０ｄには第１電磁弁ＳＶ１’が配備されている。
【０２２２】
高圧ガス側冷媒ライン５０ｅは、一端が室内熱交換器５７１のガス側と第１電磁弁ＳＶ１’とを接続する冷媒配管（以下、室内側低圧ガス側冷媒主管という）に、他端が圧縮機５１１と四路切換弁５１３の第１ポートとを接続する冷媒配管（以下、高圧ガス側冷媒配管という）に接続されている。なお、以下、高圧ガス側冷媒ライン５０ｅと室内側低圧ガス側冷媒主管との接続点を第１ＨＰＬ接続点ＨＰＣ１といい、高圧ガス側冷媒ライン５０ｅと高圧ガス側冷媒配管との接続点を第２ＨＰＬ接続点ＨＰＣ２という。そして、この高圧ガス側冷媒ライン５０ｅには、第２電磁弁ＳＶ２’が配備されている。
【０２２３】
蓄熱ライン５ｂは、一端が第１電動膨張弁ＥＶ１と第６開閉機構ＯＣ６とを接続する冷媒配管（以下、室内側液側冷媒主管という）に、他端が第１電磁弁ＳＶ１’とＬＰＬ接続点ＬＰＣとを接続する冷媒配管（以下、室外側低圧ガス側冷媒主管という）に配管接続されることによって主冷媒回路５ａと接続されている。なお、以下、蓄熱ライン５ｂと室内側液側冷媒主管との接続点を第１ＨＬ接続点ＨＣ１といい、蓄熱ライン５ｂと室外側低圧ガス側冷媒主管との接続点を第２ＨＬ接続点ＨＣ２という。そして、この蓄熱ライン５ｂには第３電磁弁ＳＶ３’、蓄熱用熱交換器５４１、および第２電動膨張弁ＥＶ２が配備されており、各機器が第２ＨＬ接続点ＨＣ２から第１ＨＬ接続点ＨＣ１に向かって上記の順に冷媒配管を介して接続されている。
【０２２４】
利用ライン５ｃは、一端が室外熱交換器５１２の液側と第６開閉機構ＯＣ６とを接続する冷媒配管（以下、室外側液側冷媒主管という）に、他端が第２電磁弁ＳＶ２’と第２ＨＰＬ接続点ＨＰＣ２とを接続する冷媒配管（以下、室外側高圧ガス側冷媒主管という）に配管接続されることによって主冷媒回路５ａと接続されている。なお、以下、利用ライン５ｃと室外側液側冷媒主管との接続点を第１ＩＬ接続点ＩＣ１といい、利用ライン５ｃと室外側高圧ガス側冷媒主管との接続点を第２ＩＬ接続点ＩＣ２という。そして、この利用ライン５ｃには、第４電磁弁ＳＶ４’および第５開閉機構ＯＣ５が配備されており、各機器が第２ＩＬ接続点ＩＣ２から第１ＩＬ接続点ＩＣ１に向かって上記の順に冷媒配管を介して接続されている。
【０２２５】
連絡ライン５ｄは、一端が第３電磁弁ＳＶ３’と蓄熱用熱交換器５４１とを接続する冷媒配管（以下、低圧ガス側冷媒主管側バイパス配管という）に、他端が第４電磁弁ＳＶ４’と第５開閉機構ＯＣ５とを接続する冷媒配管（以下、高圧ガス側冷媒主管側バイパス配管という）に配管接続されることによって蓄熱ライン５ｂと利用ライン５ｃとを接続している。なお、以下、連絡ライン５ｄと低圧ガス側冷媒主管側バイパス配管との接続点を第１ＮＬ接続点ＮＣ１といい、連絡ライン５ｄと高圧ガス側冷媒主管側バイパス配管との接続点を第２ＮＬ接続点ＮＣ２という。
【０２２６】
また、本実施形態では、空気調和装置５は、分離型の空気調和装置であって、室内熱交換器５７１、第１電動膨張弁ＥＶ１、低圧ガス側冷媒主管５８１、および液側冷媒主管５８２を主に有する室内ユニット５７と、蓄熱用熱交換器５４１、蓄熱水槽５４２、第２電動膨張弁ＥＶ２、第１電磁弁ＳＶ１’、第２電磁弁ＳＶ２’、第３電磁弁ＳＶ３’、第４電磁弁ＳＶ４’、第５開閉機構ＯＣ５、第６開閉機構ＯＣ６、低圧ガス側冷媒主管５５１、高圧ガス側冷媒主管５５３、および液側冷媒主管５５２を主に有する氷蓄熱ユニット５４と、圧縮機５１１、四路切換弁５１３、室外熱交換器５１２、気液分離器５１４、キャピラリーチューブ５３８、低圧ガス側冷媒主管５２１、高圧ガス側冷媒主管５２３、および液側冷媒主管５２２を主に有する室外ユニット５１と、室内ユニット５７の液側冷媒主管５８２と氷蓄熱ユニット５４の液側冷媒主管５５２とを接続する第１冷媒連絡配管５８７と、室内ユニット５７の低圧ガス側冷媒主管５８１と氷蓄熱ユニット５４の低圧ガス側冷媒主管５５１とを接続する第２冷媒連絡配管５８６と、氷蓄熱ユニット５４の液側冷媒主管５５２と室外ユニット５１の液側冷媒主管５２２とを接続する第３冷媒連絡配管５３７と、氷蓄熱ユニット５４の低圧ガス側冷媒主管５５１と室外ユニット５１の低圧ガス側冷媒主管５２１とを接続する第４冷媒連絡配管５３６と、氷蓄熱ユニット５４の高圧ガス側冷媒主管５５３と室外ユニット５１の高圧ガス側冷媒主管５２３とを接続する第５冷媒連絡配管５３５とから構成されているともいえる。なお、室外ユニット５１の液側冷媒主管５２２と第３冷媒連絡配管５３７とは室外ユニット５１の液側閉鎖弁５３３を介して、室外ユニット５１の低圧ガス側冷媒主管５２１と第４冷媒連絡配管５３６とは室外ユニット５１の第２ガス側閉鎖弁５３２を介して、室外ユニット５１の高圧ガス側冷媒主管５２３と第５冷媒連絡配管５３５とは室外ユニット５１の第１ガス側閉鎖弁５３１を介してそれぞれ接続されている。
【０２２７】
なお、このように本実施形態にかかる空気調和装置５をユニット単位で見た場合、ＣＬ接続点ＣＣ、ＬＰＬ接続点ＬＰＣ、および第２ＨＰＬ接続点ＨＰＣ２は室外ユニット５１に属し、第１ＨＰＬ接続点ＨＰＣ１、第１ＨＬ接続点ＨＣ１、第２ＨＬ接続点ＨＣ２、第１ＩＬ接続点ＩＣ１、第２ＩＬ接続点ＩＣ２、第１ＮＬ接続点ＮＣ１、および第２ＮＬ接続点ＮＣ２は氷蓄熱ユニット５４に属する。
【０２２８】
（１）室内ユニット
室内ユニット５７は、主に、室内熱交換器５７１、室内ファン（図示せず）、第１電動膨張弁ＥＶ１、低圧ガス側冷媒主管５８１、および液側冷媒主管５８２を有している。
室内熱交換器５７１は、空調室内の空気である室内空気と冷媒との間で熱交換をさせるための熱交換器である。
【０２２９】
室内ファンは、ユニット５７内に空調室内の空気を取り込み、室内熱交換器５７１を介して冷媒と熱交換した後の空気である調和空気を再び空調室内への送り出すためファンである。
そして、この室内ユニット５７は、このような構成を採用することによって、冷房運転時、第１氷蓄熱利用冷房運転（電力ピークカット運転）時、および第２氷蓄熱利用冷房運転（電力ピークシフト運転）時には室内ファンにより内部に取り込んだ室内空気と室内熱交換器５７１を流れる液冷媒とを熱交換させて調和空気（冷気）を生成し、暖房運転時、暖房兼温蓄熱運転時、温蓄熱利用暖房運転時、および暖房兼デフロスト運転時には室内ファンにより内部に取り込んだ室内空気と室内熱交換器５７１を流れるガス冷媒とを熱交換させて調和空気（暖気）を生成することが可能となっている。
【０２３０】
（２）氷蓄熱ユニット
氷蓄熱ユニット５４は、主に、蓄熱用熱交換器５４１、蓄熱水槽５４２、第２電動膨張弁ＥＶ２、第１電磁弁ＳＶ１’、第２電磁弁ＳＶ２’、第３電磁弁ＳＶ３’、第４電磁弁ＳＶ４’、第５開閉機構ＯＣ５、第６開閉機構ＯＣ６、低圧ガス側冷媒主管５５１、高圧ガス側冷媒主管５５３、および液側冷媒主管５５２を有している。
【０２３１】
蓄熱用熱交換器５４１は、蓄熱水槽５４２に蓄えられている蓄熱用水と冷媒との間で熱交換をさせるための熱交換器である。
第５開閉機構ＯＣ５は、開閉可能な第５電磁弁ＳＶ５’および第５逆止弁５６５を有している。この第５開閉機構ＯＣ５では、第５電磁弁ＳＶ５’と第５逆止弁５６５とが冷媒流れに対して直列に配置される。なお、この際、第５電磁弁ＳＶ５’は第１ＩＬ接続点ＩＣ１側に、第５逆止弁５６５は第２ＮＬ接続点ＮＣ２側に配置される。また、この第５逆止弁５６５は、第１ＩＬ接続点ＩＣ１から第２ＮＬ接続点ＮＣ２に向かう冷媒の流れのみを許容するように取り付けられている。
【０２３２】
第６開閉機構ＯＣ６は、開閉可能な第６電磁弁ＳＶ６’および第６逆止弁５６６を有している。この第６開閉機構ＯＣ６では、第６電磁弁ＳＶ６’と第６逆止弁５６６とが冷媒流れに対して並列に配置される。また、この第６逆止弁５６６は、第１ＨＬ接続点ＨＣ１から第１ＩＬ接続点ＩＣ１に向かう冷媒の流れのみを許容するように取り付けられている。
【０２３３】
そして、この氷蓄熱ユニット５４は、このような構成を採用することによって、氷蓄熱運転時には蓄熱用熱交換器５４１を流れる液冷媒の冷熱を蓄熱用水に蓄積させ、第１氷蓄熱利用冷房運転（電力ピークカット運転）時および第２氷蓄熱利用冷房運転（電力ピークシフト運転）時には蓄熱用熱交換器５４１を流れるガス状または気液二相状態の冷媒にその冷熱を供給することによってそのガス状または気液二相状態の冷媒を凝縮させ、温蓄熱運転時および暖房兼温蓄熱運転時には蓄熱用熱交換器４４１を流れるガス冷媒の温熱を蓄熱用水に蓄積させ、また、温蓄熱利用暖房運転時および暖房兼デフロスト運転時には蓄熱用熱交換器５４１を流れる液冷媒に蓄熱用水に蓄積される温熱を供給することによってその液冷媒を蒸発させることが可能となっている。なお、この蓄熱用水は、氷蓄熱運転時には液相から固相に相転移して液冷媒から供給される冷熱を主に潜熱として蓄積し、温蓄熱運転時および暖房兼温蓄熱運転時にはガス冷媒から供給される温熱を顕熱として蓄積する。
【０２３４】
（３）室外ユニット
室外ユニット５１は、主に、四路切換弁５１３、圧縮機５１１、室外熱交換器５１２、気液分離器５１４、キャピラリーチューブ５３８、低圧ガス側冷媒主管５２１、高圧ガス側冷媒主管５２３、および液側冷媒主管５２２を有している。
圧縮機５１１は、吸入管５２５を流れる低圧のガス冷媒を吸入して圧縮した後、吐出管５２６に吐出するための機器である。本実施形態において、圧縮機５１１は、スクロール式やロータリ式等の容積式の圧縮機である。
【０２３５】
四路切換弁５１３は、各運転に対応して、冷媒の流れ方向を切り換えるための弁であり、冷房運転時、氷蓄熱運転時、第１氷蓄熱利用冷房運転（電力ピークカット運転）時、第２氷蓄熱利用冷房運転（電力ピークシフト運転）時、デフロスト運転時、および暖房兼デフロスト運転時には圧縮機５１１の吐出管５２６と室外熱交換器５１２のガス側とを接続し、暖房運転時、温蓄熱運転時、温蓄熱利用暖房運転時、および暖房兼温蓄熱運転時には圧縮機５１１の吸入管５２５と室外熱交換器５１２のガス側とを接続することが可能である。
【０２３６】
室外熱交換器５１２は、冷房運転時、氷蓄熱運転時、第１氷蓄熱利用冷房運転（電力ピークカット運転）時、および第２氷蓄熱利用冷房運転（電力ピークシフト運転）時において、圧縮機５１１から吐出された高圧のガス冷媒を空調室外の空気を熱源として凝縮させることが可能であり、暖房運転時には室内熱交換器５７１から戻る液冷媒を、温蓄熱運転時には蓄熱用熱交換器５４１から戻る液冷媒を、暖房兼温蓄熱運転時には室内熱交換器５７１および蓄熱用熱交換器５４１から戻る液冷媒を蒸発させることが可能である。
【０２３７】
［空気調和装置の動作］
空気調和装置５の運転動作について、図１５および図１６を用いて説明する。この空気調和装置５は、上述したように冷房運転、氷蓄熱運転、第１氷蓄熱利用冷房運転（電力ピークカット運転）、第２氷蓄熱利用冷房運転（電力ピークシフト運転）、暖房運転、温蓄熱利用暖房運転、暖房兼温蓄熱運転、デフロスト運転、および暖房兼デフロスト運転を行うことが可能である。
【０２３８】
（１）冷房運転
冷房運転時は、四路切換弁５１３が図１５の実線で示される状態、すなわち、圧縮機５１１の吐出管５２６が室外熱交換器５１２のガス側に接続された状態となる。また、第１電動膨張弁ＥＶ１は過冷却度制御（以下、ＳＣ制御という）され、第２電動膨張弁ＥＶ２は全閉状態とされる。なお、第１電動膨張弁ＥＶ１がＳＣ制御されると、第１電動膨張弁ＥＶ１の弁開度が、室外熱交換器５１２のガス側における冷媒の温度から室外熱交換器５１２の液側における冷媒の温度を引いた差分が一定の負の値（例えば、−５℃）となるように調節される。また、第１電磁弁ＳＶ１’、第３電磁弁ＳＶ３’、および第６電磁弁ＳＶ６’はＯＮされて開状態とされ、第２電磁弁ＳＶ２’、第４電磁弁ＳＶ４’、および第５電磁弁ＳＶ５’はＯＦＦされて閉状態とされる（図１６参照）。そして、液側閉鎖弁５３３、第１ガス側閉鎖弁５３１、および第２ガス側閉鎖弁５３２は開状態とされる。
【０２３９】
この冷媒回路５０の状態で、圧縮機５１１を起動すると、ガス冷媒が、圧縮機５１１に吸入されて圧縮された後、吐出管５２６、第２ＨＰＬ接続点ＨＰＣ２、および四路切換弁５１３を経由して室外熱交換器５１２に送られ、室外熱交換器５１２において凝縮されて液冷媒となる。
そして、この液冷媒は、液側閉鎖弁５３３、第１ＩＬ接続点ＩＣ１、第６電磁弁ＳＶ６’、および第１ＨＬ接続点ＨＣ１を経由して第１電動膨張弁ＥＶ１に送られる。第１電動膨張弁ＥＶ１に送られた液冷媒は、減圧された後に室内熱交換器５７１に供給され、室内空気を冷却するとともに蒸発されてガス冷媒となる。そのガス冷媒は、第１ＨＰＬ接続点ＨＰＣ１、第１電磁弁ＳＶ１’、第２ＨＬ接続点ＨＣ２、第２ガス側閉鎖弁５３２、ＬＰＬ接続点ＬＰＣ、および気液分離器５１４を経由して、再び、圧縮機５１１に吸入される。このようにして、冷房運転が行われる。
【０２４０】
（２）氷蓄熱運転
氷蓄熱運転時は、四路切換弁５１３が図１５の実線で示される状態、すなわち、圧縮機５１１の吐出管５２６が室外熱交換器５１２のガス側に接続された状態となる。また、第１電動膨張弁ＥＶ１は全閉状態とされ、第２電動膨張弁ＥＶ２はＳＣ制御される。なお、第２電動膨張弁ＥＶ２がＳＣ制御されると、第２電動膨張弁ＥＶ２の弁開度が、室外熱交換器５１２のガス側における冷媒の温度から室外熱交換器５１２の液側における冷媒の温度を引いた差分が一定の負の値（例えば、−５℃）となるように調節される。また、第１電磁弁ＳＶ１’、第３電磁弁ＳＶ３’、および第６電磁弁ＳＶ６’は、ＯＮされて開状態とされ、第２電磁弁ＳＶ２’、第４電磁弁ＳＶ４’、および第５電磁弁ＳＶ５’はＯＦＦされて閉状態とされる（図１６参照）。そして、液側閉鎖弁５３３、第１ガス側閉鎖弁５３１、および第２ガス側閉鎖弁５３２は開状態とされる。
【０２４１】
この冷媒回路５０の状態で、圧縮機５１１を起動すると、ガス冷媒が、圧縮機５１１に吸入されて圧縮された後、吐出管５２６、第２ＨＰＬ接続点ＨＰＣ２、および四路切換弁５１３を経由して室外熱交換器５１２に送られ、室外熱交換器５１２において凝縮されて液冷媒となる。
そして、この液冷媒は、液側閉鎖弁５３３、第１ＩＬ接続点ＩＣ１、第６電磁弁ＳＶ６’、および第１ＨＬ接続点ＨＣ１を経由して第２電動膨張弁ＥＶ２に送られる。第２電動膨張弁ＥＶ２に送られた液冷媒は、減圧された後に蓄熱用熱交換器５４１に供給され、蓄熱用水を冷却するとともに蒸発されてガス冷媒となる。この際、蓄熱用水は、液相から固相に相転移し、液冷媒から供給される冷熱を主に潜熱として蓄積する。
【０２４２】
そして、そのガス冷媒は、第１ＮＬ接続点ＮＣ１、第３電磁弁ＳＶ３’、第２ＨＬ接続点ＨＣ２、第２ガス側閉鎖弁５３２、ＬＰＬ接続点ＬＰＣ、および気液分離器５１４を経由して、再び、圧縮機５１１に吸入される。このようにして、氷蓄熱運転が行われる。
（３）第１氷蓄熱利用冷房運転（電力ピークカット運転）
第１氷蓄熱利用冷房運転時は、四路切換弁５１３が図１５の実線で示される状態、すなわち、圧縮機５１１の吐出管５２６が室外熱交換器５１２のガス側に接続された状態となる。また、第１電動膨張弁ＥＶ１は高圧制御（以下、ＨＰ制御という）され、第２電動膨張弁ＥＶ２は全開状態とされる。なお、第１電動膨張弁ＥＶ１がＨＰ制御されると、第１電動膨張弁ＥＶ１の弁開度が、圧縮機５１１の吐出圧力が所定値以上となるように調節される。また、第１電磁弁ＳＶ１’、第４電磁弁ＳＶ４’、および第６電磁弁ＳＶ６’はＯＮされて開状態とされ、第２電磁弁ＳＶ２’、第３電磁弁ＳＶ３’、および第５電磁弁ＳＶ５’はＯＦＦされて閉状態とされる（図１６参照）。そして、液側閉鎖弁５３３、第１ガス側閉鎖弁５３１、および第２ガス側閉鎖弁５３２は開状態とされる。
【０２４３】
この冷媒回路５０の状態で、圧縮機５１１を起動すると、ガス冷媒が、圧縮機５１１に吸入されて圧縮された後、吐出管５２６を経由して第２ＨＰＬ接続点ＨＰＣ２に至る。そして、第２ＨＰＬ接続点ＨＰＣ２に至ったガス冷媒は、その後、第１ガス側閉鎖弁５３１、第２ＩＬ接続点ＩＣ２、第４電磁弁ＳＶ４’、第２ＮＬ接続点ＮＣ２、第１ＮＬ接続点ＮＣ１を経由して蓄熱用熱交換器５４１に向かう経路である第１経路と、四路切換弁５１３を経由して室外熱交換器５１２に向かう経路である第２経路とに分配される。
【０２４４】
第１経路に分配されたガス冷媒は、蓄熱用熱交換器５４１において蓄熱用水に蓄積された冷熱により凝縮されて液冷媒となる。その後、その液冷媒は、第２電動膨張弁ＥＶ２を経由して第１ＨＬ接続点ＨＣ１に至る。
第２経路に分配されたガス冷媒は、室外熱交換器５１２において凝縮されて液状または気液二相の冷媒となり、液側閉鎖弁５３３、第１ＩＬ接続点ＩＣ１、および第６開閉機構ＯＣ６を経由して第１ＨＬ接続点ＨＣ１に至る。
【０２４５】
そして、第２電動膨張弁ＥＶ２を経由して第１ＨＬ接続点ＨＣ１に至った液冷媒と、液側閉鎖弁５３３、第１ＩＬ接続点ＩＣ１、および第６開閉機構ＯＣ６を経由して第１ＨＬ接続点ＨＣ１に至った液状または気液二相の冷媒とは、第１ＨＬ接続点ＨＣ１において合流した後、第１電動膨張弁ＥＶ１に送られる。第１電動膨張弁ＥＶ１に送られた液冷媒は、減圧された後に室内熱交換器５７１に供給され、室内空気を冷却するとともに蒸発されてガス冷媒となる。
【０２４６】
そして、そのガス冷媒は、第１ＨＰＬ接続点ＨＰＣ１、第１電磁弁ＳＶ１’、第２ＨＬ接続点ＨＣ２、第２ガス側閉鎖弁５３２、ＬＰＬ接続点ＬＰＣ、および気液分離器５１４を経由して、再び、圧縮機５１１に吸入される。このようにして、第１氷蓄熱利用冷房運転が行われる。
（４）第２氷蓄熱利用冷房運転（電力ピークシフト運転）
第２氷蓄熱利用冷房運転時は、四路切換弁５１３が図１５の実線で示される状態、すなわち、圧縮機５１１の吐出管５２６が室外熱交換器５１２のガス側に接続された状態となる。また、第１電動膨張弁ＥＶ１はＳＣ制御され、第２電動膨張弁ＥＶ２は全開状態とされる。なお、第１電動膨張弁ＥＶ１がＳＣ制御されると、第１電動膨張弁ＥＶ１の弁開度が、蓄熱用熱交換器５４１の第１ＮＬ接続点ＮＣ１側における冷媒の温度から蓄熱用熱交換器５４１の第１電動膨張弁ＥＶ１側における冷媒の温度を引いた差分が一定の負の値（例えば、−５℃）となるように調節される。また、第１電磁弁ＳＶ１’および第５電磁弁ＳＶ５’はＯＮされて開状態とされ、第２電磁弁ＳＶ２’、第３電磁弁ＳＶ３’、第４電磁弁ＳＶ４’、および第６電磁弁ＳＶ６’はＯＦＦされて閉状態とされる（図１６参照）。そして、液側閉鎖弁５３３、第１ガス側閉鎖弁５３１、および第２ガス側閉鎖弁５３２は開状態とされる。
【０２４７】
この冷媒回路５０の状態で、圧縮機５１１を起動すると、ガス冷媒が、圧縮機５１１に吸入されて圧縮された後、吐出管５２６、第２ＨＰＬ接続点ＨＰＣ２、および四路切換弁５１３を経由して室外熱交換器４１２に送られ、室外熱交換器５１２において凝縮されて液状または気液二相の冷媒となる。
そして、この液状または気液二相の冷媒は、液側閉鎖弁５３３、第１ＩＬ接続点ＩＣ１、第５開閉機構ＯＣ５、第２ＮＬ接続点ＮＣ２、および第１ＮＬ接続点ＮＣ１を経由して蓄熱用熱交換器５４１に送られ、蓄熱用熱交換器５４１において蓄熱用水に蓄積された冷熱によりさらに低温の液冷媒または液冷媒となる。
【０２４８】
そして、この液冷媒は、第２電動膨張弁ＥＶ２および第１ＨＬ接続点ＨＣ１を経由して第１電動膨張弁ＥＶ１に送られる。第１電動膨張弁ＥＶ１に送られた液冷媒は、減圧された後に室内熱交換器５７１に供給され、室内空気を冷却するとともに蒸発されてガス冷媒となる。
そして、そのガス冷媒は、第１ＨＰＬ接続点ＨＰＣ１、第１電磁弁ＳＶ１’、第２ＨＬ接続点ＨＣ２、第２ガス側閉鎖弁５３２、ＬＰＬ接続点ＬＰＣ、および気液分離器５１４を経由して、再び、圧縮機５１１に吸入される。このようにして、第２氷蓄熱利用冷房運転が行われる。
【０２４９】
（５）暖房運転
暖房運転時は、四路切換弁５１３が図１５の破線で示される状態、すなわち、圧縮機５１１の吸入側が気液分離器５１４を介して室外熱交換器５１２のガス側に接続された状態となっている。また、第１電動膨張弁ＥＶ１はＳＣ制御され、第２電動膨張弁ＥＶ２は全閉状態とされる。なお、第１電動膨張弁ＥＶ１がＳＣ制御されると、第１電動膨張弁ＥＶ１の弁開度が、室内熱交換器５７１のガス側における冷媒の温度から室内熱交換器５７１の液側における冷媒の温度を引いた差分が一定の負の値（例えば、−５℃）となるように調節される。また、第１電磁弁ＳＶ１’、第４電磁弁ＳＶ４’、第５電磁弁ＳＶ５’、および第６電磁弁ＳＶ６’はＯＦＦされて閉状態とされ、第２電磁弁ＳＶ２’および第３電磁弁ＳＶ３’はＯＮされて開状態とされる（図１６参照）。そして、液側閉鎖弁５３３、第１ガス側閉鎖弁５３１、および第２ガス側閉鎖弁５３２は開状態とされる。
【０２５０】
この冷媒回路５０の状態で、圧縮機５１１を起動すると、ガス冷媒が、圧縮機５１１に吸入されて圧縮された後、吐出管５２６、第２ＨＰＬ接続点ＨＰＣ２、第１ガス側閉鎖弁５３１、第２ＩＬ接続点ＩＣ２、第２電磁弁ＳＶ２’、および第１ＨＰＬ接続点ＨＰＣ１を経由して、室内熱交換器５７１に供給され、室内熱交換器５７１において室内空気を加熱するとともに凝縮されて液冷媒となる。
【０２５１】
そして、この液冷媒は、第１電動膨張弁ＥＶ１に送られる。第１電動膨張弁ＥＶ１に送られた液冷媒は、減圧された後に第１ＨＬ接続点ＨＣ１、第６逆止弁５６６、第１ＩＬ接続点ＩＣ１、および液側閉鎖弁５３３を経由して室外熱交換器５１２に送られ、室外熱交換器５１２において蒸発されてガス冷媒となる。そのガス冷媒は、四路切換弁５１３、ＣＬ接続点ＣＣ、ＬＰＬ接続点ＬＰＣ、および気液分離器５１４を経由して、吸入管５２５に戻り、再び、圧縮機５１１に吸入される。このようにして、暖房運転が行われる。
【０２５２】
（６）温蓄熱運転
温蓄熱運転時は、四路切換弁５１３が図１５の破線で示される状態、すなわち、圧縮機５１１の吸入側が気液分離器５１４を介して室外熱交換器５１２のガス側に接続された状態となっている。また、第１電動膨張弁ＥＶ１は全閉状態とされ、第２電動膨張弁ＥＶ２はＳＣ制御される。なお、第２電動膨張弁ＥＶ２がＳＣ制御されると、第２電動膨張弁ＥＶ２の弁開度が、蓄熱用熱交換器５４１の第１ＮＬ接続点ＮＣ１側における冷媒の温度から蓄熱用熱交換器５４１の第２電動膨張弁ＥＶ２側における冷媒の温度を引いた差分が一定の負の値（例えば、−５℃）となるように調節される。また、第１電磁弁ＳＶ１’および第４電磁弁ＳＶ４’はＯＮされて開状態とされ、第２電磁弁ＳＶ２’、第３電磁弁ＳＶ３’、第５電磁弁ＳＶ５’、および第６電磁弁ＳＶ６’はＯＦＦされて閉状態とされる（図１６参照）。そして、液側閉鎖弁５３３、第１ガス側閉鎖弁５３１、および第２ガス側閉鎖弁５３２は開状態とされる。
【０２５３】
この冷媒回路５０の状態で、圧縮機５１１を起動すると、ガス冷媒が、圧縮機５１１に吸入されて圧縮された後、吐出管５２６、第２ＨＰＬ接続点ＨＰＣ２、第１ガス側閉鎖弁５３１、第２ＩＬ接続点ＩＣ２、第４電磁弁ＳＶ４’、第２ＮＬ接続点ＮＣ２、および第１ＮＬ接続点ＮＣ１を経由して、蓄熱用熱交換器５４１に供給され、蓄熱用熱交換器５４１において蓄熱用水を加熱するとともに凝縮されて液冷媒となる。
【０２５４】
そして、その液冷媒は、第２電動膨張弁ＥＶ２に送られる。第２電動膨張弁ＥＶ２に送られた液冷媒は、減圧された後に第１ＨＬ接続点ＨＣ１、第６逆止弁５６６、第１ＩＬ接続点ＩＣ１、および液側閉鎖弁５３３を経由して室外熱交換器５１２に送られ、室外熱交換器５１２において蒸発されてガス冷媒となる。このガス冷媒は、四路切換弁５１３、ＣＬ接続点ＣＣ、ＬＰＬ接続点ＬＰＣ、および気液分離器５１４を経由して、吸入管５２５に戻り、再び、圧縮機５１１に吸入される。このようにして、温蓄熱運転が行われる。
【０２５５】
（７）暖房兼温蓄熱運転
暖房兼温蓄熱運転時は、四路切換弁５１３が図１５の破線で示される状態、すなわち、圧縮機５１１の吸入側が気液分離器５１４を介して室外熱交換器５１２のガス側に接続された状態となっている。また、第１電動膨張弁ＥＶ１はＳＣ制御され、第２電動膨張弁ＥＶ２は所定の開度を維持する状態とされる。なお、第１電動膨張弁ＥＶ１がＳＣ制御されると、第１電動膨張弁ＥＶ１の弁開度が、室内熱交換器５７１のガス側における冷媒の温度から室内熱交換器５７１の液側における冷媒の温度を引いた差分が一定の負の値（例えば、−５℃）となるように調節される。また、第１電磁弁ＳＶ１’、第３電磁弁ＳＶ３’、第５磁弁ＳＶ５’、および第６電磁弁ＳＶ６’はＯＦＦされて閉状態とされ、第２磁弁ＳＶ２’および第４電磁弁ＳＶ４’はＯＮされて開状態とされる（図１６参照）。そして、液側閉鎖弁５３３、第１ガス側閉鎖弁５３１、および第２ガス側閉鎖弁５３２は開状態とされる。
【０２５６】
この冷媒回路５０の状態で、圧縮機５１１を起動すると、ガス冷媒が、圧縮機５１１に吸入されて圧縮された後、吐出管５２６、第２ＨＰＬ接続点ＨＰＣ２、および第１ガス側閉鎖弁５３１を経由して第２ＩＬ接続点ＩＣ２に至る。そして、第２ＩＬ接続点ＩＣ２に至ったガス冷媒は、その後、第２電磁弁ＳＶ２’および第１ＨＰＬ接続点ＨＰＣ１を経由して室内熱交換器５７１に向かう経路である第３経路と、第４電磁弁５６４、第２ＮＬ接続点ＮＣ２、および第１ＮＬ接続点ＮＣ１を経由して蓄熱用熱交換器５４１に向かう経路である第４経路とに分配される。
【０２５７】
第３経路に分配されたガス冷媒は、室内熱交換器５７１において室内空気を加熱するとともに凝縮されて液冷媒となり、第１電動膨張弁ＥＶ１に送られる。第１電動膨張弁ＥＶ１に送られた液冷媒は、減圧された後に第１ＨＬ接続点ＨＣ１に送られる。
一方、第４経路に分配されたガス冷媒は、蓄熱用熱交換器５４１において蓄熱用水を加熱するとともに凝縮されて液冷媒となる。この際、蓄熱用水は、ガス冷媒から供給される温熱を顕熱として蓄積する。その後、その液冷媒は、第２電動膨張弁ＥＶ２に送られる。第２電動膨張弁ＥＶ２に送られた液冷媒は、減圧された後に第１ＨＬ接続点ＨＣ１に送られる。
【０２５８】
そして、第１電動膨張弁ＥＶ１を経由して第１ＨＬ接続点ＨＣ１に送られた液冷媒と、第２電動膨張弁ＥＶ２を経由して第１ＨＬ接続点ＨＣ１に送られた液冷媒とは、第１ＨＬ接続点において合流した後、第６逆止弁５６６、第１ＩＬ接続点ＩＣ１、および液側閉鎖弁４３３を経由して室外熱交換器５１２に送られ、室外熱交換器５１２において蒸発されてガス冷媒となる。このガス冷媒は、四路切換弁５１３、ＣＬ接続点ＣＣ、ＬＰＬ接続点ＬＰＣ、および気液分離器５１４を経由して、吸入管５２５に戻り、再び、圧縮機５１１に吸入される。
【０２５９】
なお、この暖房兼温蓄熱運転は、主に、空気調和装置５の起動時に行われ、蓄熱水槽５４２に設けられている蓄熱用水の温度検出用の温度センサの値が所定の閾値以上になると自動的に暖房運転に切り換わるようになっている。
（８）温蓄熱利用暖房運転
温蓄熱利用暖房運転時は、四路切換弁５１３が図１５の破線で示される状態、すなわち、圧縮機５１１の吸入側が気液分離器５１４を介して室外熱交換器５１２のガス側に接続された状態となっている。また、第１電動膨張弁ＥＶ１はＳＣ制御され、第２電動膨張弁ＥＶ２はＳＨ制御される。なお、第１電動膨張弁ＥＶ１がＳＣ制御されると、第１電動膨張弁ＥＶ１の弁開度が、室内熱交換器５７１のガス側における冷媒の温度から室内熱交換器５７１の液側における冷媒の温度を引いた差分が一定の負の値（例えば、−５℃）となるように調節される。また、第２電動膨張弁ＥＶ２が過熱度制御（以下、ＳＨ制御という）されると、第２電動膨張弁ＥＶ２の弁開度が、蓄熱用熱交換器５４１の第１ＮＬ接続点ＮＣ１側における冷媒の温度から蓄熱用熱交換器５４１の第１電動膨張弁ＥＶ１側における冷媒の温度を引いた差分が一定の正の値（例えば、＋５℃）となるように調節される。また、第１電磁弁ＳＶ１’、第４電磁弁ＳＶ４’、第５磁弁ＳＶ５’、および第６電磁弁ＳＶ６’はＯＦＦされて閉状態とされ、第２磁弁ＳＶ２’および第３電磁弁ＳＶ３’はＯＮされて開状態とされる（図１６参照）。そして、液側閉鎖弁５３３、第１ガス側閉鎖弁５３１、および第２ガス側閉鎖弁５３２は開状態とされる。
【０２６０】
この冷媒回路５０の状態で、圧縮機５１１を起動すると、ガス冷媒が、圧縮機５１１に吸入されて圧縮された後、吐出管５２６、第２ＨＰＬ接続点ＨＰＣ２、第１ガス側閉鎖弁５３１、第２ＩＬ接続点ＩＣ２、第２電磁弁ＳＶ２’、および第１ＨＰＬ接続点ＨＰＣ１を経由して室内熱交換器５７１に送られ、室内熱交換器５７１において室内空気を加熱するとともに凝縮されて液冷媒となり、第１電動膨張弁ＥＶ１に送られる。第１電動膨張弁ＥＶ１に送られた液冷媒は、減圧された後に第１ＨＬ接続点ＨＣ１に送られる。
【０２６１】
そして、第１ＨＬ接続点ＨＣ１に至った液冷媒は、その後、第６逆止弁５６６、第１ＩＬ接続点ＩＣ１、および液側閉鎖弁５３３を経由して室外熱交換器５１２に向かう経路である第５経路と、第２電動膨張弁ＥＶ２に向かう経路である第６経路とに分配される。
第５経路に分配された液冷媒は、室外熱交換器５１２において蒸発されてガス冷媒となる。このガス冷媒は、四路切換弁５１３およびＣＬ接続点ＣＣを経由してＬＰＬ接続点ＬＰＣに至る。
【０２６２】
一方、第６経路に分配された液冷媒は、第２電動膨張弁ＥＶ２において減圧された後に蓄熱用熱交換器５４１に送られ、蓄熱用水に蓄積された温熱により蒸発されてガス冷媒となる。このガス冷媒は、第１ＮＬ接続点ＮＣ１、第３電磁弁ＳＶ３’、第２ＨＬ接続点ＨＣ２、および第２ガス側閉鎖弁５３２を経由してＬＰＬ接続点ＬＰＣに至る。
そして、四路切換弁５１３およびＣＬ接続点ＣＣを経由してＬＰＬ接続点ＬＰＣに至ったガス冷媒と、第１ＮＬ接続点ＮＣ１、第３電磁弁ＳＶ３’、第２ＨＬ接続点ＨＣ２、および第２ガス側閉鎖弁５３２を経由してＬＰＬ接続点ＬＰＣに至ったガス冷媒とは、ＬＰＬ接続点ＬＰＣにおいて合流した後、気液分離器５１４を経由して、吸入管５２５に戻り、再び、圧縮機５１１に吸入される。このようにして、温蓄熱利用暖房運転が行われる。
【０２６３】
（９）デフロスト運転
デフロスト運転時は、四路切換弁５１３が図１５の実線で示される状態、すなわち、圧縮機５１１の吐出管５２６が室外熱交換器５１２のガス側に接続された状態となる。また、第１電動膨張弁ＥＶ１は所定の開度を維持する状態とされ、第２電動膨張弁ＥＶ２は全閉状態とされる。また、第１電磁弁ＳＶ１’、第３電磁弁ＳＶ３’、および第６電磁弁ＳＶ６’はＯＮされて開状態とされ、第２電磁弁ＳＶ２’、第４電磁弁ＳＶ４’、および第５電磁弁ＳＶ５’はＯＦＦされて閉状態とされる（図１６参照）。そして、液側閉鎖弁５３３、第１ガス側閉鎖弁５３１、および第２ガス側閉鎖弁５３２は開状態とされる。
【０２６４】
この冷媒回路５０の状態で、圧縮機５１１を起動すると、ガス冷媒が、圧縮機５１１に吸入されて圧縮された後、吐出管５２６、第２ＨＰＬ接続点ＨＰＣ１、および四路切換弁５１３を経由して室外熱交換器５１２に送られ、室外熱交換器５１２の外表面に付着している霜を融解するとともに凝縮されて液冷媒となる。
そして、室外熱交換器５１２で凝縮された液冷媒は、液側閉鎖弁５３３、第１ＩＬ接続点ＩＣ１、第６電磁弁ＳＶ６’、および第１ＨＬ接続点ＨＣ１を経由して第１電動膨張弁ＥＶ１に送られる。第１電動膨張弁ＥＶ１に送られた液冷媒は、減圧された後に室内熱交換器５７１に供給され、室内熱交換器５７１の周囲の空気を冷却するとともに蒸発されてガス冷媒となる。なお、この際、空調室内を積極的に冷房しないように、室内ファンは駆動しないように制御される。
【０２６５】
そして、そのガス冷媒は、第１ＨＰＬ接続点ＨＰＣ１、第１電磁弁ＳＶ１’、第２ＨＬ接続点ＨＣ２、第２ガス側閉鎖弁５３２、ＬＰＬ接続点ＬＰＣ、および気液分離器５１４を経由して、再び、圧縮機５１１に吸入される。
なお、このデフロスト運転は、室外熱交換器５１２の外表面の温度や外気温などのパラメータに基づいて切り換わるようなっている。また、このデフロスト運転は、室内熱交換器５７１に霜が付着しないように、暖房運転などとの間で間欠的に行われる。
【０２６６】
（１０）暖房兼デフロスト運転
暖房兼デフロスト運転時は、四路切換弁５１３が図１５の実線で示される状態、すなわち、圧縮機５１１の吐出管５２６が室外熱交換器５１２のガス側に接続された状態となる。また、第１電動膨張弁ＥＶ１は全開状態とされ、第２電動膨張弁ＥＶ２はＨＰ制御される。なお、第２電動膨張弁ＥＶ２がＨＰ制御されると、第２電動膨張弁ＥＶ２の弁開度が、圧縮機５１１の吐出圧力が所定値以上となるように調節される。また、第１電磁弁ＳＶ１’、第４電磁弁ＳＶ４’、および第５電磁弁ＳＶ５’はＯＦＦされて閉状態とされ、第２電磁弁ＳＶ２’、第３電磁弁ＳＶ３’、および第６電磁弁ＳＶ６’はＯＮされて開状態とされる（図１６参照）。そして、液側閉鎖弁５３３、第１ガス側閉鎖弁５３１、および第２ガス側閉鎖弁５３２は開状態とされる。
【０２６７】
この冷媒回路５０の状態で、圧縮機５１１を起動すると、ガス冷媒が、圧縮機５１１に吸入されて圧縮された後、吐出管５２６を経由して第２ＨＰＬ接続点ＨＰＣ２に至る。そして、第２ＨＰＬ接続点ＨＰＣ２に至ったガス冷媒は、その後、第１ガス側閉鎖弁５３１、第２ＩＬ接続点ＩＣ２、第２電磁弁ＳＶ２’、および第１ＨＰＬ接続点ＨＰＣ１を経由して室内熱交換器５７１に向かう経路である第７経路と、四路切換弁５１３を経由して室外熱交換器５１２に向かう経路である第８経路とに分配される。
【０２６８】
第７経路に分配されたガス冷媒は、室内熱交換器５７１において室内空気を加熱するとともに凝縮されて液冷媒となり、第１電動膨張弁ＥＶ１を経由して第１ＨＬ接続点ＨＣ１に至る。
一方、第８経路に分配されたガス冷媒は、室外熱交換器５１２の外表面に付着している霜を融解するとともに凝縮されて液冷媒となる。その液冷媒は、液側閉鎖弁５３３、第１ＩＬ接続点ＩＣ１、および第６電磁弁ＳＶ６’を経由して第１ＨＬ接続点ＨＣ１に至る。
【０２６９】
そして、第１電動膨張弁ＥＶ１を経由して第１ＨＬ接続点ＨＣ１に至った液冷媒と、液側閉鎖弁５３３、第１ＩＬ接続点ＩＣ１、および第６電磁弁ＳＶ６’を経由して第１ＨＬ接続点ＨＣ１に至った液冷媒とは、第１ＨＬ接続点ＨＣ１において合流した後、第２電動膨張弁ＥＶ２に送られる。第２電動膨張弁ＥＶ２に送られた液冷媒は、減圧された後に蓄熱用熱交換器５４１に送られ、蓄熱用熱交換器５４１において温熱を蓄積している蓄熱用水によって蒸発されてガス冷媒となる。その後、そのガス冷媒は、第１ＮＬ接続点ＮＣ１、第３電磁弁ＳＶ３’、第２ＨＬ接続点ＨＣ２、第２ガス側閉鎖弁５３２、ＬＰＬ接続点ＬＰＣ、および気液分離器５１４を経由して、吸入管５２５に戻り、再び、圧縮機５１１に吸入される。
【０２７０】
なお、この冷媒回路５０には、暖房兼デフロスト運転時において室外熱交換器５１２に液冷媒が溜まるように冷媒が充填されている。このため、他の運転時においては冷媒が余剰となるが、この余剰冷媒は、主に、気液分離器５１４に貯留される。
なお、この暖房兼デフロスト運転は、室外熱交換器５１２の外表面の温度や外気温などのパラメータに基づいて切り換わるようなっている。また、このデフロスト運転は、所定時間（例えば、１０分間）継続して行われる。
【０２７１】
［空気調和装置の特徴］
（１）
第６実施形態に係る空気調和装置５では、暖房兼温蓄熱運転において圧縮機５１１から吐出されたガス冷媒（以下、吐出冷媒という）が室内熱交換器５７１と蓄熱用熱交換器５４１とに分配され、暖房兼デフロスト運転において吐出冷媒が室内熱交換器５７１と室外熱交換器５１２とに分配される。このため、この空気調和装置５では、暖房兼温蓄熱運転において室内熱交換器５７１と蓄熱用熱交換器５４１とに、暖房兼デフロスト運転において室内熱交換器５７１と室外熱交換器５１２とに適切な熱量を分配するのに、冷媒の分配比のみを考慮すればよい。したがって、この空気調和装置５では、比較的な簡単な制御により暖房兼温蓄熱運転および暖房兼デフロスト運転を行うことができる。
【０２７２】
（２）
第６実施形態に係る空気調和装置５では、暖房兼温蓄熱運転において、室内熱交換器５７１から流出した冷媒と蓄熱用熱交換器５４１から流出した冷媒とが合流して室外熱交換器５１２を通って圧縮機５１１に吸入される。また、暖房兼デフロスト運転において、室内熱交換器５７１から流出した冷媒と室外熱交換器５１２から流出した冷媒とが合流して蓄熱用熱交換器５４１を通って圧縮機５１１に吸入される。このため、この空気調和装置５では、暖房兼温蓄熱運転において室内熱交換器５７１から流出した冷媒と蓄熱用熱交換器５４１から流出した冷媒とを室外熱交換器５１２で一括して蒸発させることができ、暖房兼デフロスト運転において室内熱交換器５７１から流出した冷媒と室外熱交換器５１２から流出した冷媒とを蓄熱用熱交換器５４１で一括して蒸発させることができる。したがって、この空気調和装置５では、冷媒回路５０の構成をシンプルにすることができる。
【０２７３】
（３）
第６実施形態に係る空気調和装置５では、冷媒回路５０が、四路切換弁５１３および第４電磁弁ＳＶ４’を有する。このため、この空気調和装置５では、暖房兼温蓄熱運転と暖房兼デフロスト運転との間で冷媒の流れを適切に制御することができる。
（４）
第６実施形態に係る空気調和装置５では、冷媒回路５０が、冷房運転にも切換可能であり、第２電磁弁ＳＶ２’を有する。このため、この空気調和装置５では、暖房兼デフロスト運転と冷房運転との間で冷媒の流れを適切に制御することができる。
【０２７４】
（５）
第１実施形態に係る空気調和装置５では、冷媒回路５０に、暖房兼デフロスト運転において室外熱交換器５１２に液状冷媒が溜まるように、冷媒が充填されている。このため、この空気調和装置５では、暖房兼デフロスト運転において、室内熱交換器５７１へ流れる吐出冷媒の凝縮温度および凝縮圧力の低下を抑えることができる。したがって、この空気調和装置５では、暖房兼デフロスト運転における室内熱交換器５７１の暖房能力の低下を抑えることができる。
【０２７５】
（６）
第６実施形態に係る空気調和装置５では、蓄熱ユニットとして氷蓄熱ユニット５４が採用されているため、氷蓄熱運転、第１氷蓄熱利用冷房運転（電力ピークカット運転）、および第２氷蓄熱利用冷房運転（電力ピークシフト運転）を行うことができる。このため、この空気調和装置２では、夏季など、冷房運転が必要となる環境において、電力ピークを調節することができる。
【０２７６】
［変形例］
（Ａ）
第６実施形態に係る空気調和装置５に代えて、図１７に示されるような空気調和装置５Ａを採用しても本発明の作用効果と同様の作用効果を得ることができる。
第６実施形態に係る空気調和装置５では、冷媒回路５０を構成する主冷媒回路５ａにおいて低圧ガス側冷媒ライン５０ｄに第１電磁弁ＳＶ１’が配置され、高圧ガス側冷媒ライン５０ｅに第２電磁弁ＳＶ２’が配置された。これに対し、本変形例に係る空気調和装置５Ａでは、冷媒回路５０Ａの主冷媒回路５Ａａを構成する低圧ガス側冷媒ライン５０ｄと高圧ガス側冷媒ライン５０ｅとの接続点に四路切換弁５４５およびキャピラリーチューブ５４６が配置される。なお、この四路切換弁５４５およびキャピラリーチューブ５４６は、氷蓄熱ユニット５４Ａに属することとなる。また、この冷媒回路５０Ａにおいて、四路切換弁５４５は、には図１７の実線で示される状態にされ、には図１７の破線で示される状態にされる。
【０２７７】
また、第６実施形態に係る空気調和装置５では、冷媒回路５０を構成する蓄熱ライン５ｂに第３電磁弁ＳＶ３’が配置され、利用ライン５ｃに第４電磁弁４’が配置された。これに対し、本変形例に係る空気調和装置５Ａでは、蓄熱ライン５ｂと利用ライン５ｃとの接続点に四路切換弁５４３およびキャピラリーチューブ５４４が配置される。なお、この四路切換弁５４３およびキャピラリーチューブ５４４は、氷蓄熱ユニット５４Ａに属することとなる。また、この冷媒回路５０Ａにおいて、四路切換弁５４３は、第１氷蓄熱利用冷房運転時、暖房兼温蓄熱運転時、および温蓄熱運転には図１７の実線で示される状態にされ、冷房運転時、氷蓄熱運転時、第２氷蓄熱利用冷房運転時、暖房運転時、温蓄熱利用暖房運転、デフロスト運転時、および暖房兼デフロスト運転時には図１７の破線で示される状態にされる。
【０２７８】
また、第６実施形態に係る空気調和装置５では、冷媒回路５０を構成する主冷媒回路５ａにおいて第１ＨＬ接続点ＨＣ１と第１ＩＬ接続点ＩＣ１との間に第６開閉機構ＯＣ６が配置され、冷媒回路５０を構成する利用ライン５ｃにおいて第５開閉機構ＯＣ５が配置された。これに対し、本変形例に係る空気調和装置５Ａでは、主冷媒回路５Ａａと利用ライン５ｃとの接続点に四路切換弁５４７およびキャピラリーチューブ５４８が配置される。なお、この四路切換弁５４７およびキャピラリーチューブ５４８は、氷蓄熱ユニット５４Ａに属することとなる。また、この冷媒回路５０Ａにおいて、四路切換弁５４７は、冷房運転時、氷蓄熱運転時、第１氷蓄熱利用冷房運転時、暖房運転時、温蓄熱利用暖房運転、デフロスト運転時、暖房兼温蓄熱運転時、暖房兼デフロスト運転時、および温蓄熱運転には図１７の実線で示される状態にされ、第２氷蓄熱利用冷房運転時には図１７の破線で示される状態にされる。
【０２７９】
＜第７実施形態＞
［空気調和装置の構成］
本発明の一実施形態にかかる空気調和装置６の概略冷媒回路６０を図１８に示す。
空気調和装置６は、蒸気圧縮式の冷凍サイクル運転を行うことによって、ビル等の屋内の冷暖房に使用される装置である。また、この空気調和装置６は、室外熱交換器６１２に付着する霜を除去するためのデフロスト運転を行うことが可能な仕様になっており、冬季などにおいて気温が氷点下となるような寒冷地への設置に適する。
【０２８０】
空気調和装置６は、主として、１台の室外ユニット６１と、複数（本実施形態では、３台）の室内ユニット６７ａ，６７ｂ，６７ｃと、１台の蓄熱ユニット６４と、各室内ユニット６７ａ，６７ｂ，６７ｃおよび蓄熱ユニット６４に接続される接続ユニット６９ａ，６９ｂ，６９ｃ，６９ｄと、接続ユニット６９ａ，６９ｂ，６９ｃ，６９ｄを介して室外ユニット６１と室内ユニット６７ａ，６７ｂ，６７ｃおよび蓄熱ユニット６４とを接続する冷媒連絡配管６９１，６９２，６９３とを備えており、例えば、ある空調空間については冷房運転を行いつつ他の空調空間については暖房運転を行う等のように、室内ユニット６７ａ，６７ｂ，６７ｃが設置される屋内の空調空間の要求に応じて、冷暖同時運転が可能になるように構成されている。すなわち、本実施形態の空気調和装置６の蒸気圧縮式の冷媒回路６０は、室外ユニット６１と、室内ユニット６７ａ，６７ｂ，６７ｃと、蓄熱ユニット６４と、接続ユニット６９ａ，６９ｂ，６９ｃ，６９ｄと、冷媒連絡配管６９１，６９２，６９３とが接続されることによって構成されている。
【０２８１】
（１）室内ユニット
室内ユニット６７ａ，６７ｂ，６７ｃは、ビル等の屋内の天井に埋め込みや吊り下げ等、または、屋内の壁面に壁掛け等により設置されている。室内ユニット６７ａ，６７ｂ，６７ｃは、冷媒連絡配管６９１，６９２，６９３および接続ユニット６９ａ，６９ｂ，６９ｃを介して室外ユニット６１に接続されており、冷媒回路６０の一部を構成している。
【０２８２】
次に、室内ユニット６７ａ，６７ｂ，６７ｃの構成について説明する。なお、室内ユニット６７ａと室内ユニット６７ｂ，６７ｃとは同様の構成であるため、ここでは、室内ユニット６７ａの構成のみ説明し、室内ユニット６７ｂ，６７ｃの構成については、各部の説明を省略する。
室内ユニット６７ａは、主として、冷媒回路６０の一部を構成しており、室内側冷媒回路６８ａ（室内ユニット６７ｂ，６７ｃでは、それぞれ、室内側冷媒回路６８ｂ，６８ｃ）を備えている。この室内側冷媒回路６８ａは、主として、室内側膨張弁ＥＶ１ａおよび室内熱交換器６７１ａを備えている。本実施形態において、室内側膨張弁ＥＶ１ａは、室内側冷媒回路６８ａ内を流れる冷媒の流量の調節等を行うために、室内熱交換器６７１ａの液側に接続された電動膨張弁である。本実施形態において、室内熱交換器６７１ａは、伝熱管と多数のフィンとにより構成されたクロスフィン式のフィン・アンド・チューブ型熱交換器であり、冷媒と屋内空気との熱交換を行うための機器である。本実施形態において、室内ユニット６７ａは、ユニット内に屋内空気を吸入して、熱交換した後に、供給空気として屋内に供給するための送風ファン（図示せず）を備えており、屋内空気と室内熱交換器６７１ａを流れる冷媒とを熱交換させることが可能である。
【０２８３】
また、室内ユニット６７ａには、各種のセンサが設けられている。室内熱交換器６７１ａの液側には液冷媒の温度を検出する液側温度センサ（図示せず）が設けられており、室内熱交換器６７１ａのガス側にはガス冷媒の温度を検出するガス側温度センサ（図示せず）が設けられている。さらに、室内ユニット６７ａには、ユニット内に吸入される屋内空気の温度を検出するＲＡ吸入温度センサ（図示せず）が設けられている。また、室内ユニット６７ａは、室内ユニット６７ａを構成する各部の動作を制御する室内側制御部（図示せず）を備えている。そして、室内側制御部は、室内ユニット６７ａの制御を行うために設けられたマイクロコンピュータやメモリを有しており、リモコン（図示せず）との間で制御信号等のやりとりを行ったり、室外ユニット６１との間で制御信号等のやりとりを行ったりすることができるようになっている。
【０２８４】
（２）蓄熱ユニット
蓄熱ユニット６４は、ビル等の屋内等に設置されている。蓄熱ユニット６４は、冷媒連絡配管６９１，６９２，６９３および接続ユニット６９ｄを介して室外ユニット６１に接続されており、冷媒回路６０の一部を構成している。
次に、蓄熱ユニット６４の構成について説明する。蓄熱ユニット６４は、主として、冷媒回路６０の一部を構成しており、蓄熱冷媒回路６５を備えている。この蓄熱冷媒回路６５は、主として、蓄熱用熱交換器６４１および蓄熱用膨張弁ＥＶ２を備えている。本実施形態において、蓄熱用膨張弁ＥＶ２は、蓄熱冷媒回路６５内を流れる冷媒の流量の調節等を行うために、蓄熱用熱交換器６４１の液側に接続された電動膨張弁である。本実施形態において、蓄熱用熱交換器６４１は、伝熱管と多数のフィンとにより構成されたクロスフィン式のフィン・アンド・チューブ型熱交換器であり、冷媒と蓄熱槽６４２に貯留されている蓄熱材（例えば、ポリエチレングリコール、トレイトール、パラフィン、酢酸ナトリウム３水和物、硫酸ナトリウム１０水和物など）との熱交換を行うための機器である。
【０２８５】
また、蓄熱ユニット６４には、各種のセンサが設けられている。蓄熱用熱交換器６４１の液側には液冷媒の温度を検出する液側温度センサ（図示せず）が設けられており、蓄熱用熱交換器６４１のガス側にはガス冷媒の温度を検出するガス側温度センサ（図示せず）が設けられている。さらに、蓄熱槽６４２には、蓄熱材の温度を検出する蓄熱温度センサ（図示せず）が設けられている。また、蓄熱ユニット６４は、蓄熱ユニット６４を構成する各部の動作を制御する蓄熱制御部（図示せず）を備えている。そして、蓄熱制御部は、蓄熱ユニット６４の制御を行うために設けられたマイクロコンピュータやメモリを有しており、リモコン（図示せず）との間で制御信号等のやりとりを行ったり、室外ユニット６１との間で制御信号等のやりとりを行ったりすることができるようになっている。
【０２８６】
（３）室外ユニット
室外ユニット６１は、ビル等の屋上等に設置されており、接続ユニット６９ａ，６９ｂ，６９ｃ，６９ｄおよび冷媒連絡配管６９１，６９２，６９３を介して室内ユニット６７ａ，６７ｂ，６７ｃおよび蓄熱ユニット６４に接続されており、室内ユニット６７ａ，６７ｂ，６７ｃおよび蓄熱ユニット６４の間で冷媒回路６０を構成している。
【０２８７】
次に、室外ユニット６１の構成について説明する。室外ユニット６１は、主として、冷媒回路６０の一部を構成しており、室外側冷媒回路６ａを備えている。この室外側冷媒回路６ａは、主として、圧縮機６１１、四路切換弁６１３、室外熱交換器６１２、気液分離器６１４、減圧回路６０ａ、液側閉鎖弁６３１、高圧ガス側閉鎖弁６３３、および低圧ガス側閉鎖弁６３２を備えている。
【０２８８】
圧縮機６１１は、本実施形態において、インバータ制御により運転容量を可変することが可能な容積式圧縮機である。本実施形態において、圧縮機６１１は、１台のみであるが、これに限定されず、室内ユニットの接続台数等に応じて、２台以上の圧縮機が並列に接続されたものであってもよい。
室外熱交換器６１２は、冷媒の蒸発器および冷媒の凝縮器として機能させることが可能な熱交換器であり、本実施形態において、空気を熱源として冷媒と熱交換するクロスフィン式のフィン・アンド・チューブ型熱交換器である。室外熱交換器６１２は、そのガス側が四路切換弁６１３に接続され、その液側が液側閉鎖弁６３１に接続されている。
【０２８９】
液側閉鎖弁６３１、高圧ガス側閉鎖弁６３３、および低圧ガス側閉鎖弁６３２は、外部の機器・配管（具体的には、冷媒連絡配管６９１，６９２，６９３）との接続口に設けられた弁である。液側閉鎖弁６３１は、室外熱交換器６１２に接続されている。高圧ガス側閉鎖弁６３３は、圧縮機６１１の吐出管６２６に接続されている。低圧ガス側閉鎖弁６３２は、気液分離器６１４を介して圧縮機６１１の吸入側に接続されている。
【０２９０】
減圧回路６０ａは、キャピラリーチューブ６３８を有しており、四路切換弁６１３および気液分離器６１４に接続されている。
また、室外ユニット６１には、各種のセンサが設けられている。具体的には、室外ユニット６１は、圧縮機６１１の吸入圧力を検出する吸入圧力センサ（図示せず）と、圧縮機６１１の吐出圧力を検出する吐出圧力センサ（図示せず）と、圧縮機構６１１の吐出側の冷媒の吐出温度を検出する吐出温度センサ（図示せず）とが設けられている。また、室外ユニット６１は、室外ユニット６１を構成する各部の動作を制御する室外側制御部（図示せず）を備えている。そして、室外側制御部は、室外ユニット６１の制御を行うために設けられたマイクロコンピュータやメモリを有しており、室内ユニット６７ａ，６７ｂ，６７ｃの室内側制御部との間で制御信号等のやりとりを行うことができるようになっている。
【０２９１】
（４）接続ユニット
接続ユニット６９ａ，６９ｂ，６９ｃ，６９ｄは、ビル等の屋内に室内ユニット６７ａ，６７ｂ，６７ｃおよび蓄熱ユニット６４とともに設置されている。接続ユニット６９ａ，６９ｂ，６９ｃ，６９ｄは、冷媒連絡配管６９１，６９２，６９３とともに、室内ユニット６７ａ，６７ｂ，６７ｃおよび蓄熱ユニット６４と室外ユニット６１との間に介在しており、冷媒回路６０の一部を構成している。
【０２９２】
次に、接続ユニット６９ａ，６９ｂ，６９ｃ，６９ｄの構成について説明する。なお、接続ユニット６９ａと接続ユニット６９ｂ，６９ｃとは同様の構成であるため、ここでは、接続ユニット６９ａの構成のみ説明し、接続ユニット６９ｂ，６９ｃの構成については、各部の説明を省略する。接続ユニット６９ｄも接続ユニット６９ａ，６９ｂ，６９ｃと同様の構成であるが、本実施形態においては接続対象６７ａ，６４が異なるため、接続ユニット６９ｄについは接続ユニット６９ａと併せて説明する。
【０２９３】
接続ユニット６９ａ，６９ｄは、主として、冷媒回路６０の一部を構成しており、接続側冷媒回路６９９ａ，６９９ｄ（接続ユニット６９ｂ，６９ｃでは、それぞれ、接続側冷媒回路６９９ｂ，６９９ｃ）を備えている。この接続側冷媒回路６９９ａ，６９９ｄは、主として、液接続管６９１ａ，６９１ｄ、ガス接続管６９５ａ，６９５ｄ、高圧ガス開閉弁ＳＶ１ａ，ＳＶ１ｄ、および低圧ガス開閉弁ＳＶ２ａ，ＳＶ２ｄを有している。
【０２９４】
本実施形態において、液接続管６９１ａ，６９１ｄは、液冷媒連絡配管６９１と室内側冷媒回路６８ａの室内側膨張弁ＥＶ１ａおよび蓄熱冷媒回路６５の蓄熱膨張弁ＥＶ２とを接続している。ガス接続管６９５ａ，６９５ｄは、高圧ガス冷媒連絡配管６９３に接続された高圧ガス接続管６９３ａ，６９３ｄと、低圧ガス冷媒連絡配管６９２に接続された低圧ガス接続管６９２ａ，６９２ｄと、高圧ガス接続管６９３ａ，６９３ｄと低圧ガス接続管６９２ａ，６９２ｄとを合流させる合流ガス接続管６９４ａ，６９４ｄとを有している。合流ガス接続管６９４ａ，６９４ｄは、室内側冷媒回路６８ａの室内熱交換器６７１ａのガス側および蓄熱冷媒回路６５の蓄熱用熱交換器６４１のガス側に接続されている。そして、高圧ガス開閉弁ＳＶ１ａ，ＳＶ１ｄは、本実施形態において、高圧ガス接続管６９３ａ，６９３ｄに接続されており、冷媒の流通および遮断が可能な電磁弁である。低圧ガス開閉弁ＳＶ２ａ，ＳＶ２ｄは、本実施形態において、低圧ガス接続管６９２ａ，６９２ｄに接続されており、冷媒の流通および遮断が可能な電磁弁である。これにより、接続ユニット６９ａは、室内ユニット６７ａが冷房運転を行う際には、高圧ガス開閉弁ＳＶ１ａを閉止し、かつ、低圧ガス開閉弁ＳＶ２ａを開けた状態にして、液冷媒連絡配管６９１を通じて液接続管６９１ａに流入する冷媒を室内側冷媒回路６８ａの室内側膨張弁ＥＶ１ａに送り、室内側膨張弁ＥＶ１ａで減圧され室内熱交換器６７１ａにおいて蒸発された後に、合流ガス接続管６９４ａおよび低圧ガス接続管６９２ａを通じて低圧ガス冷媒連絡配管６９２に戻すように機能することができる。また、接続ユニット６９ａは、室内ユニット６７ａが暖房運転を行う際には、低圧ガス開閉弁ＳＶ２ａを閉止し、かつ、高圧ガス開閉弁ＳＶ１ａを開けた状態にして、高圧ガス冷媒連絡配管６９３を通じて高圧ガス接続管６９３ａおよび合流ガス接続管６９４ａに流入する冷媒を室内側冷媒回路６８ａの室内熱交換器６７１ａのガス側に送り、室内熱交換器６７１ａにおいて凝縮され室内側膨張弁ＥＶ１ａで減圧された後に、液接続管６９１ａを通じて液冷媒連絡配管６９１に戻すように機能することができる。また、接続ユニット６９ｄは、蓄熱ユニット６４が温蓄熱運転（後述）を行う際には、低圧ガス開閉弁ＳＶ２ｄを閉止し、かつ、高圧ガス開閉弁ＳＶ１ｄを開けた状態にして、高圧ガス冷媒連絡配管６９３を通じて高圧ガス接続管６９３ｄおよび合流ガス接続管６９４ｄに流入する冷媒を蓄熱冷媒回路６５の蓄熱用熱交換器６４１のガス側に送り、蓄熱用熱交換器６４１において凝縮され（この際に蓄熱材に温熱が主に潜熱として蓄積される）蓄熱用膨張弁ＥＶ２で減圧された後に、液接続管６９１ｄを通じて液冷媒連絡配管６９１に戻すように機能することができる。また、接続ユニット６９ｄは、本空気調和装置６がデフロスト運転（後述）を行う際には、高圧ガス開閉弁ＳＶ１ｄを閉止し、かつ、低圧ガス開閉弁ＳＶ２ｄを開けた状態にして、液冷媒連絡配管６９１を通じて液接続管６９１ｄに流入する冷媒を蓄熱冷媒回路６５の蓄熱用膨張弁ＥＶ２に送り、蓄熱用膨張弁ＥＶ２で減圧され蓄熱用熱交換器６４１において蒸発させた後に（この際に蓄熱材から温熱が放出され、冷媒を蒸発させる）、合流ガス接続管６９４ｄおよび低圧ガス接続管６９２ｄを通じて低圧ガス冷媒連絡配管６９２に戻すように機能することができる。
【０２９５】
また、接続ユニット６９ａ，６９ｄは、接続ユニット６９ａ，６９ｄを構成する各部の動作を制御する接続側制御部（図示せず）を備えている。そして、接続側制御部は、接続ユニット６９ａ，６９ｄの制御を行うために設けられたマイクロコンピュータやメモリを有しており、室内ユニット６７ａの室内側制御部および蓄熱ユニット６４の蓄熱制御部との間で制御信号等のやりとりを行うことができるようになっている。
【０２９６】
以上のように、室内側冷媒回路６８ａ，６８ｂ，６８ｃ、蓄熱冷媒回路６５、室外側冷媒回路６ａ、冷媒連絡配管６９１，６９２，６９３、および接続側冷媒回路６９９ａ，６９９ｂ，６９９ｃ，６９９ｄが接続されて、空気調和装置６の冷媒回路６０が構成されている。そして、本実施形態の空気調和装置６では、例えば、室内ユニット６７ａ，６７ｂが冷房運転を行いつつ、室内ユニット６７ｃが暖房運転を行う等の、いわゆる、冷暖同時運転を行うことが可能になっている。
【０２９７】
［空気調和装置の動作］
次に、本実施形態の空気調和装置６の動作について説明する。
本実施形態の空気調和装置６の運転は、蓄熱ユニット６４を利用しない蓄熱ユニット非利用運転と蓄熱ユニット６４を利用する蓄熱ユニット利用運転とに大別される。以下、蓄熱ユニット非利用運転と蓄熱ユニット利用運転とに分けて本空気調和装置６の運転について説明する。
【０２９８】
（１）蓄熱ユニット非利用運転
蓄熱ユニット非利用運転は、各室内ユニット６７ａ，６７ｂ，６７ｃの空調負荷に応じて、室内ユニット６７ａ，６７ｂ，６７ｃの全て暖房運転を行う暖房運転、室内ユニット６７ａ，６７ｂ，６７ｃの全てが冷房運転を行う冷房運転、および室内ユニット６７ａ，６７ｂ，６７ｃの一部が冷房運転を行いつつ他の室内ユニットが暖房運転を行う冷暖房同時運転にさらに分けることができる。また、冷暖同時運転については、室内ユニット６７ａ，６７ｂ，６７ｃ全体の空調負荷により、室外ユニット６１の室外熱交換器６１２を蒸発器として機能させて運転している場合（蒸発運転状態）と、室外ユニット６１の室外熱交換器６１２を凝縮器として機能させて運転している場合（凝縮運転状態）とに分けることができる。なお、本空気調和装置６が蓄熱ユニット非利用運転を行う場合は、接続ユニット６９ｄの高圧ガス開閉弁ＳＶ１ｄおよび低圧ガス開閉弁ＳＶ２ｄはともに閉止された状態とされ、蓄熱ユニット６４の蓄熱用膨張弁ＥＶ２は全開状態とされる。
【０２９９】
（Ａ）暖房運転
暖房運転時は、四路切換弁６１３が図１８の破線で示される状態に切り換えられることによって、室外熱交換器６１２が蒸発器として機能するとともに、高圧ガス冷媒連絡配管６９３を通じて室内ユニット６７ａ，６７ｂ，６７ｃに圧縮機６１１において圧縮され吐出された高圧のガス冷媒が供給されるようになる。接続ユニット６９ａ，６９ｂ，６９ｃにおいては、低圧ガス開閉弁ＳＶ２ａ，ＳＶ２ｂ，ＳＶ２ｃが閉止するとともに高圧ガス開閉弁ＳＶ１ａ，ＳＶ１ｂ，ＳＶ１ｃが開くことによって、室内ユニット６７ａ，６７ｂ，６７ｃの室内熱交換器６７１ａ，６７１ｂ，６７１ｃが凝縮器として機能する状態になる。室内ユニット６７ａ，６７ｂ，６７ｃにおいては、室内側膨張弁ＥＶ１ａ，Ｅｖ１ｂ，ＥＶ１ｃは、例えば、室内熱交換器６７１ａ，６７１ｂ，６７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。
【０３００】
このような冷媒回路６０の構成において、圧縮機６１１で圧縮され吐出された高圧のガス冷媒は、高圧ガス側閉鎖弁６３３を通じて、高圧ガス冷媒連絡配管６９３に送られる。
そして、高圧ガス冷媒連絡配管６９３に送られた高圧のガス冷媒は、３つに分岐されて、各接続ユニット６９ａ，６９ｂ，６９ｃの高圧ガス接続管６９３ａ，６９３ｂ，６９３ｃに送られる。接続ユニット６９ａ，６９ｂ，６９ｃの高圧ガス接続管６９３ａ，６９３ｂ，６９３ｃに送られた高圧のガス冷媒は、高圧ガス開閉弁ＳＶ１ａ，ＳＶ１ｂ，ＳＶ１ｃおよび合流ガス接続管６９４ａ，６９４ｂ，６９４ｃを通じて、室内ユニット６７ａ，６７ｂ，６７ｃの室内熱交換器６７１ａ，６７１ｂ，６７１ｃに送られる。
【０３０１】
そして、室内熱交換器６７１ａ，６７１ｂ，６７１ｃに送られた高圧のガス冷媒は、室内ユニット６７ａ，６７ｂ，６７ｃの室内熱交換器６７１ａ，６７１ｂ，６７１ｃにおいて、屋内空気と熱交換を行うことによって凝縮される。一方、屋内の空気は、加熱されて屋内に供給される。室内熱交換器６７１ａ，６７１ｂ，６７１ｃにおいて凝縮された冷媒は、室内側膨張弁ＥＶ１ａ，Ｅｖ１ｂ，ＥＶ１ｃを通過した後、接続ユニット６９ａ，６９ｂ，６９ｃの液接続管６９１ａ，６９１ｂ，６９１ｃに送られる。
【０３０２】
そして、液接続管６９１ａ，６９１ｂ，６９１ｃに送られた冷媒は、液冷媒連絡配管６９１に送られて合流する。
そして、液冷媒連絡配管６９１に送られて合流した冷媒は、室外ユニット６１の液側閉鎖弁６３１を通じて、室外熱交換器６１２に送られ、室外熱交換器６１２において蒸発されて低圧のガス冷媒になる。このガス冷媒は、四路切換弁６１３および気液分離器６１４を経由して、圧縮機６１１の吸入側に戻される。このようにして、暖房運転が行われる。
【０３０３】
（Ｂ）冷房運転
冷房運転時は、四路切換弁６１３が図１８の実線で示される状態に切り換えられることによって、室外熱交換器６１２が凝縮器として機能するようになっている。接続ユニット６９ａ，６９ｂ，６９ｃにおいては、高圧ガス開閉弁ＳＶ１ａ，ＳＶ１ｂ，ＳＶ１ｃが閉止するとともに低圧ガス開閉弁ＳＶ２ａ，ＳＶ２ｂ，ＳＶ２ｃが開くことによって、室内ユニット６７ａ，６７ｂ，６７ｃの室内熱交換器６７１ａ，６７１ｂ，６７１ｃが蒸発器として機能するとともに、室内ユニット６７ａ，６７ｂ，６７ｃの室内熱交換器６７１ａ，６７１ｂ，６７１ｃと室外ユニット６１の圧縮機６１１の吸入側とが低圧ガス冷媒連絡配管６９２を介して接続された状態になっている。室内ユニット６７ａ，６７ｂ，６７ｃにおいては、室内側膨張弁ＥＶ１ａ，Ｅｖ１ｂ，ＥＶ１ｃは、例えば、室内熱交換器６７１ａ，６７１ｂ，６７１ｃの過熱度（具体的には、液側温度センサで検出される冷媒温度とガス側温度センサで検出される冷媒温度との温度差）に基づいて開度調節する等、各室内ユニットの冷房負荷に応じて開度調節されている。
【０３０４】
このような冷媒回路６０の構成において、圧縮機６１１で圧縮され吐出された高圧のガス冷媒は、四路切換弁６１３を通じて、室外熱交換器６１２に送られる。そして、室外熱交換器６１２に送られた高圧のガス冷媒は、室外熱交換器６１２において凝縮され液冷媒となる。その液冷媒は、液側閉鎖弁６３１を通じて、液冷媒連絡配管６９１に送られる。
そして、液冷媒連絡配管６９１に送られた液冷媒は、３つに分岐されて、各接続ユニット６９ａ，６９ｂ，６９ｃの液接続管６９１ａ，６９１ｂ，６９１ｃに送られる。そして、接続ユニット６９ａ，６９ｂ，６９ｃの液接続管６９１ａ，６９１ｂ，６９１ｃに送られた冷媒は、室内ユニット６７ａ，６７ｂ，６７ｃの室内側膨張弁ＥＶ１ａ，Ｅｖ１ｂ，ＥＶ１ｃに送られる。
【０３０５】
そして、室内側膨張弁ＥＶ１ａ，Ｅｖ１ｂ，ＥＶ１ｃに送られた冷媒は、室内側膨張弁ＥＶ１ａ，Ｅｖ１ｂ，ＥＶ１ｃによって減圧された後、室内熱交換器６７１ａ，６７１ｂ，６７１ｃにおいて、屋内空気と熱交換を行うことによって蒸発されて低圧のガス冷媒となる。一方、屋内の空気は、冷却されて屋内に供給される。そして、低圧のガス冷媒は、接続ユニット６９ａ，６９ｂ，６９ｃの合流ガス接続管６９４ａ，６９４ｂ，６９４ｃに送られる。
【０３０６】
そして、合流ガス接続管６９４ａ，６９４ｂ，６９４ｃに送られた低圧のガス冷媒は、低圧ガス開閉弁ＳＶ２ａ，ＳＶ２ｂ，ＳＶ２ｃおよび低圧ガス接続管６９２ａ，６９２ｂ，６９２ｃを通じて、低圧ガス冷媒連絡配管６９２に送られて合流する。
そして、低圧ガス冷媒連絡配管６９２に送られて合流した低圧のガス冷媒は、低圧ガス側閉鎖弁６３２および気液分離器６１４を経由して、圧縮機６１１の吸入側に戻される。このようにして、冷房運転が行われる。
【０３０７】
（Ｃ）冷暖同時運転（蒸発負荷）
室内ユニット６７ａ，６７ｂ，６７ｃのうち、例えば、室内ユニット６７ａを冷房運転し、かつ、室内ユニット６７ｂ，６７ｃを暖房運転する冷暖同時運転モードであって、室内ユニット６７ａ，６７ｂ，６７ｃ全体の空調負荷に応じて、室外ユニット６１の室外熱交換器６１２を蒸発器として機能させる運転（蒸発運転）について説明する。この際、上述の暖房運転モードと同様に、四路切換弁６１３が図１８の破線で示される状態に切り換えられることによって、室外熱交換器６１２が蒸発器として機能するとともに、高圧ガス冷媒連絡配管６９３を通じて室内ユニット６７ｂ，６７ｃに圧縮機６１１において圧縮され吐出された高圧のガス冷媒が供給されるようになる。接続ユニット６９ａにおいては、高圧ガス開閉弁ＳＶ１ａが閉止するとともに低圧ガス開閉弁ＳＶ２ａが開くことによって、室内ユニット６７ａの室内熱交換器６７１ａを蒸発器として機能させるとともに、室内ユニット６７ａの室内熱交換器６７１ａと室外ユニット６１の圧縮機６１１の吸入側とが低圧ガス冷媒連絡配管６９２を介して接続された状態になっている。室内ユニット６７ａにおいては、室内側膨張弁ＥＶ１ａは、例えば、室内熱交換器６７１ａの過熱度（具体的には、液側温度センサで検出される冷媒温度とガス側温度センサで検出される冷媒温度との温度差）に基づいて開度調節する等、室内ユニットの冷房負荷に応じて開度調節されている。接続ユニット６９ｂ，６９ｃにおいては、低圧ガス開閉弁ＳＶ２ｂ，ＳＶ２ｃが閉止するとともに高圧ガス開閉弁ＳＶ１ｂ，ＳＶ１ｃが開くことによって、室内ユニット６７ｂ，６７ｃの室内熱交換器６７１ｂ，６７１ｃが凝縮器として機能するようになっている。室内ユニット６７ｂ，６７ｃにおいては、室内側膨張弁ＥＶ１ｂ，ＥＶ１ｃは、例えば、室内熱交換器６７１ｂ，６７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。
【０３０８】
このような冷媒回路６０の構成において、圧縮機６１１で圧縮され吐出された高圧のガス冷媒は、高圧ガス側閉鎖弁６３３を通じて、高圧ガス冷媒連絡配管６９３に送られる。
そして、高圧ガス冷媒連絡配管６９３に送られた高圧のガス冷媒は、２つに分岐されて、各接続ユニット６９ｂ，６９ｃの高圧ガス接続管６９３ｂ，６９３ｃに送られる。接続ユニット６９ｂ，６９ｃの高圧ガス接続管６９３ｂ，６９３ｃに送られた高圧のガス冷媒は、高圧ガス開閉弁ＳＶ１ｂ，ＳＶ１ｃおよび合流ガス接続管６９４ｂ，６９４ｃを通じて室内ユニット６７ｂ，６７ｃの室内熱交換器６７１ｂ，６７１ｃに送られる。
【０３０９】
そして、室内熱交換器６７１ｂ，６７１ｃに送られた高圧のガス冷媒は、室内ユニット６７ｂ，６７ｃの室内熱交換器６７１ｂ，６７１ｃにおいて、屋内空気と熱交換を行うことによって凝縮される。一方、屋内の空気は、加熱されて屋内に供給される。室内熱交換器６７１ｂ，６７１ｃにおいて凝縮された冷媒は、室内側膨張弁ＥＶ１ｂ，ＥＶ１ｃを通過した後、接続ユニット６９ｂ，６９ｃの液接続管６９１ｂ，６９１ｃに送られる。
【０３１０】
そして、液接続管６９１ｂ，６９１ｃに送られた冷媒は、液冷媒連絡配管６９１に送られて合流する。
そして、液冷媒連絡配管６９１に送られて合流した冷媒の一部は、接続ユニット６９ａの液接続管６９１ａに送られる。そして、接続ユニット６９ａの液接続管６９１ａに送られた冷媒は、室内ユニット６７ａの室内側膨張弁ＥＶ１ａに送られる。
【０３１１】
そして、室内側膨張弁ＥＶ１ａに送られた冷媒は、室内側膨張弁ＥＶ１ａによって減圧された後、室内熱交換器６７１ａにおいて、屋内空気と熱交換を行うことによって蒸発されて低圧のガス冷媒となる。一方、屋内の空気は、冷却されて屋内に供給される。そして、低圧のガス冷媒は、接続ユニット６９ａの合流ガス接続管６９４ａに送られる。
そして、合流ガス接続管６９４ａに送られた低圧のガス冷媒は、低圧ガス開閉弁ＳＶ２ａおよび低圧ガス接続管６９２ａを通じて、低圧ガス冷媒連絡配管６９２に送られて合流する。
【０３１２】
そして、低圧ガス冷媒連絡配管６９２に送られた低圧のガス冷媒は、低圧ガス側閉鎖弁６３２および気液分離器６１４を経由して、圧縮機６１１の吸入側に戻される。
一方、液冷媒連絡配管６９１から接続ユニット６９ａおよび室内ユニット６７ａに送られた冷媒を除いた残りの冷媒は、室外ユニット６１の液側閉鎖弁６３１を通じて室外熱交換器６１２に送られ、室外熱交換器６１２において蒸発されて低圧のガス冷媒になる。このガス冷媒は、四路切換弁６１３および気液分離器６１４を経由して、圧縮機構２１の吸入側に戻される。このようにして、冷暖同時運転（蒸発負荷）が行われている。
【０３１３】
（Ｄ）冷暖同時運転（凝縮負荷）
室内ユニット６７ａ，６７ｂ，６７ｃのうち、例えば、室内ユニット６７ａ，６７ｂを冷房運転し、かつ、室内ユニット６７ｃを暖房運転する冷暖同時運転モードであって、室内ユニット６７ａ，６７ｂ，６７ｃ全体の空調負荷に応じて、室外ユニット６１の室外熱交換器６１２を凝縮器として機能させる運転（凝縮運転）について説明する。この際、四路切換弁６１３が図１８の実線で示される状態に切り換えられることによって、室外熱交換器６１２が凝縮器として機能するとともに、高圧ガス冷媒連絡配管６９３を通じて室内ユニット６７ｃに圧縮機６１１において圧縮され吐出された高圧のガス冷媒が供給されるようになる。接続ユニット６９ａ，６９ｂにおいては、高圧ガス開閉弁ＳＶ１ａ，ＳＶ１ｂが閉止するとともに低圧ガス開閉弁ＳＶ２ａ，ＳＶ２ｂが開くことによって、室内ユニット６７ａ，６７ｂの室内熱交換器６７１ａ，６７１ｂが蒸発器として機能するとともに、室内ユニット６７ａ，６７ｂの室内熱交換器６７１ａ，６７１ｂと室外ユニット６１の圧縮機６１１の吸入側とが低圧ガス冷媒連絡配管６９２を介して接続された状態になっている。室内ユニット６７ａ，６７ｂにおいては、室内側膨張弁ＥＶ１ａ，ＥＶ１ｂは、例えば、室内熱交換器６７１ａ，６７１ｂの過熱度（具体的には、液側温度センサで検出される冷媒温度とガス側温度センサで検出される冷媒温度との温度差）に基づいて開度調節する等、各室内ユニットの冷房負荷に応じて開度調節されている。接続ユニット６９ｃにおいては、低圧ガス開閉弁ＳＶ２ｃが閉止するとともに高圧ガス開閉弁ＳＶ１ｃが開くことによって、室内ユニット６７ｃの室内熱交換器６７１ｃが凝縮器として機能するようにしている。室内ユニット６７ｃにおいては、室内側膨張弁ＥＶ１ｃは、例えば、室内熱交換器６７１ｃの過冷却度（具体的には、液側温度センサで検出される冷媒温度とガス側温度センサで検出される冷媒温度との温度差）に基づいて開度調節する等、室内ユニットの暖房負荷に応じて開度調節されている。
【０３１４】
このような冷媒回路６０の構成において、圧縮機６１１で圧縮され吐出された高圧のガス冷媒は、四路切換弁６１３を通じて室外熱交換器６１２に送られるとともに、高圧ガス側閉鎖弁６３３を通じて高圧ガス冷媒連絡配管６９３にも送られる。
室外熱交換器６１２に送られた高圧のガス冷媒は、室外熱交換器６１２において凝縮され、液冷媒となる。そして、その液冷媒は、液側閉鎖弁６３１を通じて、液冷媒連絡配管６９１に送られる。
【０３１５】
また、高圧ガス冷媒連絡配管６９３に送られた高圧のガス冷媒は、接続ユニット６９ｃの高圧ガス接続管６９３ｃに送られる。接続ユニット６９ｃの高圧ガス接続管６９３ｃに送られた高圧のガス冷媒は、高圧ガス開閉弁ＳＶ１ｃおよび合流ガス接続管６９４ｃを通じて室内ユニット６７ｃの室内熱交換器６７１ｃに送られる。
そして、室内熱交換器６７１ｃに送られた高圧のガス冷媒は、室内ユニット６７ｃの室内熱交換器６７１ｃにおいて、屋内空気と熱交換を行うことによって凝縮される。一方、屋内の空気は、加熱されて屋内に供給される。室内熱交換器６７１ｃにおいて凝縮された冷媒は、室内側膨張弁ＥＶ１ｃを通過した後、接続ユニット６９ｃの液接続管６９１ｃに送られる。
【０３１６】
そして、液接続管６９１ｃに送られた冷媒は、液冷媒連絡配管６９１に送られて、液側閉鎖弁６３１を通じて液冷媒連絡配管６９１に送られた冷媒に合流される。
そして、この液冷媒連絡配管６９１を流れる冷媒は、２つに分岐されて、各接続ユニット６９ａ，６９ｂの液接続管６９１ａ，６９１ｂに送られる。そして、接続ユニット６９ａ，６９ｂの液接続管６９１ａ，６９１ｂに送られた冷媒は、室内ユニット６７ａ，６７ｂの室内側膨張弁ＥＶ１ａ，ＥＶ１ｂに送られる。
【０３１７】
そして、室内側膨張弁ＥＶ１ａ，ＥＶ１ｂに送られた冷媒は、室内側膨張弁ＥＶ１ａ，ＥＶ１ｂによって減圧された後、室内熱交換器６７１ａ，６７１ｂにおいて、屋内空気と熱交換を行うことによって蒸発されて低圧のガス冷媒となる。一方、屋内の空気は、冷却されて屋内に供給される。そして、低圧のガス冷媒は、接続ユニット６９ａ，６９ｂの合流ガス接続管６９４ａ，６９４ｂに送られる。
【０３１８】
そして、合流ガス接続管６９４ａ，６９４ｂに送られた低圧のガス冷媒は、低圧ガス開閉弁ＳＶ２ａ，ＳＶ２ｂおよび低圧ガス接続管６９２ａ，６９２ｂを通じて、低圧ガス冷媒連絡配管６９２に送られて合流する。
そして、低圧ガス冷媒連絡配管６９２に送られた低圧のガス冷媒は、低圧ガス側閉鎖弁６３２および気液分離器６１４を経由して、圧縮機６１１の吸入側に戻される。このようにして、冷暖同時運転（凝縮負荷）が行われている。
【０３１９】
（２）蓄熱ユニット利用運転
蓄熱ユニット利用運転は、蓄熱材に温熱を蓄積させる温蓄熱運転と、温蓄熱運転により蓄熱材に蓄積された温熱を利用して個々の室内機６７ａ，６７ｂ，６７ｃの運転状態を維持したまま室外熱交換器６１２のデフロストを行うデフロスト運転とにさらに分けることができる。また、この蓄熱ユニット利用運転は、主に、複数の室内ユニット６７ａ，６７ｂ，６７ｃのほとんど又は全てが暖房運転される状況（つまり、室外熱交換器６１２に高い蒸発負荷がかかる状況）において利用される。このため、ここでは、室内ユニット６７ａ，６７ｂ，６７ｃの全てが暖房運転している状況を代表例として、以下、温蓄熱運転およびデフロスト運転の説明を行う。
【０３２０】
（Ａ）温蓄熱運転
温蓄熱運転時は、四路切換弁６１３が図１８の破線で示される状態に切り換えられることによって、室外熱交換器６１２が蒸発器として機能するとともに、高圧ガス冷媒連絡配管６９３を通じて室内ユニット６７ａ，６７ｂ，６７ｃおよび蓄熱ユニット６４に圧縮機６１１において圧縮され吐出された高圧のガス冷媒が供給されるようになる。接続ユニット６９ａ，６９ｂ，６９ｃ，６９ｄにおいては、低圧ガス開閉弁ＳＶ２ａ，ＳＶ２ｂ，ＳＶ２ｃ，ＳＶ２ｄが閉止するとともに高圧ガス開閉弁ＳＶ１ａ，ＳＶ１ｂ，ＳＶ１ｃ，ＳＶ１ｄが開くことによって、室内ユニット６７ａ，６７ｂ，６７ｃの室内熱交換器６７１ａ，６７１ｂ，６７１ｃおよび蓄熱ユニット６４の蓄熱用熱交換器６４１が凝縮器として機能する状態になる。室内ユニット６７ａ，６７ｂ，６７ｃにおいては、室内側膨張弁ＥＶ１ａ，Ｅｖ１ｂ，ＥＶ１ｃが、例えば、室内熱交換器６７１ａ，６７１ｂ，６７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。また、蓄熱ユニット６４においては、蓄熱用膨張弁ＥＶ２が、例えば、蓄熱用熱交換器６４１の過冷却度（具体的には、液側温度センサで検出される冷媒温度とガス側温度センサで検出される冷媒温度との温度差）に基づいて開度調節する等されている。
【０３２１】
このような冷媒回路６０の構成において、圧縮機６１１で圧縮され吐出された高圧のガス冷媒は、高圧ガス側閉鎖弁６３３を通じて、高圧ガス冷媒連絡配管６９３に送られる。
そして、高圧ガス冷媒連絡配管６９３に送られた高圧のガス冷媒は、４つに分岐されて、各接続ユニット６９ａ，６９ｂ，６９ｃ，６９ｄの高圧ガス接続管６９３ａ，６９３ｂ，６９３ｃ，６９３ｄに送られる。接続ユニット６９ａ，６９ｂ，６９ｃ，６９ｄの高圧ガス接続管６９３ａ，６９３ｂ，６９３ｃ，６９３ｄに送られた高圧のガス冷媒は、高圧ガス開閉弁ＳＶ１ａ，ＳＶ１ｂ，ＳＶ１ｃ，ＳＶ１ｄおよび合流ガス接続管６９４ａ，６９４ｂ，６９４ｃ，６９４ｄを通じて、室内ユニット６７ａ，６７ｂ，６７ｃの室内熱交換器６７１ａ，６７１ｂ，６７１ｃおよび蓄熱ユニット６４の蓄熱用熱交換器６４１に送られる。
【０３２２】
そして、室内熱交換器６７１ａ，６７１ｂ，６７１ｃに送られた高圧のガス冷媒は、室内ユニット６７ａ，６７ｂ，６７ｃの室内熱交換器６７１ａ，６７１ｂ，６７１ｃにおいて、屋内空気と熱交換を行うことによって凝縮される。一方、屋内の空気は、加熱されて屋内に供給される。室内熱交換器６７１ａ，６７１ｂ，６７１ｃにおいて凝縮された冷媒は、室内側膨張弁ＥＶ１ａ，Ｅｖ１ｂ，ＥＶ１ｃを通過した後、接続ユニット６９ａ，６９ｂ，６９ｃの液接続管６９１ａ，６９１ｂ，６９１ｃに送られる。
【０３２３】
一方、蓄熱用熱交換器６４１に送られた高圧のガス冷媒は、蓄熱ユニット６４の蓄熱用熱交換器６４１において、蓄熱槽６４２に貯留される蓄熱材を加熱するとともに凝縮される。この際、蓄熱材は、固相から液相に相転移し、ガス冷媒から供給される温熱を主に潜熱として蓄積する。蓄熱用熱交換器６４１において凝縮された冷媒は、蓄熱用膨張弁ＥＶ２を通過した後、接続ユニット６９ｄの液接続管６９１ｄに送られる。
【０３２４】
そして、液接続管６９１ａ，６９１ｂ，６９１ｃ，６９１ｄに送られた冷媒は、液冷媒連絡配管６９１に送られて合流する。
そして、液冷媒連絡配管６９１に送られて合流した冷媒は、室外ユニット６１の液側閉鎖弁６３１を通じて、室外熱交換器６１２に送られ、室外熱交換器６１２において蒸発されて低圧のガス冷媒になる。このガス冷媒は、四路切換弁６１３および気液分離器６１４を経由して、圧縮機６１１の吸入側に戻される。このようにして、温蓄熱運転が行われる。
【０３２５】
（Ｂ）デフロスト運転
デフロスト運転時は、四路切換弁６１３が図１８の実線で示される状態に切り換えられることによって、室外熱交換器６１２が凝縮器として機能するとともに、高圧ガス冷媒連絡配管６９３を通じて室内ユニット６７ｃに圧縮機６１１において圧縮され吐出された高圧のガス冷媒が供給されるようになる。接続ユニット６９ａ，６９ｂ，６９ｃにおいては、低圧ガス開閉弁ＳＶ２ａ，ＳＶ２ｂ，ＳＶ２ｃが閉止するとともに高圧ガス開閉弁ＳＶ１ａ，ＳＶ１ｂ，ＳＶ１ｃが開くことによって、室内ユニット６７ａ，６７ｂ，６７ｃの室内熱交換器６７１ａ，６７１ｂ，６７１ｃが凝縮器として機能するようにしている。一方、接続ユニット６９ｄにおいては、高圧ガス開閉弁ＳＶ１ｄが閉止するとともに低圧ガス開閉弁ＳＶ２ｄが開くことによって、蓄熱ユニット６４の蓄熱用熱交換器６４１が蒸発器として機能するとともに、蓄熱ユニット６４の蓄熱用熱交換器６４１と室外ユニット６１の圧縮機６１１の吸入側とが低圧ガス冷媒連絡配管６９２を介して接続された状態になっている。なお、この際、蓄熱材には、所定期間（例えば、１０分間）、全ての室内ユニット６７ａ，６７ｂ，６７ｃにおける最大凝縮負荷の総和を相殺する以上の蒸発負荷を蓄熱用熱交換器６１２に与えるだけの温熱が蓄積されている。室内ユニット６７ａ，６７ｂ，６７ｃにおいては、室内側膨張弁ＥＶ１ａ，Ｅｖ１ｂ，ＥＶ１ｃが、例えば、室内熱交換器６７１ａ，６７１ｂ，６７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。また、蓄熱ユニット６４においては、蓄熱用膨張弁ＥＶ２が、例えば、蓄熱用熱交換器６４１の過熱度（具体的には、液側温度センサで検出される冷媒温度とガス側温度センサで検出される冷媒温度との温度差）に基づいて開度調節する等されている。
【０３２６】
このような冷媒回路６０の構成において、圧縮機６１１で圧縮され吐出された高圧のガス冷媒は、四路切換弁６１３を通じて室外熱交換器６１２に送られるとともに、高圧ガス側閉鎖弁６３３を通じて高圧ガス冷媒連絡配管６９３にも送られる。
室外熱交換器６１２に送られた高圧のガス冷媒は、室外熱交換器６１２の外表面に付着している霜を融解するとともに凝縮されて液冷媒となる。そして、その液冷媒は、液側閉鎖弁６３１を通じて、液冷媒連絡配管６９１に送られる。
【０３２７】
また、高圧ガス冷媒連絡配管６９３に送られた高圧のガス冷媒は、接続ユニット６９ａ，６９ｂ，６９ｃの高圧ガス接続管６９３ａ，６９３ｂ，６９３ｃに送られる。接続ユニット６９ａ，６９ｂ，６９ｃの高圧ガス接続管６９３ａ，６９３ｂ，６９３ｃに送られた高圧のガス冷媒は、高圧ガス開閉弁ＳＶ１ａ，ＳＶ１ｂ，ＳＶ１ｃおよび合流ガス接続管６９４ａ，６９４ｂ，６９４ｃを通じて室内ユニット６７ａ，６７ｂ，６７ｃの室内熱交換器６７１ａ，６７１ｂ，６７１ｃに送られる。
【０３２８】
そして、室内熱交換器６７１ａ，６７１ｂ，６７１ｃに送られた高圧のガス冷媒は、室内ユニット６７ａ，６７ｂ，６７ｃの室内熱交換器６７１ａ，６７１ｂ，６７１ｃにおいて、屋内空気と熱交換を行うことによって凝縮される。一方、屋内の空気は、加熱されて屋内に供給される。室内熱交換器６７１ａ，６７１ｂ，６７１ｃにおいて凝縮された冷媒は、室内側膨張弁ＥＶ１ａ，ＥＶ１ｂ，ＥＶ１ｃを通過した後、接続ユニット６９ａ，６９ｂ，６９ｃの液接続管６９１ａ，６９１ｂ，６９１ｃに送られる。
【０３２９】
そして、液接続管６９１ａ，６９１ｂ，６９１ｃに送られた冷媒は、液冷媒連絡配管６９１に送られて、液側閉鎖弁６３１を通じて液冷媒連絡配管６９１に送られた冷媒に合流される。
そして、この液冷媒連絡配管６９１を流れる冷媒は、接続ユニット６９ｄの液接続管６９１ｄに送られる。そして、接続ユニット６９ｄの液接続管６９１ｄに送られた冷媒は、蓄熱ユニット６４の蓄熱用膨張弁ＥＶ２に送られる。
【０３３０】
そして、蓄熱用膨張弁ＥＶ２に送られた冷媒は、蓄熱用膨張弁ＥＶ２によって減圧された後、蓄熱用熱交換器６４１において、蓄熱材に蓄積されている温熱によって蒸発されて低圧のガス冷媒となる。この際、蓄熱材は、蓄熱していた温熱を徐々に放出していき、その温度が凝固点に達すると（潜熱分を使い切ると）、液相から固相に相転移することとなる。そして、低圧のガス冷媒は、接続ユニット６９ｄの合流ガス接続管６９４ｄに送られる。
【０３３１】
そして、合流ガス接続管６９４ｄに送られた低圧のガス冷媒は、低圧ガス開閉弁ＳＶ２ｄおよび低圧ガス接続管６９２ｄを通じて、低圧ガス冷媒連絡配管６９２に送られて合流する。
そして、低圧ガス冷媒連絡配管６９２に送られた低圧のガス冷媒は、低圧ガス側閉鎖弁６３２および気液分離器６１４を経由して、圧縮機６１１の吸入側に戻される。
【０３３２】
なお、このデフロスト運転は、室外熱交換器６１２の外表面の温度や外気温などのパラメータに基づいて切り換わるようなっている。
［空気調和装置の特徴］
（１）
第７実施形態に係る空気調和装置６では、温蓄熱運転において圧縮機６１１から吐出されたガス冷媒（以下、吐出冷媒という）が室内熱交換器６７１ａ，６７１ｂ，６７１ｃと蓄熱用熱交換器６４１とに分配され、デフロスト運転において吐出冷媒が室内熱交換器６７１ａ，６７１ｂ，６７１ｃと室外熱交換器６１２とに分配される。このため、この空気調和装置６では、温蓄熱運転において室内熱交換器６７１ａ，６７１ｂ，６７１ｃと蓄熱用熱交換器６４１とに、デフロスト運転において室内熱交換器６７１ａ，６７１ｂ，６７１ｃと室外熱交換器６１２とに適切な熱量を分配するのに、冷媒の分配比のみを考慮すればよい。したがって、この空気調和装置１では、比較的な簡単な制御により温蓄熱運転およびデフロスト運転を行うことができる。
【０３３３】
（２）
第７実施形態に係る空気調和装置６では、温蓄熱運転において、室内熱交換器６７１ａ，６７１ｂ，６７１ｃから流出した冷媒と蓄熱用熱交換器６４１から流出した冷媒とが合流して室外熱交換器６１２を通って圧縮機６１１に吸入される。また、デフロスト運転において、室内熱交換器６７１ａ，６７１ｂ，６７１ｃから流出した冷媒と室外熱交換器６１２から流出した冷媒とが合流して蓄熱用熱交換器６４１を通って圧縮機６１１に吸入される。このため、この空気調和装置６では、温蓄熱運転において室内熱交換器６７１ａ，６７１ｂ，６７１ｃから流出した冷媒と蓄熱用熱交換器６４１から流出した冷媒とを室外熱交換器６１２で一括して蒸発させることができ、デフロスト運転において室内熱交換器６７１ａ，６７１ｂ，６７１ｃから流出した冷媒と室外熱交換器６１２から流出した冷媒とを蓄熱用熱交換器６４１で一括して蒸発させることができる。したがって、この空気調和装置６では、冷媒回路６０の構成をシンプルにすることができる。
【０３３４】
（３）
第７実施形態に係る空気調和装置６では、冷媒回路６０が、四路切換弁６１３、高圧ガス開閉弁ＳＶ１ｄ、および低圧ガス開閉弁ＳＶ２ｄを有する。このため、この空気調和装置６では、温蓄熱運転とデフロスト運転との間で冷媒の流れを適切に制御することができる。
【０３３５】
［変形例］
第７実施形態に係る空気調和装置６では、蓄熱ユニット６４が１台しか設けられなかったが、蓄熱ユニット６４は、複数台設けられてもかまわない。
＜第８実施形態＞
［空気調和装置の構成］
本発明の一実施形態にかかる空気調和装置７の概略冷媒回路７０を図１９に示す。
【０３３６】
空気調和装置７は、蒸気圧縮式の冷凍サイクル運転を行うことによって、ビル等の屋内の冷暖房に使用される装置である。また、この空気調和装置７は、室外熱交換器７１２に付着する霜を除去するためのデフロスト運転を行うことが可能な仕様になっており、冬季などにおいて気温が氷点下となるような寒冷地への設置に適する。
空気調和装置７は、主として、１台の室外ユニット７１と、複数（本実施形態では、３台）の室内ユニット７７ａ，７７ｂ，７７ｃと、１台の氷蓄熱ユニット７４と、各室内ユニット７７ａ，７７ｂ，７７ｃおよび氷蓄熱ユニット７４に接続される接続ユニット７９ａ，７９ｂ，７９ｃ，７９ｄと、室外ユニット７１と氷蓄熱ユニット７４とを直接接続する冷媒連絡配管７９８と、接続ユニット７９ａ，７９ｂ，７９ｃ，７９ｄを介して室外ユニット７１と室内ユニット７７ａ，７７ｂ，７７ｃおよび氷蓄熱ユニット７４とを接続する冷媒連絡配管７９２，７９３と、接続ユニット７９ａ，７９ｂ，７９ｃを介して室内ユニット７７ａ，７７ｂ，７７ｃと氷蓄熱ユニット７４とを接続する冷媒連絡配管７９１とを備えており、例えば、ある空調空間については冷房運転を行いつつ他の空調空間については暖房運転を行う等のように、室内ユニット７７ａ，７７ｂ，７７ｃが設置される屋内の空調空間の要求に応じて、冷暖同時運転が可能になるように構成されている。すなわち、本実施形態の空気調和装置７の蒸気圧縮式の冷媒回路７０は、室外ユニット７１と、室内ユニット７７ａ，７７ｂ，７７ｃと、氷蓄熱ユニット７４と、接続ユニット７９ａ，７９ｂ，７９ｃ，７９ｄと、冷媒連絡配管７９１，７９２，７９３，７９８とが接続されることによって構成されている。
【０３３７】
（１）室内ユニット
室内ユニット７７ａ，７７ｂ，７７ｃは、ビル等の屋内の天井に埋め込みや吊り下げ等、または、屋内の壁面に壁掛け等により設置されている。室内ユニット７７ａ，７７ｂ，７７ｃは、冷媒連絡配管７９１，７９２，７９３，７９８、接続ユニット７９ａ，７９ｂ，７９ｃ、および氷蓄熱ユニット７４を介して室外ユニット７１に接続されており、冷媒回路７０の一部を構成している。
【０３３８】
次に、室内ユニット７７ａ，７７ｂ，７７ｃの構成について説明する。なお、室内ユニット７７ａと室内ユニット７７ｂ，７７ｃとは同様の構成であるため、ここでは、室内ユニット７７ａの構成のみ説明し、室内ユニット７７ｂ，７７ｃの構成については、各部の説明を省略する。
室内ユニット７７ａは、主として、冷媒回路７０の一部を構成しており、室内側冷媒回路７８ａ（室内ユニット７７ｂ，７７ｃでは、それぞれ、室内側冷媒回路７８ｂ，７８ｃ）を備えている。この室内側冷媒回路７８ａは、主として、室内側膨張弁ＥＶ１ａおよび室内熱交換器７７１ａを備えている。本実施形態において、室内側膨張弁ＥＶ１ａは、室内側冷媒回路７８ａ内を流れる冷媒の流量の調節等を行うために、室内熱交換器７７１ａの液側に接続された電動膨張弁である。本実施形態において、室内熱交換器７７１ａは、伝熱管と多数のフィンとにより構成されたクロスフィン式のフィン・アンド・チューブ型熱交換器であり、冷媒と屋内空気との熱交換を行うための機器である。本実施形態において、室内ユニット７７ａは、ユニット内に屋内空気を吸入して、熱交換した後に、供給空気として屋内に供給するための送風ファン（図示せず）を備えており、屋内空気と室内熱交換器７７１ａを流れる冷媒とを熱交換させることが可能である。
【０３３９】
また、室内ユニット７７ａには、各種のセンサが設けられている。室内熱交換器７７１ａの液側には液冷媒の温度を検出する液側温度センサ（図示せず）が設けられており、室内熱交換器７７１ａのガス側にはガス冷媒の温度を検出するガス側温度センサ（図示せず）が設けられている。さらに、室内ユニット７７ａには、ユニット内に吸入される屋内空気の温度を検出するＲＡ吸入温度センサ（図示せず）が設けられている。また、室内ユニット７７ａは、室内ユニット７７ａを構成する各部の動作を制御する室内側制御部（図示せず）を備えている。そして、室内側制御部は、室内ユニット７７ａの制御を行うために設けられたマイクロコンピュータやメモリを有しており、リモコン（図示せず）との間で制御信号等のやりとりを行ったり、室外ユニット７１との間で制御信号等のやりとりを行ったりすることができるようになっている。
【０３４０】
（２）氷蓄熱ユニット
氷蓄熱ユニット７４は、ビル等の屋内等に設置されている。氷蓄熱ユニット７４は、冷媒連絡配管７９２，７９３，７９８および接続ユニット７９ｄを介して室外ユニット７１に接続されており、冷媒回路７０の一部を構成している。
次に、氷蓄熱ユニット７４の構成について説明する。氷蓄熱ユニット７４は、主として、冷媒回路７０の一部を構成しており、蓄熱冷媒回路７５を備えている。この蓄熱冷媒回路７５は、主として、液ライン７５ａ、蓄熱ライン７５ｂ、および利用ライン７５ｃから構成されている。
【０３４１】
液ライン７５ａは、後述する接続ユニット７９ｄの液接続管７９１ｄおよび冷媒連絡配管７９８に接続されるラインであり、第３開閉機構ＯＣ３を有している。本実施形態において、第３開閉機構ＯＣ３は、開閉可能な第３開閉弁ＳＶ３および第３逆止弁７６３を有している。この第３開閉機構ＯＣ３では、第３開閉弁ＳＶ３と第３逆止弁７６３とが冷媒流れに対して並列に配置される。また、この第３逆止弁７６３は、接続ユニット７９ｄの液接続管７９１ｄ用の接続ポート（図示せず）から冷媒連絡配管７９８用の接続ポート（図示せず）に向かう冷媒の流れのみを許容するように取り付けられている。なお、以下、液ライン７５ａのうち冷媒連絡配管７９８用の接続ポートと第３開閉機構ＯＣ３との間に位置する液ライン７５ａを第１液ライン７６ａといい、液ライン７５ａのうち接続ユニット７９ｄの液接続管７９１ｄ用の接続ポートと第３開閉機構ＯＣ３との間に位置する液ライン７５ａを第２液ライン７６ｂという。
【０３４２】
蓄熱ライン７５ｂは、一端が後述する接続ユニット７９ｄの合流ガス接続管７９４ｄに、他端が第２液ライン７６ｂに接続されるラインであり、蓄熱用熱交換器７４１および蓄熱用膨張弁ＥＶ２を有している。なお、この蓄熱ライン７５ｄでは、蓄熱用交換器７４１が合流ガス接続管７９４ｄ用の接続ポート（図示せず）側に、蓄熱用膨張弁ＥＶ２が第２液ライン７６ｂとの接続点側に配備されている。本実施形態において、蓄熱用膨張弁ＥＶ２は、蓄熱冷媒回路７５内を流れる冷媒の流量の調節等を行うために、蓄熱用熱交換器７４１の液側に接続された電動膨張弁である。本実施形態において、蓄熱用熱交換器７４１は、伝熱管と多数のフィンとにより構成されたクロスフィン式のフィン・アンド・チューブ型熱交換器であり、冷媒と蓄熱水槽７４２に貯留されている蓄熱用水との熱交換を行うための機器である。なお、以下、蓄熱ラインのうち合流ガス接続管７９４ｄ用の接続ポートと蓄熱用熱交換器７４１との間に位置する蓄熱ライン７５ｂを合流ガス側蓄熱ライン７６ｃという。
【０３４３】
利用ライン７５ｃは、一端が合流ガス側蓄熱ライン７６ｃに、他端が第１液ライン７６ａに接続されるラインであり、第４開閉機構ＯＣ４を有している。本実施形態において、第４開閉機構ＯＣ４は、開閉可能な第４開閉弁ＳＶ４および第４逆止弁７６４を有している。この第４開閉機構ＯＣ４では、第４開閉弁ＳＶ４と第４逆止弁７６４とが冷媒流れに対して直列に配置される。なお、この際、第４開閉弁ＳＶ４は第１液ライン７６ａ側に、第４逆止弁７６４は合流ガス側蓄熱ライン７６ｃ側に配置される。また、この第４逆止弁７６４は、第１液ライン７６ａから合流ガス側蓄熱ライン７６ｃに向かう冷媒の流れのみを許容するように取り付けられている。
【０３４４】
また、氷蓄熱ユニット７４には、各種のセンサが設けられている。蓄熱用熱交換器７４１の液側には液冷媒の温度を検出する液側温度センサ（図示せず）が設けられており、蓄熱用熱交換器７４１のガス側にはガス冷媒の温度を検出するガス側温度センサ（図示せず）が設けられている。さらに、蓄熱水槽７４２には、蓄熱用水の温度を検出する蓄熱温度センサ（図示せず）が設けられている。また、氷蓄熱ユニット７４は、氷蓄熱ユニット７４を構成する各部の動作を制御する氷蓄熱制御部（図示せず）を備えている。そして、氷蓄熱制御部は、氷蓄熱ユニット７４の制御を行うために設けられたマイクロコンピュータやメモリを有しており、リモコン（図示せず）との間で制御信号等のやりとりを行ったり、室外ユニット７１との間で制御信号等のやりとりを行ったりすることができるようになっている。
【０３４５】
（３）室外ユニット
室外ユニット７１は、ビル等の屋上等に設置されており、接続ユニット７９ｄおよび冷媒連絡配管７９２，７９３，７９８を介して氷蓄熱ユニット７４に接続され、接続ユニット７９ａ，７９ｂ，７９ｃ、冷媒連絡配管７９１，７９２，７９３，７９８、および蓄熱ユニット７４を介して室内ユニット７７ａ，７７ｂ，７７ｃに接続されており、室内ユニット７７ａ，７７ｂ，７７ｃおよび氷蓄熱ユニット７４の間で冷媒回路７０を構成している。
【０３４６】
次に、室外ユニット７１の構成について説明する。室外ユニット７１は、主として、冷媒回路７０の一部を構成しており、室外側冷媒回路７ａを備えている。この室外側冷媒回路７ａは、主として、圧縮機７１１、四路切換弁７１３、室外熱交換器７１２、気液分離器７１４、減圧回路７０ａ、液側閉鎖弁７３１、高圧ガス側閉鎖弁７３３、および低圧ガス側閉鎖弁７３２を備えている。
【０３４７】
圧縮機７１１は、本実施形態において、インバータ制御により運転容量を可変することが可能な容積式圧縮機である。本実施形態において、圧縮機７１１は、１台のみであるが、これに限定されず、室内ユニットの接続台数等に応じて、２台以上の圧縮機が並列に接続されたものであってもよい。
室外熱交換器７１２は、冷媒の蒸発器および冷媒の凝縮器として機能させることが可能な熱交換器であり、本実施形態において、空気を熱源として冷媒と熱交換するクロスフィン式のフィン・アンド・チューブ型熱交換器である。室外熱交換器７１２は、そのガス側が四路切換弁７１３に接続され、その液側が液側閉鎖弁７３１に接続されている。
【０３４８】
液側閉鎖弁７３１、高圧ガス側閉鎖弁７３３、および低圧ガス側閉鎖弁７３２は、外部の機器・配管（具体的には、冷媒連絡配管７９２，７９３，７９８）との接続口に設けられた弁である。液側閉鎖弁７３１は、室外熱交換器７１２に接続されている。高圧ガス側閉鎖弁７３３は、圧縮機７１１の吐出管７２６に接続されている。低圧ガス側閉鎖弁７３２は、気液分離器７１４を介して圧縮機７１１の吸入側に接続されている。
【０３４９】
減圧回路７０ａは、キャピラリーチューブ７３８を有しており、四路切換弁７１３および気液分離器７１４に接続されている。
また、室外ユニット７１には、各種のセンサが設けられている。具体的には、室外ユニット７１は、圧縮機７１１の吸入圧力を検出する吸入圧力センサ（図示せず）と、圧縮機７１１の吐出圧力を検出する吐出圧力センサ（図示せず）と、圧縮機構７１１の吐出側の冷媒の吐出温度を検出する吐出温度センサ（図示せず）とが設けられている。また、室外ユニット７１は、室外ユニット７１を構成する各部の動作を制御する室外側制御部（図示せず）を備えている。そして、室外側制御部は、室外ユニット７１の制御を行うために設けられたマイクロコンピュータやメモリを有しており、室内ユニット７７ａ，７７ｂ，７７ｃの室内側制御部との間で制御信号等のやりとりを行うことができるようになっている。
【０３５０】
（４）接続ユニット
接続ユニット７９ａ，７９ｂ，７９ｃ，７９ｄは、ビル等の屋内に室内ユニット７７ａ，７７ｂ，７７ｃおよび氷蓄熱ユニット７４とともに設置されている。接続ユニット７９ａ，７９ｂ，７９ｃ，７９ｄは、冷媒連絡配管７９１，７９２，７９３とともに、室内ユニット７７ａ，７７ｂ，７７ｃおよび氷蓄熱ユニット７４と室外ユニット７１との間に介在しており、冷媒回路７０の一部を構成している。
【０３５１】
次に、接続ユニット７９ａ，７９ｂ，７９ｃ，７９ｄの構成について説明する。なお、接続ユニット７９ａと接続ユニット７９ｂ，７９ｃとは同様の構成であるため、ここでは、接続ユニット７９ａの構成のみ説明し、接続ユニット７９ｂ，７９ｃの構成については、各部の説明を省略する。接続ユニット７９ｄも接続ユニット７９ａ，７９ｂ，７９ｃと同様の構成であるが、本実施形態においては接続対象７７ａ，７４が異なるため、接続ユニット７９ｄについは接続ユニット７９ａと併せて説明する。
【０３５２】
接続ユニット７９ａ，７９ｄは、主として、冷媒回路７０の一部を構成しており、接続側冷媒回路７９９ａ，７９９ｄ（接続ユニット７９ｂ，７９ｃでは、それぞれ、接続側冷媒回路７９９ｂ，７９９ｃ）を備えている。この接続側冷媒回路７９９ａ，７９９ｄは、主として、液接続管７９１ａ，７９１ｄ、ガス接続管７９５ａ，７９５ｄ、高圧ガス開閉弁ＳＶ１ａ，ＳＶ１ｄ、および低圧ガス開閉弁ＳＶ２ａ，ＳＶ２ｄを有している。
【０３５３】
本実施形態において、液接続管７９１ａ，７９１ｄは、液冷媒連絡配管７９１と室内側冷媒回路７８ａの室内側膨張弁ＥＶ１ａおよび蓄熱冷媒回路７５の第２液ライン７６ｂとを接続している。ガス接続管７９５ａ，７９５ｄは、高圧ガス冷媒連絡配管７９３に接続された高圧ガス接続管７９３ａ，７９５ｄと、低圧ガス冷媒連絡配管７９２に接続された低圧ガス接続管７９２ａ，７９２ｄと、高圧ガス接続管７９３ａ，７９３ｄと低圧ガス接続管７９２ａ，７９２ｄとを合流させる合流ガス接続管７９４ａ，７９４ｄとを有している。合流ガス接続管７９４ａ，７９４ｄは、室内側冷媒回路７８ａの室内熱交換器７７１ａのガス側および蓄熱冷媒回路７５の合流ガス側蓄熱ライン７６ｃに接続されている。そして、高圧ガス開閉弁ＳＶ１ａ，ＳＶ１ｄは、本実施形態において、高圧ガス接続管７９３ａ，７９３ｄに接続されており、冷媒の流通および遮断が可能な電磁弁である。低圧ガス開閉弁ＳＶ２ａ，ＳＶ２ｄは、本実施形態において、低圧ガス接続管７９２ａ，７９２ｄに接続されており、冷媒の流通および遮断が可能な電磁弁である。これにより、接続ユニット７９ａは、室内ユニット７７ａが冷房運転を行う際には、高圧ガス開閉弁ＳＶ１ａを閉止し、かつ、低圧ガス開閉弁ＳＶ２ａを開けた状態にして、液冷媒連絡配管７９１を通じて液接続管７９１ａに流入する冷媒を室内側冷媒回路７８ａの室内側膨張弁ＥＶ１ａに送り、室内側膨張弁ＥＶ１ａで減圧され室内熱交換器７７１ａにおいて蒸発された後に、合流ガス接続管７９４ａおよび低圧ガス接続管７９２ａを通じて低圧ガス冷媒連絡配管７９２に戻すように機能することができる。また、接続ユニット７９ａは、室内ユニット７７ａが暖房運転を行う際には、低圧ガス開閉弁ＳＶ２ａを閉止し、かつ、高圧ガス開閉弁ＳＶ１ａを開けた状態にして、高圧ガス冷媒連絡配管７９３を通じて高圧ガス接続管７９３ａおよび合流ガス接続管７９４ａに流入する冷媒を室内側冷媒回路７８ａの室内熱交換器７７１ａのガス側に送り、室内熱交換器７７１ａにおいて凝縮され室内側膨張弁ＥＶ１ａで減圧された後に、液接続管７９１ａを通じて液冷媒連絡配管７９１に戻すように機能することができる。また、接続ユニット７９ｄは、氷蓄熱ユニット７４が温蓄熱運転（後述）を行う際には、低圧ガス開閉弁ＳＶ２ｄを閉止し、かつ、高圧ガス開閉弁ＳＶ１ｄを開けた状態にして、高圧ガス冷媒連絡配管７９３を通じて高圧ガス接続管７９３ｄおよび合流ガス接続管７９４ｄに流入する冷媒を蓄熱冷媒回路７５の蓄熱用熱交換器７４１のガス側に送り、蓄熱用熱交換器７４１において凝縮され（この際に蓄熱用水に温熱が主に顕熱として蓄積される）蓄熱用膨張弁ＥＶ２で減圧された後に、液ライン７５ａを通じて液冷媒連絡配管７９８に戻すように機能することができる（なお、この場合、蓄熱冷媒回路７５において、第３開閉弁ＳＶ３および第４開閉弁ＳＶ４は閉止された状態とされる）。また、接続ユニット７９ｄは、本空気調和装置７がデフロスト運転（後述）を行う際には、高圧ガス開閉弁ＳＶ１ｄを閉止し、かつ、低圧ガス開閉弁ＳＶ２ｄを開けた状態にして、液冷媒連絡配管７９８を通じて蓄熱冷媒回路７５の第２液ライン７６ｂに流入する冷媒を蓄熱用膨張弁ＥＶ２に送り、蓄熱用膨張弁ＥＶ２で減圧され蓄熱用熱交換器７４１において蒸発された後に（この際に蓄熱用水から温熱が放出される）、合流ガス接続管７９４ｄおよび低圧ガス接続管７９２ｄを通じて低圧ガス冷媒連絡配管７９２に戻すように機能することができる（なお、この場合、蓄熱冷媒回路７５において、第３開閉弁ＳＶ３は開けた状態とされ、第４開閉弁ＳＶ４は閉止された状態とされる）。また、接続ユニット７９ｄは、氷蓄熱ユニット７４が氷蓄熱運転（後述）を行う際には、高圧ガス開閉弁ＳＶ１ｄを閉止し、かつ、低圧ガス開閉弁ＳＶ２ｄを開けた状態にして、液冷媒連絡配管７９８を通じて蓄熱冷媒回路７５の第２液ライン７６ｂに流入する冷媒を蓄熱用膨張弁ＥＶ２に送り、蓄熱用膨張弁ＥＶ２で減圧され蓄熱用熱交換器７４１において蒸発された後に（この際に蓄熱用水に冷熱が主に潜熱として蓄積される）、合流ガス接続管７９４ｄおよび低圧ガス接続管７９２ｄを通じて低圧ガス冷媒連絡配管７９２に戻すように機能することができる（なお、この場合、蓄熱冷媒回路７５において、第３開閉弁ＳＶ３は開けた状態とされ、第４開閉弁ＳＶ４は閉止された状態とされる）。また、接続ユニット７９ｄは、本空気調和装置７が第１氷蓄熱利用冷房運転（後述）を行う際には、低圧ガス開閉弁ＳＶ２ｄを閉止し、かつ、高圧ガス開閉弁ＳＶ１ｄを開けた状態にして、高圧ガス冷媒連絡配管７９３を通じて高圧ガス接続管７９３ｄおよび合流ガス接続管７９４ｄに流入する冷媒を蓄熱冷媒回路７５の蓄熱用熱交換器７４１のガス側に送り、蓄熱用熱交換器７４１において凝縮され（この際に蓄熱用水から冷熱が放出される）、蓄熱用膨張弁ＥＶ２および液接続管７９１ｄを通じて液冷媒連絡配管７９１に移るように機能することができる（なお、この場合、蓄熱冷媒回路７５において、第３開閉弁ＳＶ３は開けた状態とされ、第４開閉弁ＳＶ４は閉止された状態とされる）。また、接続ユニット７９ｄは、本空気調和装置７が第２氷蓄熱利用冷房運転（後述）を行う際には、高圧ガス開閉弁ＳＶ１ｄおよび低圧ガス開閉弁ＳＶ２ｄを閉止した状態にして、液冷媒連絡配管７９８を通じて蓄熱冷媒回路７５の利用ライン７５ｃに流入する冷媒を蓄熱用熱交換器７４１のガス側に送り、蓄熱用熱交換器７４１において凝縮され又はさらに冷却され（この際に蓄熱用水から冷熱が放出される）、蓄熱用膨張弁ＥＶ２および液接続管７９１ｄを通じて液冷媒連絡配管７９１に移るように機能することができる（なお、この場合、蓄熱冷媒回路７５において、第３開閉弁ＳＶ３は閉止された状態とされ、第４開閉弁ＳＶ４は開けた状態とされる）。
【０３５４】
また、接続ユニット７９ａ，７９ｄは、接続ユニット７９ａ，７９ｄを構成する各部の動作を制御する接続側制御部（図示せず）を備えている。そして、接続側制御部は、接続ユニット７９ａ，７９ｄの制御を行うために設けられたマイクロコンピュータやメモリを有しており、室内ユニット７７ａの室内側制御部および氷蓄熱ユニット７４の氷蓄熱制御部との間で制御信号等のやりとりを行うことができるようになっている。
【０３５５】
以上のように、室内側冷媒回路７８ａ，７８ｂ，７８ｃ、蓄熱冷媒回路７５、室外側冷媒回路７ａ、冷媒連絡配管７９１，７９２，７９３，７９８、および接続側冷媒回路７９９ａ，７９９ｂ，７９９ｃ，７９９ｄが接続されて、空気調和装置７の冷媒回路７０が構成されている。そして、本実施形態の空気調和装置７では、例えば、室内ユニット７７ａ，７７ｂが冷房運転を行いつつ、室内ユニット７７ｃが暖房運転を行う等の、いわゆる、冷暖同時運転を行うことが可能になっている。
【０３５６】
［空気調和装置の動作］
次に、本実施形態の空気調和装置７の動作について説明する。
本実施形態の空気調和装置７の運転は、氷蓄熱ユニット７４を利用しない氷蓄熱ユニット非利用運転と氷蓄熱ユニット７４を利用する氷蓄熱ユニット利用運転とに大別される。以下、氷蓄熱ユニット非利用運転と氷蓄熱ユニット利用運転とに分けて本空気調和装置７の運転について説明する。
【０３５７】
（１）氷蓄熱ユニット非利用運転
氷蓄熱ユニット非利用運転は、各室内ユニット７７ａ，７７ｂ，７７ｃの空調負荷に応じて、室内ユニット７７ａ，７７ｂ，７７ｃの全て暖房運転を行う暖房運転、室内ユニット７７ａ，７７ｂ，７７ｃの全てが冷房運転を行う冷房運転、および室内ユニット７７ａ，７７ｂ，７７ｃの一部が冷房運転を行いつつ他の室内ユニットが暖房運転を行う冷暖房同時運転にさらに分けることができる。また、冷暖同時運転については、室内ユニット７７ａ，７７ｂ，７７ｃ全体の空調負荷により、室外ユニット７１の室外熱交換器７１２を蒸発器として機能させて運転している場合（蒸発運転状態）と、室外ユニット７１の室外熱交換器７１２を凝縮器として機能させて運転している場合（凝縮運転状態）とに分けることができる。なお、本空気調和装置７が氷蓄熱ユニット非利用運転を行う場合は、接続ユニット７９ｄの高圧ガス開閉弁ＳＶ１ｄおよび低圧ガス開閉弁ＳＶ２ｄはともに閉止された状態とされる。また、氷蓄熱ユニット７４の蓄熱用膨張弁ＥＶ２は全開状態とされ、第４開閉弁ＳＶ４は閉止された状態とされる。また、氷蓄熱ユニット７４の第３開閉弁ＳＶ３は、冷房運転時および冷暖同時運転（凝縮運転状態）時には開けた状態とされ、暖房運転時および冷暖同時運転（蒸発運転状態）時には閉止された状態とされる。
【０３５８】
（Ａ）暖房運転
暖房運転時は、四路切換弁７１３が図１９の破線で示される状態に切り換えられることによって、室外熱交換器７１２が蒸発器として機能するとともに、高圧ガス冷媒連絡配管７９３を通じて室内ユニット７７ａ，７７ｂ，７７ｃに圧縮機７１１において圧縮され吐出された高圧のガス冷媒が供給されるようになる。接続ユニット７９ａ，７９ｂ，７９ｃにおいては、低圧ガス開閉弁ＳＶ２ａ，ＳＶ２ｂ，ＳＶ２ｃが閉止するとともに高圧ガス開閉弁ＳＶ１ａ，ＳＶ１ｂ，ＳＶ１ｃが開くことによって、室内ユニット７７ａ，７７ｂ，７７ｃの室内熱交換器７７１ａ，７７１ｂ，７７１ｃが凝縮器として機能する状態になる。室内ユニット７７ａ，７７ｂ，７７ｃにおいては、室内側膨張弁ＥＶ１ａ，Ｅｖ１ｂ，ＥＶ１ｃは、例えば、室内熱交換器７７１ａ，７７１ｂ，７７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。
【０３５９】
このような冷媒回路７０の構成において、圧縮機７１１で圧縮され吐出された高圧のガス冷媒は、高圧ガス側閉鎖弁７３３を通じて、高圧ガス冷媒連絡配管７９３に送られる。
そして、高圧ガス冷媒連絡配管７９３に送られた高圧のガス冷媒は、３つに分岐されて、各接続ユニット７９ａ，７９ｂ，７９ｃの高圧ガス接続管７９３ａ，７９３ｂ，７９３ｃに送られる。接続ユニット７９ａ，７９ｂ，７９ｃの高圧ガス接続管７９３ａ，７９３ｂ，７９３ｃに送られた高圧のガス冷媒は、高圧ガス開閉弁ＳＶ１ａ，ＳＶ１ｂ，ＳＶ１ｃおよび合流ガス接続管７９４ａ，７９４ｂ，７９４ｃを通じて、室内ユニット７７ａ，７７ｂ，７７ｃの室内熱交換器７７１ａ，７７１ｂ，７７１ｃに送られる。
【０３６０】
そして、室内熱交換器７７１ａ，７７１ｂ，７７１ｃに送られた高圧のガス冷媒は、室内ユニット７７ａ，７７ｂ，７７ｃの室内熱交換器７７１ａ，７７１ｂ，７７１ｃにおいて、屋内空気と熱交換を行うことによって凝縮される。一方、屋内の空気は、加熱されて屋内に供給される。室内熱交換器７７１ａ，７７１ｂ，７７１ｃにおいて凝縮された冷媒は、室内側膨張弁ＥＶ１ａ，Ｅｖ１ｂ，ＥＶ１ｃを通過した後、接続ユニット７９ａ，７９ｂ，７９ｃの液接続管７９１ａ，７９１ｂ，７９１ｃに送られる。
【０３６１】
そして、液接続管７９１ａ，７９１ｂ，７９１ｃに送られた冷媒は、液冷媒連絡配管７９１に送られて合流する。
そして、液冷媒連絡配管７９１に送られて合流した冷媒は、接続ユニット７９ｄの液接続管７９１ｄ、蓄熱冷媒回路７５の液ライン７５ａ、液冷媒連絡配管７９８、および室外ユニット７１の液側閉鎖弁７３１を通じて、室外熱交換器７１２に送られ、室外熱交換器７１２において蒸発されて低圧のガス冷媒になる。このガス冷媒は、四路切換弁７１３および気液分離器７１４を経由して、圧縮機７１１の吸入側に戻される。このようにして、暖房運転が行われる。
【０３６２】
（Ｂ）冷房運転
冷房運転時は、四路切換弁７１３が図１９の実線で示される状態に切り換えられることによって、室外熱交換器７１２が凝縮器として機能するようになっている。接続ユニット７９ａ，７９ｂ，７９ｃにおいては、高圧ガス開閉弁ＳＶ１ａ，ＳＶ１ｂ，ＳＶ１ｃが閉止するとともに低圧ガス開閉弁ＳＶ２ａ，ＳＶ２ｂ，ＳＶ２ｃが開くことによって、室内ユニット７７ａ，７７ｂ，７７ｃの室内熱交換器７７１ａ，７７１ｂ，７７１ｃが蒸発器として機能するとともに、室内ユニット７７ａ，７７ｂ，７７ｃの室内熱交換器７７１ａ，７７１ｂ，７７１ｃと室外ユニット７１の圧縮機７１１の吸入側とが低圧ガス冷媒連絡配管７９２を介して接続された状態になっている。室内ユニット７７ａ，７７ｂ，７７ｃにおいては、室内側膨張弁ＥＶ１ａ，Ｅｖ１ｂ，ＥＶ１ｃは、例えば、室内熱交換器７７１ａ，７７１ｂ，７７１ｃの過熱度（具体的には、液側温度センサで検出される冷媒温度とガス側温度センサで検出される冷媒温度との温度差）に基づいて開度調節する等、各室内ユニットの冷房負荷に応じて開度調節されている。
【０３６３】
このような冷媒回路７０の構成において、圧縮機７１１で圧縮され吐出された高圧のガス冷媒は、四路切換弁７１３を通じて、室外熱交換器７１２に送られる。そして、室外熱交換器７１２に送られた高圧のガス冷媒は、室外熱交換器７１２において凝縮され液冷媒となる。その液冷媒は、液側閉鎖弁７３１、液冷媒連絡配管７９８、蓄熱冷媒回路７５の液ライン７５ａ、接続ユニット７９ｄの液接続管７９１ｄを通じて、液冷媒連絡配管７９１に送られる。
【０３６４】
そして、液冷媒連絡配管７９１に送られた液冷媒は、３つに分岐されて、各接続ユニット７９ａ，７９ｂ，７９ｃの液接続管７９１ａ，７９１ｂ，７９１ｃに送られる。そして、接続ユニット７９ａ，７９ｂ，７９ｃの液接続管７９１ａ，７９１ｂ，７９１ｃに送られた冷媒は、室内ユニット７７ａ，７７ｂ，７７ｃの室内側膨張弁ＥＶ１ａ，Ｅｖ１ｂ，ＥＶ１ｃに送られる。
【０３６５】
そして、室内側膨張弁ＥＶ１ａ，Ｅｖ１ｂ，ＥＶ１ｃに送られた冷媒は、室内側膨張弁ＥＶ１ａ，Ｅｖ１ｂ，ＥＶ１ｃによって減圧された後、室内熱交換器７７１ａ，７７１ｂ，７７１ｃにおいて、屋内空気と熱交換を行うことによって蒸発されて低圧のガス冷媒となる。一方、屋内の空気は、冷却されて屋内に供給される。そして、低圧のガス冷媒は、接続ユニット７９ａ，７９ｂ，７９ｃの合流ガス接続管７９４ａ，７９４ｂ，７９４ｃに送られる。
【０３６６】
そして、合流ガス接続管７９４ａ，７９４ｂ，７９４ｃに送られた低圧のガス冷媒は、低圧ガス開閉弁ＳＶ２ａ，ＳＶ２ｂ，ＳＶ２ｃおよび低圧ガス接続管７９２ａ，７９２ｂ，７９２ｃを通じて、低圧ガス冷媒連絡配管７９２に送られて合流する。
そして、低圧ガス冷媒連絡配管７９２に送られて合流した低圧のガス冷媒は、低圧ガス側閉鎖弁７３２および気液分離器７１４を経由して、圧縮機７１１の吸入側に戻される。このようにして、冷房運転が行われる。
【０３６７】
（Ｃ）冷暖同時運転（蒸発負荷）
室内ユニット７７ａ，７７ｂ，７７ｃのうち、例えば、室内ユニット７７ａを冷房運転し、かつ、室内ユニット７７ｂ，７７ｃを暖房運転する冷暖同時運転モードであって、室内ユニット７７ａ，７７ｂ，７７ｃ全体の空調負荷に応じて、室外ユニット７１の室外熱交換器７１２を蒸発器として機能させる運転（蒸発運転）について説明する。この際、上述の暖房運転モードと同様に、四路切換弁７１３が図１９の破線で示される状態に切り換えられることによって、室外熱交換器７１２が蒸発器として機能するとともに、高圧ガス冷媒連絡配管７９３を通じて室内ユニット７７ｂ，７７ｃに圧縮機７１１において圧縮され吐出された高圧のガス冷媒が供給されるようになる。接続ユニット７９ａにおいては、高圧ガス開閉弁ＳＶ１ａが閉止するとともに低圧ガス開閉弁ＳＶ２ａが開くことによって、室内ユニット７７ａの室内熱交換器７７１ａを蒸発器として機能させるとともに、室内ユニット７７ａの室内熱交換器７７１ａと室外ユニット７１の圧縮機７１１の吸入側とが低圧ガス冷媒連絡配管７９２を介して接続された状態になっている。室内ユニット７７ａにおいては、室内側膨張弁ＥＶ１ａは、例えば、室内熱交換器７７１ａの過熱度（具体的には、液側温度センサで検出される冷媒温度とガス側温度センサで検出される冷媒温度との温度差）に基づいて開度調節する等、室内ユニットの冷房負荷に応じて開度調節されている。接続ユニット７９ｂ，７９ｃにおいては、低圧ガス開閉弁ＳＶ２ｂ，ＳＶ２ｃが閉止するとともに高圧ガス開閉弁ＳＶ１ｂ，ＳＶ１ｃが開くことによって、室内ユニット７７ｂ，７７ｃの室内熱交換器７７１ｂ，７７１ｃが凝縮器として機能するようになっている。室内ユニット７７ｂ，７７ｃにおいては、室内側膨張弁ＥＶ１ｂ，ＥＶ１ｃは、例えば、室内熱交換器７７１ｂ，７７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。
【０３６８】
このような冷媒回路７０の構成において、圧縮機７１１で圧縮され吐出された高圧のガス冷媒は、高圧ガス側閉鎖弁７３３を通じて、高圧ガス冷媒連絡配管７９３に送られる。
そして、高圧ガス冷媒連絡配管７９３に送られた高圧のガス冷媒は、２つに分岐されて、各接続ユニット７９ｂ，７９ｃの高圧ガス接続管７９３ｂ，７９３ｃに送られる。接続ユニット７９ｂ，７９ｃの高圧ガス接続管７９３ｂ，７９３ｃに送られた高圧のガス冷媒は、高圧ガス開閉弁ＳＶ１ｂ，ＳＶ１ｃおよび合流ガス接続管７９４ｂ，７９４ｃを通じて室内ユニット７７ｂ，７７ｃの室内熱交換器７７１ｂ，７７１ｃに送られる。
【０３６９】
そして、室内熱交換器７７１ｂ，７７１ｃに送られた高圧のガス冷媒は、室内ユニット７７ｂ，７７ｃの室内熱交換器７７１ｂ，７７１ｃにおいて、屋内空気と熱交換を行うことによって凝縮される。一方、屋内の空気は、加熱されて屋内に供給される。室内熱交換器７７１ｂ，７７１ｃにおいて凝縮された冷媒は、室内側膨張弁ＥＶ１ｂ，ＥＶ１ｃを通過した後、接続ユニット７９ｂ，７９ｃの液接続管７９１ｂ，７９１ｃに送られる。
【０３７０】
そして、液接続管７９１ｂ，７９１ｃに送られた冷媒は、液冷媒連絡配管７９１に送られて合流する。
そして、液冷媒連絡配管７９１に送られて合流した冷媒の一部は、接続ユニット７９ａの液接続管７９１ａに送られる。そして、接続ユニット７９ａの液接続管７９１ａに送られた冷媒は、室内ユニット７７ａの室内側膨張弁ＥＶ１ａに送られる。
【０３７１】
そして、室内側膨張弁ＥＶ１ａに送られた冷媒は、室内側膨張弁ＥＶ１ａによって減圧された後、室内熱交換器７７１ａにおいて、屋内空気と熱交換を行うことによって蒸発されて低圧のガス冷媒となる。一方、屋内の空気は、冷却されて屋内に供給される。そして、低圧のガス冷媒は、接続ユニット７９ａの合流ガス接続管７９４ａに送られる。
そして、合流ガス接続管７９４ａに送られた低圧のガス冷媒は、低圧ガス開閉弁ＳＶ２ａおよび低圧ガス接続管７９２ａを通じて、低圧ガス冷媒連絡配管７９２に送られて合流する。
【０３７２】
そして、低圧ガス冷媒連絡配管７９２に送られた低圧のガス冷媒は、低圧ガス側閉鎖弁７３２および気液分離器７１４を経由して、圧縮機７１１の吸入側に戻される。
一方、液冷媒連絡配管７９１から接続ユニット７９ａおよび室内ユニット７７ａに送られた冷媒を除いた残りの冷媒は、接続ユニット７９ｄの液接続管７９１ｄ、蓄熱冷媒回路７５の液ライン７５ａ、液冷媒連絡配管７９８、および室外ユニット７１の液側閉鎖弁７３１を通じて室外熱交換器７１２に送られ、室外熱交換器７１２において蒸発されて低圧のガス冷媒になる。このガス冷媒は、四路切換弁７１３および気液分離器７１４を経由して、圧縮機構２１の吸入側に戻される。このようにして、冷暖同時運転（蒸発負荷）が行われている。
【０３７３】
（Ｄ）冷暖同時運転（凝縮負荷）
室内ユニット７７ａ，７７ｂ，７７ｃのうち、例えば、室内ユニット７７ａ，７７ｂを冷房運転し、かつ、室内ユニット７７ｃを暖房運転する冷暖同時運転モードであって、室内ユニット７７ａ，７７ｂ，７７ｃ全体の空調負荷に応じて、室外ユニット７１の室外熱交換器７１２を凝縮器として機能させる運転（凝縮運転）について説明する。この際、四路切換弁７１３が図１９の実線で示される状態に切り換えられることによって、室外熱交換器７１２が凝縮器として機能するとともに、高圧ガス冷媒連絡配管７９３を通じて室内ユニット７７ｃに圧縮機７１１において圧縮され吐出された高圧のガス冷媒が供給されるようになる。接続ユニット７９ａ，７９ｂにおいては、高圧ガス開閉弁ＳＶ１ａ，ＳＶ１ｂが閉止するとともに低圧ガス開閉弁ＳＶ２ａ，ＳＶ２ｂが開くことによって、室内ユニット７７ａ，７７ｂの室内熱交換器７７１ａ，７７１ｂが蒸発器として機能するとともに、室内ユニット７７ａ，７７ｂの室内熱交換器７７１ａ，７７１ｂと室外ユニット７１の圧縮機７１１の吸入側とが低圧ガス冷媒連絡配管７９２を介して接続された状態になっている。室内ユニット７７ａ，７７ｂにおいては、室内側膨張弁ＥＶ１ａ，ＥＶ１ｂは、例えば、室内熱交換器７７１ａ，７７１ｂの過熱度（具体的には、液側温度センサで検出される冷媒温度とガス側温度センサで検出される冷媒温度との温度差）に基づいて開度調節する等、各室内ユニットの冷房負荷に応じて開度調節されている。接続ユニット７９ｃにおいては、低圧ガス開閉弁ＳＶ２ｃが閉止するとともに高圧ガス開閉弁ＳＶ１ｃが開くことによって、室内ユニット７７ｃの室内熱交換器７７１ｃが凝縮器として機能するようにしている。室内ユニット７７ｃにおいては、室内側膨張弁ＥＶ１ｃは、例えば、室内熱交換器７７１ｃの過冷却度（具体的には、液側温度センサで検出される冷媒温度とガス側温度センサで検出される冷媒温度との温度差）に基づいて開度調節する等、室内ユニットの暖房負荷に応じて開度調節されている。
【０３７４】
このような冷媒回路７０の構成において、圧縮機７１１で圧縮され吐出された高圧のガス冷媒は、四路切換弁７１３を通じて室外熱交換器７１２に送られるとともに、高圧ガス側閉鎖弁７３３を通じて高圧ガス冷媒連絡配管７９３にも送られる。
室外熱交換器７１２に送られた高圧のガス冷媒は、室外熱交換器７１２において凝縮され、液冷媒となる。そして、その液冷媒は、液側閉鎖弁７３１、液冷媒連絡配管７９８、蓄熱冷媒回路７５の液ライン７５ａ、接続ユニット７９ｄの液接続管７９１ｄを通じて、液冷媒連絡配管７９１に送られる。
【０３７５】
また、高圧ガス冷媒連絡配管７９３に送られた高圧のガス冷媒は、接続ユニット７９ｃの高圧ガス接続管７９３ｃに送られる。接続ユニット７９ｃの高圧ガス接続管７９３ｃに送られた高圧のガス冷媒は、高圧ガス開閉弁ＳＶ１ｃおよび合流ガス接続管７９４ｃを通じて室内ユニット７７ｃの室内熱交換器７７１ｃに送られる。
そして、室内熱交換器７７１ｃに送られた高圧のガス冷媒は、室内ユニット７７ｃの室内熱交換器７７１ｃにおいて、屋内空気と熱交換を行うことによって凝縮される。一方、屋内の空気は、加熱されて屋内に供給される。室内熱交換器７７１ｃにおいて凝縮された冷媒は、室内側膨張弁ＥＶ１ｃを通過した後、接続ユニット７９ｃの液接続管７９１ｃに送られる。
【０３７６】
そして、液接続管７９１ｃに送られた冷媒は、液冷媒連絡配管７９１に送られて、液側閉鎖弁７３１、液冷媒連絡配管７９８、蓄熱冷媒回路７５の液ライン７５ａ、接続ユニット７９ｄの液接続管７９１ｄを通じて液冷媒連絡配管７９１に送られた冷媒に合流される。
そして、この液冷媒連絡配管７９１を流れる冷媒は、２つに分岐されて、各接続ユニット７９ａ，７９ｂの液接続管７９１ａ，７９１ｂに送られる。そして、接続ユニット７９ａ，７９ｂの液接続管７９１ａ，７９１ｂに送られた冷媒は、室内ユニット７７ａ，７７ｂの室内側膨張弁ＥＶ１ａ，ＥＶ１ｂに送られる。
【０３７７】
そして、室内側膨張弁ＥＶ１ａ，ＥＶ１ｂに送られた冷媒は、室内側膨張弁ＥＶ１ａ，ＥＶ１ｂによって減圧された後、室内熱交換器７７１ａ，７７１ｂにおいて、屋内空気と熱交換を行うことによって蒸発されて低圧のガス冷媒となる。一方、屋内の空気は、冷却されて屋内に供給される。そして、低圧のガス冷媒は、接続ユニット７９ａ，７９ｂの合流ガス接続管７９４ａ，７９４ｂに送られる。
【０３７８】
そして、合流ガス接続管７９４ａ，７９４ｂに送られた低圧のガス冷媒は、低圧ガス開閉弁ＳＶ２ａ，ＳＶ２ｂおよび低圧ガス接続管７９２ａ，７９２ｂを通じて、低圧ガス冷媒連絡配管７９２に送られて合流する。
そして、低圧ガス冷媒連絡配管７９２に送られた低圧のガス冷媒は、低圧ガス側閉鎖弁７３２および気液分離器７１４を経由して、圧縮機７１１の吸入側に戻される。このようにして、冷暖同時運転（凝縮負荷）が行われている。
【０３７９】
（２）氷蓄熱ユニット利用運転
氷蓄熱ユニット利用運転は、蓄熱用水に温熱を蓄積させる温蓄熱運転、温蓄熱運転により蓄熱用水に蓄積された温熱を利用して個々の室内機７７ａ，７７ｂ，７７ｃの運転状態を維持したまま室外熱交換器７１２のデフロストを行うデフロスト運転、蓄熱用水に冷熱を蓄積させる氷蓄熱運転、ならびに氷蓄熱運転により蓄熱用水に蓄積された冷熱を利用して電力ピークを調節するための第１氷蓄熱利用運転（電力ピークカット運転）および第２氷蓄熱利用運転（電力ピークシフト運転）にさらに分けることができる。これらの運転のうち、温蓄熱運転およびデフロスト運転は、主に、複数の室内ユニット７７ａ，７７ｂ，７７ｃのほとんど又は全てが暖房運転される状況（つまり、室外熱交換器７１２に高い蒸発負荷がかかる状況）において利用される。このため、温蓄熱運転およびデフロスト運転については、室内ユニット７７ａ，７７ｂ，７７ｃの全てが暖房運転している状況を代表にとって説明を行う。また、氷蓄熱運転は、主に、深夜など、室内ユニット７７ａ，７７ｂ，７７ｃが停止されている状況で行われる。このため、氷蓄熱運転については、室内ユニット７７ａ，７７ｂ，７７ｃの全てが停止している状況を代表にとって説明を行う。また、第１氷蓄熱利用運転および第２氷蓄熱利用運転は、主に、複数の室内ユニット７７ａ，７７ｂ，７７ｃのほとんど又は全てが冷房運転される状況（つまり、室外熱交換器７１２に高い凝縮負荷がかかる状況）において利用される。このため、第１氷蓄熱利用運転および第２氷蓄熱利用運転については、室内ユニット７７ａ，７７ｂ，７７ｃの全てが冷房運転している状況を代表にとって説明を行う。
【０３８０】
（Ａ）温蓄熱運転
温蓄熱運転時は、四路切換弁７１３が図１９の破線で示される状態に切り換えられることによって、室外熱交換器７１２が蒸発器として機能するとともに、高圧ガス冷媒連絡配管７９３を通じて室内ユニット７７ａ，７７ｂ，７７ｃおよび蓄熱ユニット７４に圧縮機７１１において圧縮され吐出された高圧のガス冷媒が供給されるようになる。接続ユニット７９ａ，７９ｂ，７９ｃ，７９ｄにおいては、低圧ガス開閉弁ＳＶ２ａ，ＳＶ２ｂ，ＳＶ２ｃ，ＳＶ２ｄが閉止するとともに高圧ガス開閉弁ＳＶ１ａ，ＳＶ１ｂ，ＳＶ１ｃ，ＳＶ１ｄが開くことによって、室内ユニット７７ａ，７７ｂ，７７ｃの室内熱交換器７７１ａ，７７１ｂ，７７１ｃおよび蓄熱ユニット７４の蓄熱用熱交換器７４１が凝縮器として機能する状態になる。室内ユニット７７ａ，７７ｂ，７７ｃにおいては、室内側膨張弁ＥＶ１ａ，Ｅｖ１ｂ，ＥＶ１ｃが、例えば、室内熱交換器７７１ａ，７７１ｂ，７７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。また、蓄熱ユニット７４においては、第３開閉弁ＳＶ３および第４開閉弁ＳＶ４が閉止された状態とされ、蓄熱用膨張弁ＥＶ２が例えば蓄熱用熱交換器７４１の過冷却度（具体的には、液側温度センサで検出される冷媒温度とガス側温度センサで検出される冷媒温度との温度差）に基づいて開度調節する等されている。
【０３８１】
このような冷媒回路７０の構成において、圧縮機７１１で圧縮され吐出された高圧のガス冷媒は、高圧ガス側閉鎖弁７３３を通じて、高圧ガス冷媒連絡配管７９３に送られる。
そして、高圧ガス冷媒連絡配管７９３に送られた高圧のガス冷媒は、４つに分岐されて、各接続ユニット７９ａ，７９ｂ，７９ｃ，７９ｄの高圧ガス接続管７９３ａ，７９３ｂ，７９３ｃ，７９３ｄに送られる。接続ユニット７９ａ，７９ｂ，７９ｃ，７９ｄの高圧ガス接続管７９３ａ，７９３ｂ，７９３ｃ，７９３ｄに送られた高圧のガス冷媒は、高圧ガス開閉弁ＳＶ１ａ，ＳＶ１ｂ，ＳＶ１ｃ，ＳＶ１ｄおよび合流ガス接続管７９４ａ，７９４ｂ，７９４ｃ，７９４ｄを通じて、室内ユニット７７ａ，７７ｂ，７７ｃの室内熱交換器７７１ａ，７７１ｂ，７７１ｃおよび蓄熱ユニット７４の蓄熱用熱交換器７４１に送られる。
【０３８２】
そして、室内熱交換器７７１ａ，７７１ｂ，７７１ｃに送られた高圧のガス冷媒は、室内ユニット７７ａ，７７ｂ，７７ｃの室内熱交換器７７１ａ，７７１ｂ，７７１ｃにおいて、屋内空気と熱交換を行うことによって凝縮される。一方、屋内の空気は、加熱されて屋内に供給される。室内熱交換器７７１ａ，７７１ｂ，７７１ｃにおいて凝縮された冷媒は、室内側膨張弁ＥＶ１ａ，Ｅｖ１ｂ，ＥＶ１ｃおよび接続ユニット７９ａ，７９ｂ，７９ｃの液接続管７９１ａ，７９１ｂ，７９１ｃを通過した後、液冷媒連絡配管７９１に送られて合流する。
【０３８３】
一方、蓄熱用熱交換器７４１に送られた高圧のガス冷媒は、蓄熱ユニット７４の蓄熱用熱交換器７４１において、蓄熱槽７４２に貯留される蓄熱材を加熱するとともに凝縮される。この際、蓄熱材は、固相から液相に相転移し、ガス冷媒から供給される温熱を主に潜熱として蓄積する。蓄熱用熱交換器７４１において凝縮された冷媒は、蓄熱用膨張弁ＥＶ２を通過した後、蓄熱冷媒回路７５の第２液ライン７６ｂに送られる。
【０３８４】
そして、液冷媒連絡配管７９１に送られて合流した冷媒は、蓄熱冷媒回路７５の第２液ライン７６ｂに送られて蓄熱用熱交換器７４１において凝縮された冷媒と合流する。
そして、蓄熱冷媒回路７５の第２液ライン７６ｂにおいて合流した冷媒は、蓄熱冷媒回路７５の第１液ライン７６ａ、液冷媒連絡配管７９８、および室外ユニット７１の液側閉鎖弁７３１を通じて、室外熱交換器７１２に送られ、室外熱交換器７１２において蒸発されて低圧のガス冷媒になる。このガス冷媒は、四路切換弁７１３および気液分離器７１４を経由して、圧縮機７１１の吸入側に戻される。このようにして、温蓄熱運転が行われる。
【０３８５】
（Ｂ）デフロスト運転
デフロスト運転時は、四路切換弁７１３が図１９の実線で示される状態に切り換えられることによって、室外熱交換器７１２が凝縮器として機能するとともに、高圧ガス冷媒連絡配管７９３を通じて室内ユニット７７ｃに圧縮機７１１において圧縮され吐出された高圧のガス冷媒が供給されるようになる。接続ユニット７９ａ，７９ｂ，７９ｃにおいては、低圧ガス開閉弁ＳＶ２ａ，ＳＶ２ｂ，ＳＶ２ｃが閉止するとともに高圧ガス開閉弁ＳＶ１ａ，ＳＶ１ｂ，ＳＶ１ｃが開くことによって、室内ユニット７７ａ，７７ｂ，７７ｃの室内熱交換器７７１ａ，７７１ｂ，７７１ｃが凝縮器として機能するようにしている。一方、接続ユニット７９ｄにおいては、高圧ガス開閉弁ＳＶ１ｄが閉止するとともに低圧ガス開閉弁ＳＶ２ｄが開くことによって、蓄熱ユニット７４の蓄熱用熱交換器７４１が蒸発器として機能するとともに、蓄熱ユニット７４の蓄熱用熱交換器７４１と室外ユニット７１の圧縮機７１１の吸入側とが低圧ガス冷媒連絡配管７９２を介して接続された状態になっている。なお、この際、蓄熱材には、所定期間（例えば、１０分間）、全ての室内ユニット７７ａ，７７ｂ，７７ｃにおける最大凝縮負荷の総和を相殺する以上の蒸発負荷を蓄熱用熱交換器７１２に与えるだけの温熱が蓄積されている。室内ユニット７７ａ，７７ｂ，７７ｃにおいては、室内側膨張弁ＥＶ１ａ，Ｅｖ１ｂ，ＥＶ１ｃが、例えば、室内熱交換器７７１ａ，７７１ｂ，７７１ｃの過冷却度（具体的には、液側温度センサで検出される冷媒温度とガス側温度センサで検出される冷媒温度との温度差）に基づいて開度調節する等、各室内ユニットの暖房負荷に応じて開度調節されている。また、蓄熱ユニット７４においては、第３開閉弁ＳＶ３が開けた状態とされ、第４開閉弁ＳＶ４が閉止された状態とされ、蓄熱用膨張弁ＥＶ２が例えば蓄熱用熱交換器７４１の過熱度（具体的には、液側温度センサで検出される冷媒温度とガス側温度センサで検出される冷媒温度との温度差）に基づいて開度調節する等されている。
【０３８６】
このような冷媒回路７０の構成において、圧縮機７１１で圧縮され吐出された高圧のガス冷媒は、四路切換弁７１３を通じて室外熱交換器７１２に送られるとともに、高圧ガス側閉鎖弁７３３を通じて高圧ガス冷媒連絡配管７９３にも送られる。
室外熱交換器７１２に送られた高圧のガス冷媒は、室外熱交換器７１２の外表面に付着している霜を融解するとともに凝縮されて液冷媒となる。そして、その液冷媒は、液側閉鎖弁７３１および液冷媒連絡配管７９８を通じて、蓄熱冷媒回路７５の第２液ライン７６ｂに送られる。
【０３８７】
また、高圧ガス冷媒連絡配管７９３に送られた高圧のガス冷媒は、接続ユニット７９ａ，７９ｂ，７９ｃの高圧ガス接続管７９３ａ，７９３ｂ，７９３ｃに送られる。接続ユニット７９ａ，７９ｂ，７９ｃの高圧ガス接続管７９３ａ，７９３ｂ，７９３ｃに送られた高圧のガス冷媒は、高圧ガス開閉弁ＳＶ１ａ，ＳＶ１ｂ，ＳＶ１ｃおよび合流ガス接続管７９４ａ，７９４ｂ，７９４ｃを通じて室内ユニット７７ａ，７７ｂ，７７ｃの室内熱交換器７７１ａ，７７１ｂ，７７１ｃに送られる。
【０３８８】
そして、室内熱交換器７７１ａ，７７１ｂ，７７１ｃに送られた高圧のガス冷媒は、室内ユニット７７ａ，７７ｂ，７７ｃの室内熱交換器７７１ａ，７７１ｂ，７７１ｃにおいて、屋内空気と熱交換を行うことによって凝縮される。一方、屋内の空気は、加熱されて屋内に供給される。室内熱交換器７７１ａ，７７１ｂ，７７１ｃにおいて凝縮された冷媒は、室内側膨張弁ＥＶ１ａ，ＥＶ１ｂ，ＥＶ１ｃを通過した後、接続ユニット７９ａ，７９ｂ，７９ｃの液接続管７９１ａ，７９１ｂ，７９１ｃに送られる。
【０３８９】
そして、液接続管７９１ａ，７９１ｂ，７９１ｃに送られた冷媒は、液冷媒連絡配管７９１を通じて蓄熱冷媒回路７５の第２液ライン７６ｂに送られ、液側閉鎖弁７３１および液冷媒連絡配管７９８を通じて蓄熱冷媒回路７５の第２液ライン７６ｂに送られた冷媒に合流される。
そして、この蓄熱冷媒回路７５の第２液ライン７６ｂを流れる冷媒は、蓄熱用膨張弁ＥＶ２に送られる。
【０３９０】
そして、蓄熱用膨張弁ＥＶ２に送られた冷媒は、蓄熱用膨張弁ＥＶ２によって減圧された後、蓄熱用熱交換器７４１において、蓄熱材に蓄積されている温熱によって蒸発されて低圧のガス冷媒となる。この際、蓄熱材は、蓄熱していた温熱を徐々に放出していき、その温度が凝固点に達すると（潜熱分を使い切ると）、液相から固相に相転移することとなる。そして、低圧のガス冷媒は、接続ユニット７９ｄの合流ガス接続管７９４ｄに送られる。
【０３９１】
そして、合流ガス接続管７９４ｄに送られた低圧のガス冷媒は、低圧ガス開閉弁ＳＶ２ｄおよび低圧ガス接続管７９２ｄを通じて、低圧ガス冷媒連絡配管７９２に送られて合流する。
そして、低圧ガス冷媒連絡配管７９２に送られた低圧のガス冷媒は、低圧ガス側閉鎖弁７３２および気液分離器７１４を経由して、圧縮機７１１の吸入側に戻される。
【０３９２】
なお、このデフロスト運転は、室外熱交換器７１２の外表面の温度や外気温などのパラメータに基づいて切り換わるようなっている。
（Ｃ）氷蓄熱運転
氷蓄熱運転時は、四路切換弁７１３が図１９の実線で示される状態に切り換えられることによって、室外熱交換器７１２が凝縮器として機能するようになっている。接続ユニット７９ａ，７９ｂ，７９ｃにおいては、高圧ガス開閉弁ＳＶ１ａ，ＳＶ１ｂ，ＳＶ１ｃ，ＳＶ１ｄおよび低圧ガス開閉弁ＳＶ２ａ，ＳＶ２ｂ，ＳＶ２ｃが閉止され、低圧ガス開閉弁ＳＶ２ｄが開くことによって、氷蓄熱ユニット７４の蓄熱用熱交換器７４１が蒸発器として機能するとともに、氷蓄熱ユニット７４の蓄熱用熱交換器７４１と室外ユニット７１の圧縮機７１１の吸入側とが低圧ガス冷媒連絡配管７９２を介して接続された状態になっている。氷蓄熱ユニット７４においては、第３開閉弁ＳＶ３が開けた状態とされ、第４開閉弁ＳＶ４が閉止された状態とされ、蓄熱用膨張弁ＥＶ２が例えば蓄熱用熱交換器７４１の過熱度（具体的には、液側温度センサで検出される冷媒温度とガス側温度センサで検出される冷媒温度との温度差）に基づいて開度調節する等されている。
【０３９３】
このような冷媒回路７０の構成において、圧縮機７１１で圧縮され吐出された高圧のガス冷媒は、四路切換弁７１３を通じて、室外熱交換器７１２に送られる。そして、室外熱交換器７１２に送られた高圧のガス冷媒は、室外熱交換器７１２において凝縮され液冷媒となる。その液冷媒は、液側閉鎖弁７３１、液冷媒連絡配管７９８、および蓄熱冷媒回路７５の第２液ライン７６ｂを通じて、蓄熱用膨張弁ＥＶ２に送られる。
【０３９４】
そして、蓄熱用膨張弁ＥＶ２に送られた液冷媒は、蓄熱用膨張弁ＥＶ２によって減圧された後、蓄熱用熱交換器７４１において、蓄熱用水を冷却するとともに蒸発されてガス冷媒となる。この際、蓄熱用水は、液相から固相に相転移し、液冷媒から供給される冷熱を主に潜熱として蓄積する。そして、低圧のガス冷媒は、接続ユニット７９ｄの合流ガス接続管７９４ｄに送られる。
【０３９５】
そして、合流ガス接続管７９４ｄに送られた低圧のガス冷媒は、低圧ガス開閉弁ＳＶ２ｄおよび低圧ガス接続管７９２ｄを通じて、低圧ガス冷媒連絡配管７９２に送られる。
そして、低圧ガス冷媒連絡配管７９２に送られた低圧のガス冷媒は、低圧ガス側閉鎖弁７３２および気液分離器７１４を経由して、圧縮機７１１の吸入側に戻される。このようにして、氷蓄熱運転が行われる。
【０３９６】
（Ｄ）第１氷蓄熱利用運転（電力ピークカット運転）
第１氷蓄熱利用運転時は、四路切換弁７１３が図１９の実線で示される状態に切り換えられることによって、室外熱交換器７１２が凝縮器として機能するようになっている。接続ユニット７９ａ，７９ｂ，７９ｃにおいては、高圧ガス開閉弁ＳＶ１ａ，ＳＶ１ｂ，ＳＶ１ｃが閉止するとともに低圧ガス開閉弁ＳＶ２ａ，ＳＶ２ｂ，ＳＶ２ｃが開くことによって、室内ユニット７７ａ，７７ｂ，７７ｃの室内熱交換器７７１ａ，７７１ｂ，７７１ｃが蒸発器として機能するとともに、室内ユニット７７ａ，７７ｂ，７７ｃの室内熱交換器７７１ａ，７７１ｂ，７７１ｃと室外ユニット７１の圧縮機７１１の吸入側とが低圧ガス冷媒連絡配管７９２を介して接続された状態になっている。室内ユニット７７ａ，７７ｂ，７７ｃにおいては、室内側膨張弁ＥＶ１ａ，Ｅｖ１ｂ，ＥＶ１ｃは、例えば、室内熱交換器７７１ａ，７７１ｂ，７７１ｃの過熱度（具体的には、液側温度センサで検出される冷媒温度とガス側温度センサで検出される冷媒温度との温度差）に基づいて開度調節する等、各室内ユニットの冷房負荷に応じて開度調節されている。接続ユニット７９ｄにおいては、低圧ガス開閉弁ＳＶ２ｄが閉止するとともに高圧ガス開閉弁ＳＶ１ｄが開くことによって、氷蓄熱ユニット７４の蓄熱用熱交換器７４１が凝縮器として機能するようにしている。氷蓄熱ユニット７４においては、第３開閉弁ＳＶ３が開けた状態とされ、第４開閉弁ＳＶ４が閉止された状態とされ、蓄熱用膨張弁ＥＶ２が全開状態とされる。
【０３９７】
このような冷媒回路７０の構成において、圧縮機７１１で圧縮され吐出された高圧のガス冷媒は、四路切換弁７１３を通じて、室外熱交換器７１２に送られるとともに、高圧ガス側閉鎖弁７３３を通じて高圧ガス冷媒連絡配管７９３にも送られる。
室外熱交換器７１２に送られた高圧のガス冷媒は、室外熱交換器７１２において凝縮され、液冷媒となる。そして、その液冷媒は、液側閉鎖弁７３１、液冷媒連絡配管７９８、および第１液ライン７６ａを通じて、蓄熱冷媒回路７５の第２液ライン７６ｂに送られる。
【０３９８】
また、高圧ガス冷媒連絡配管７９３に送られた高圧のガス冷媒は、接続ユニット７９ｄの高圧ガス接続管７９３ｄに送られる。接続ユニット７９ｄの高圧ガス接続管７９３ｄに送られた高圧のガス冷媒は、高圧ガス開閉弁ＳＶ１ｄおよび合流ガス接続管７９４ｄを通じて氷蓄熱ユニット７４の蓄熱用熱交換器７４１に送られる。
そして、蓄熱用熱交換器７４１に送られた高圧のガス冷媒は、氷蓄熱ユニット７４の蓄熱用熱交換器７４１において、蓄熱用水に蓄積された冷熱により凝縮されて液冷媒となる。蓄熱用熱交換器７４１において凝縮された冷媒は、蓄熱用膨張弁ＥＶ２を通過した後、第２液ライン７６ｂに送られる。
【０３９９】
そして、第２液ライン７６ｂに送られた冷媒は、液側閉鎖弁７３１、液冷媒連絡配管７９８、および第１液ライン７６ａを通じて第２液ライン７６ｂに送られた冷媒に合流される。
そして、第２液ライン７６ｂに送られて合流した冷媒は、接続ユニット７９ｄの液接続管７９１ｄを通じて、液冷媒連絡配管７９１に送られる。
【０４００】
そして、液冷媒連絡配管７９１に送られた液冷媒は、３つに分岐されて、各接続ユニット７９ａ，７９ｂ，７９ｃの液接続管７９１ａ，７９１ｂ，７９１ｃに送られる。そして、接続ユニット７９ａ，７９ｂ，７９ｃの液接続管７９１ａ，７９１ｂ，７９１ｃに送られた冷媒は、室内ユニット７７ａ，７７ｂ，７７ｃの室内側膨張弁ＥＶ１ａ，Ｅｖ１ｂ，ＥＶ１ｃに送られる。
【０４０１】
そして、室内側膨張弁ＥＶ１ａ，Ｅｖ１ｂ，ＥＶ１ｃに送られた冷媒は、室内側膨張弁ＥＶ１ａ，Ｅｖ１ｂ，ＥＶ１ｃによって減圧された後、室内熱交換器７７１ａ，７７１ｂ，７７１ｃにおいて、屋内空気と熱交換を行うことによって蒸発されて低圧のガス冷媒となる。一方、屋内の空気は、冷却されて屋内に供給される。そして、低圧のガス冷媒は、接続ユニット７９ａ，７９ｂ，７９ｃの合流ガス接続管７９４ａ，７９４ｂ，７９４ｃに送られる。
【０４０２】
そして、合流ガス接続管７９４ａ，７９４ｂ，７９４ｃに送られた低圧のガス冷媒は、低圧ガス開閉弁ＳＶ２ａ，ＳＶ２ｂ，ＳＶ２ｃおよび低圧ガス接続管７９２ａ，７９２ｂ，７９２ｃを通じて、低圧ガス冷媒連絡配管７９２に送られて合流する。
そして、低圧ガス冷媒連絡配管７９２に送られて合流した低圧のガス冷媒は、低圧ガス側閉鎖弁７３２および気液分離器７１４を経由して、圧縮機７１１の吸入側に戻される。このようにして、第１氷蓄熱利用運転が行われる。
【０４０３】
（Ｅ）第２氷蓄熱利用運転（電力ピークシフト運転）
第２氷蓄熱利用運転時は、四路切換弁７１３が図１９の実線で示される状態に切り換えられることによって、室外熱交換器７１２が凝縮器として機能するようになっている。接続ユニット７９ａ，７９ｂ，７９ｃにおいては、高圧ガス開閉弁ＳＶ１ａ，ＳＶ１ｂ，ＳＶ１ｃが閉止するとともに低圧ガス開閉弁ＳＶ２ａ，ＳＶ２ｂ，ＳＶ２ｃが開くことによって、室内ユニット７７ａ，７７ｂ，７７ｃの室内熱交換器７７１ａ，７７１ｂ，７７１ｃが蒸発器として機能するとともに、室内ユニット７７ａ，７７ｂ，７７ｃの室内熱交換器７７１ａ，７７１ｂ，７７１ｃと室外ユニット７１の圧縮機７１１の吸入側とが低圧ガス冷媒連絡配管７９２を介して接続された状態になっている。室内ユニット７７ａ，７７ｂ，７７ｃにおいては、室内側膨張弁ＥＶ１ａ，Ｅｖ１ｂ，ＥＶ１ｃは、例えば、室内熱交換器７７１ａ，７７１ｂ，７７１ｃの過熱度（具体的には、液側温度センサで検出される冷媒温度とガス側温度センサで検出される冷媒温度との温度差）に基づいて開度調節する等、各室内ユニットの冷房負荷に応じて開度調節されている。接続ユニット７９ｄにおいては、高圧ガス開閉弁ＳＶ１ｄおよび低圧ガス開閉弁ＳＶ２ｄが閉止する。氷蓄熱ユニット７４においては、第３開閉弁ＳＶ３が閉止された状態とされ、第４開閉弁ＳＶ４が開けた状態とされ、蓄熱用膨張弁ＥＶ２が全開状態とされる。
【０４０４】
このような冷媒回路７０の構成において、圧縮機７１１で圧縮され吐出された高圧のガス冷媒は、四路切換弁７１３を通じて、室外熱交換器７１２に送られる。そして、室外熱交換器７１２に送られた高圧のガス冷媒は、室外熱交換器７１２において凝縮され液状または気液二相状態の冷媒となる。その液状または気液二相状態の冷媒は、液側閉鎖弁７３１、液冷媒連絡配管７９８、および利用ライン７５ｃを通じて、蓄熱用熱交換器７４１に送られる。
【０４０５】
そして、蓄熱用熱交換器７４１に送られた液状または気液二相状態の冷媒は、蓄熱用熱交換器７４１において、蓄熱用水に蓄積された冷熱により凝縮されて液冷媒となるか又はさらに冷却される。その液冷媒は、蓄熱用膨張弁ＥＶ２を通過した後、第２液ライン７６ｂおよび接続ユニット７９ｄの液接続管７９１ｄを通じて液冷媒連絡配管７９１に送られる。
【０４０６】
そして、液冷媒連絡配管７９１に送られた液冷媒は、３つに分岐されて、各接続ユニット７９ａ，７９ｂ，７９ｃの液接続管７９１ａ，７９１ｂ，７９１ｃに送られる。そして、接続ユニット７９ａ，７９ｂ，７９ｃの液接続管７９１ａ，７９１ｂ，７９１ｃに送られた冷媒は、室内ユニット７７ａ，７７ｂ，７７ｃの室内側膨張弁ＥＶ１ａ，Ｅｖ１ｂ，ＥＶ１ｃに送られる。
【０４０７】
そして、室内側膨張弁ＥＶ１ａ，Ｅｖ１ｂ，ＥＶ１ｃに送られた冷媒は、室内側膨張弁ＥＶ１ａ，Ｅｖ１ｂ，ＥＶ１ｃによって減圧された後、室内熱交換器７７１ａ，７７１ｂ，７７１ｃにおいて、屋内空気と熱交換を行うことによって蒸発されて低圧のガス冷媒となる。一方、屋内の空気は、冷却されて屋内に供給される。そして、低圧のガス冷媒は、接続ユニット７９ａ，７９ｂ，７９ｃの合流ガス接続管７９４ａ，７９４ｂ，７９４ｃに送られる。
【０４０８】
そして、合流ガス接続管７９４ａ，７９４ｂ，７９４ｃに送られた低圧のガス冷媒は、低圧ガス開閉弁ＳＶ２ａ，ＳＶ２ｂ，ＳＶ２ｃおよび低圧ガス接続管７９２ａ，７９２ｂ，７９２ｃを通じて、低圧ガス冷媒連絡配管７９２に送られて合流する。
そして、低圧ガス冷媒連絡配管７９２に送られて合流した低圧のガス冷媒は、低圧ガス側閉鎖弁７３２および気液分離器７１４を経由して、圧縮機７１１の吸入側に戻される。このようにして、第２氷蓄熱利用運転が行われる。
【０４０９】
［空気調和装置の特徴］
（１）
第８実施形態に係る空気調和装置７では、温蓄熱運転において圧縮機７１１から吐出されたガス冷媒（以下、吐出冷媒という）が室内熱交換器７７１ａ，７７１ｂ，７７１ｃと蓄熱用熱交換器７４１とに分配され、デフロスト運転において吐出冷媒が室内熱交換器７７１ａ，７７１ｂ，７７１ｃと室外熱交換器７１２とに分配される。このため、この空気調和装置７では、温蓄熱運転において室内熱交換器７７１ａ，７７１ｂ，７７１ｃと蓄熱用熱交換器７４１とに、デフロスト運転において室内熱交換器７７１ａ，７７１ｂ，７７１ｃと室外熱交換器７１２とに適切な熱量を分配するのに、冷媒の分配比のみを考慮すればよい。したがって、この空気調和装置７では、比較的な簡単な制御により温蓄熱運転およびデフロスト運転を行うことができる。
【０４１０】
（２）
第８実施形態に係る空気調和装置７では、温蓄熱運転において、室内熱交換器７７１ａ，７７１ｂ，７７１ｃから流出した冷媒と蓄熱用熱交換器７４１から流出した冷媒とが合流して室外熱交換器７１２を通って圧縮機７１１に吸入される。また、デフロスト運転において、室内熱交換器７７１ａ，７７１ｂ，７７１ｃから流出した冷媒と室外熱交換器７１２から流出した冷媒とが合流して蓄熱用熱交換器７４１を通って圧縮機７１１に吸入される。このため、この空気調和装置７では、温蓄熱運転において室内熱交換器７７１ａ，７７１ｂ，７７１ｃから流出した冷媒と蓄熱用熱交換器７４１から流出した冷媒とを室外熱交換器７１２で一括して蒸発させることができ、デフロスト運転において室内熱交換器７７１ａ，７７１ｂ，７７１ｃから流出した冷媒と室外熱交換器７１２から流出した冷媒とを蓄熱用熱交換器７４１で一括して蒸発させることができる。したがって、この空気調和装置７では、冷媒回路７０の構成をシンプルにすることができる。
【０４１１】
（３）
第８実施形態に係る空気調和装置７では、冷媒回路７０が、四路切換弁７１３、高圧ガス開閉弁ＳＶ１ｄ、および低圧ガス開閉弁ＳＶ２ｄを有する。このため、この空気調和装置７では、温蓄熱運転とデフロスト運転との間で冷媒の流れを適切に制御することができる。
【０４１２】
（４）
第８実施形態に係る空気調和装置７では、蓄熱ユニットとして氷蓄熱ユニット７４が採用されているため、氷蓄熱運転、第１氷蓄熱利用冷房運転（電力ピークカット運転）、および第２氷蓄熱利用冷房運転（電力ピークシフト運転）を行うことができる。このため、この空気調和装置６では、夏季など、冷房運転が必要となる環境において、電力ピークを調節することができる。
【０４１３】
［変形例］
（Ａ）
第８実施形態に係る空気調和装置７では、氷蓄熱ユニット７４が１台しか設けられなかったが、氷蓄熱ユニット７４は、複数台設けられてもかまわない。
（Ｂ）
第８実施形態に係る空気調和装置７の蓄熱冷媒回路７５に配置される第３開閉機構ＯＣ３は、第１実施形態の変形例（Ａ）に示されるように、双方向電磁弁に置換されてもかまわない。
【０４１４】
（Ｃ）
第８実施形態に係る空気調和装置７の蓄熱冷媒回路７５に配置される第３開閉機構ＯＣ３および第４開閉機構ＯＣ４は、第２実施形態の変形例（Ｃ）に示されるように、四路切換弁およびキャピラリーチューブに置換されてもかまわない。
【産業上の利用可能性】
【０４１５】
本発明に係る空気調和装置は、比較的な簡単な制御により暖房兼蓄熱運転および暖房兼デフロスト運転を行うことができるという特徴を有し、冬季などにおいて気温が氷点下となるような寒冷地向けの空気調和装置として有用である。
【図面の簡単な説明】
【０４１６】
【図１】本発明の第１実施形態に係る空気調和装置の概略冷媒回路。
【図２】本発明の第１実施形態に係る空気調和装置の各運転時における電動膨張弁および電磁弁の状態を示す表。
【図３】第１実施形態の変形例（Ａ）に係る空気調和装置の概略冷媒回路。
【図４】第１実施形態の変形例（Ｂ）に係る空気調和装置の概略冷媒回路。
【図５】本発明の第２実施形態に係る空気調和装置の概略冷媒回路。
【図６】本発明の第２実施形態に係る空気調和装置の各運転時における電動膨張弁および電磁弁の状態を示す表。
【図７】第２実施形態の変形例（Ｃ）に係る空気調和装置の概略冷媒回路。
【図８】本発明の第３実施形態に係る空気調和装置の概略冷媒回路。
【図９】本発明の第３実施形態に係る空気調和装置の各運転時における電動膨張弁および電磁弁の状態を示す表。
【図１０】本発明の第４実施形態に係る空気調和装置の概略冷媒回路。
【図１１】本発明の第４実施形態に係る空気調和装置の各運転時における電動膨張弁および電磁弁の状態を示す表。
【図１２】本発明の第５実施形態に係る空気調和装置の概略冷媒回路。
【図１３】本発明の第５実施形態に係る空気調和装置の各運転時における電動膨張弁および電磁弁の状態を示す表。
【図１４】第５実施形態の変形例（Ａ）に係る空気調和装置の概略冷媒回路。
【図１５】本発明の第６実施形態に係る空気調和装置の概略冷媒回路。
【図１６】本発明の第６実施形態に係る空気調和装置の各運転時における電動膨張弁および電磁弁の状態を示す表。
【図１７】第６実施形態の変形例（Ａ）に係る空気調和装置の概略冷媒回路。
【図１８】本発明の第７実施形態に係る空気調和装置の概略冷媒回路。
【図１９】本発明の第８実施形態に係る空気調和装置の概略冷媒回路。
【符号の説明】
【０４１７】
１，１Ａ，１Ｂ，２，２Ａ，３，３Ａ，４，４Ａ，５，５Ａ，６，７      空気調和装置
１０，１０Ａ，１０Ｂ，２０，２０Ａ，３０，３０Ａ，４０，４０Ａ，５０，５０Ａ，６０，７０      冷媒回路
１１１，２１１，３１１，４１１，５１１，６１１，７１１      圧縮機
１１２，２１２，３１２，４１２，５１２，６１２，７１２      室外熱交換器（熱源側熱交換器）
１１３，２１３，３１３，４１３，５１３，６１３，７１３      四路切換弁（第１制御弁）
１４１，２４１，３４１，４４１，５４１，６４１，７４１      蓄熱用熱交換器
１４３      四路切換弁（第２制御弁、第３制御弁）
１７１，２７１，３７１，４７１，５７１，６７１ａ，６７１ｂ，６７１ｃ，７７１ａ，７７１ｂ，７７１ｃ      室内熱交換器（利用側熱交換器）
ＳＶ１，ＳＶ１Ａ      第１電磁弁（第２制御弁）
ＳＶ１ｄ      高圧ガス開閉弁（第２制御弁）
ＳＶ２，ＳＶ２’      第２電磁弁（第３制御弁）
ＳＶ４’      第４電磁弁（第２制御弁）
【図１】
2005337657.tif 000003
【図２】
2005337657.tif 000004
【図３】
2005337657.tif 000005
【図４】
2005337657.tif 000006
【図５】
2005337657.tif 000007
【図６】
2005337657.tif 000008
【図７】
2005337657.tif 000009
【図８】
2005337657.tif 000010
【図９】
2005337657.tif 000011
【図１０】
2005337657.tif 000012
【図１１】
2005337657.tif 000013
【図１２】
2005337657.tif 000014
【図１３】
2005337657.tif 000015
【図１４】
2005337657.tif 000016
【図１５】
2005337657.tif 000017
【図１６】
2005337657.tif 000018
【図１７】
2005337657.tif 000019
【図１８】
2005337657.tif 000020
【図１９】
2005337657.tif 000021